(57)【要約】  本願は、信号伝送方法及び通信機器を提供する。当該方法は、第１構成情報を受信するステップであって、前記第１構成情報は、少なくとも１つの送信構成指示ＴＣＩ状態と第１チャネルの追跡参照信号ＴＲＳの構成とを含み、前記ＴＲＳは複数のチャネル状態情報参照信号ＣＳＩ−ＲＳリソースを含むセットである、ステップと、前記ＴＲＳ内の第１ＴＲＳに含まれる複数のＣＳＩ−ＲＳリソースの中の第１ＣＳＩ−ＲＳリソース、前記少なくとも１つのＴＣＩ状態の中の第１ＴＣＩ状態、並びに同期信号及びＰＢＣＨブロックＳＳＢのうちの１つ以上に基づき、前記第１チャネルの疑似コロケーションＱＣＬパラメータを決定するステップと、前記第１チャネルの前記ＱＣＬパラメータに基づき、前記第１チャネルを受信するステップと、を含む。
2021536171.tif 000002
【特許請求の範囲】
【請求項１】
信号伝送方法であって、
第１構成情報を受信するステップであって、前記第１構成情報は、少なくとも１つの送信構成指示ＴＣＩ状態と第１チャネルの追跡参照信号ＴＲＳの構成とを含み、前記ＴＲＳは複数のチャネル状態情報参照信号ＣＳＩ−ＲＳリソースを含むセットである、ステップと、
前記ＴＲＳ内の第１ＴＲＳに含まれる複数のＣＳＩ−ＲＳリソースの中の第１ＣＳＩ−ＲＳリソース、前記少なくとも１つのＴＣＩ状態の中の第１ＴＣＩ状態、並びに同期信号及びＰＢＣＨブロックＳＳＢのうちの１つ以上に基づき、前記第１チャネルの疑似コロケーションＱＣＬパラメータを決定するステップと、
前記第１チャネルの前記ＱＣＬパラメータに基づき、前記第１チャネルを受信するステップと、
を含む方法。
【請求項２】
前記第１構成情報が初期無線リソース制御ＲＲＣで運ばれるとき、第１ＣＳＩ−ＲＳリソース、第１ＴＣＩ状態、及びＳＳＢのうちの１つ以上に基づき、前記第１チャネルのＱＣＬパラメータを決定する前記ステップは、
前記ＳＳＢ又は前記第１ＴＣＩ状態に基づき、前記第１チャネルの前記ＱＣＬパラメータを決定するステップであって、前記第１ＴＣＩ状態は、前記少なくとも１つのＴＣＩ状態の中で最小ＴＣＩ状態番号を有するＴＣＩ状態であり、前記ＳＳＢは、初期アクセス処理におけるＳＳＢである、ステップを含む、請求項１に記載の方法。
【請求項３】
前記第１構成情報が、初期アクセス処理の後に取得された無線リソース制御ＲＲＣ再構成で運ばれるとき、第１ＣＳＩ−ＲＳリソース、第１ＴＣＩ状態、及びＳＳＢのうちの１つ以上に基づき、前記第１チャネルのＱＣＬパラメータを決定する前記ステップは、
前記第１ＣＳＩ−ＲＳリソースに基づき、前記第１チャネルの前記ＱＣＬパラメータを決定するステップを含む、請求項１に記載の方法。
【請求項４】
前記第１構成情報が受信される前に、ランダムアクセス処理が完了しているとき、第１ＣＳＩ−ＲＳリソース、第１ＴＣＩ状態、及びＳＳＢのうちの１つ以上に基づき、前記第１チャネルのＱＣＬパラメータを決定する前記ステップは、
前記ＳＳＢに基づき、前記第１チャネルの前記ＱＣＬパラメータを決定するステップであって、前記ＳＳＢは前記ランダムアクセス処理におけるＳＳＢである、ステップを含む、請求項１に記載の方法。
【請求項５】
前記第１構成情報が受信される前に、ランダムアクセス処理が完了していないとき、第１ＣＳＩ−ＲＳリソース、第１ＴＣＩ状態、及びＳＳＢのうちの１つ以上に基づき、前記第１チャネルのＱＣＬパラメータを決定する前記ステップは、
前記第１ＣＳＩ−ＲＳリソースに基づき、前記第１チャネルの前記ＱＣＬパラメータを決定するステップを含む、請求項１に記載の方法。
【請求項６】
前記第１構成情報が複数のＴＲＳの構成を含むとき、
前記第１ＴＲＳは、前記複数のＴＲＳの中の最小番号を有するＴＲＳであるか、又は、
前記第１ＴＲＳは、前記複数のＴＲＳを受信する際に、前記第１チャネルのＱＣＬ参照が決定された時点から最短時間間隔を有するＴＲＳであるか、又は、
前記第１ＴＲＳは、前記複数のＴＲＳの測定において、前記第１チャネルのＱＣＬ参照が決定された時点から最短時間間隔を有するＴＲＳである、請求項１〜５のいずれか一項に記載の方法。
【請求項７】
前記第１構成情報が前記複数のＴＲＳの前記構成を含むとき、前記方法は、
指示情報を受信するステップであって、前記指示情報は、前記複数のＴＲＳのうちの１つ以上が活性化ＴＲＳであることを示すために使用され、前記活性化ＴＲＳは前記第１ＴＲＳを含む、ステップ、
を更に含む請求項１〜６のいずれか一項に記載の方法。
【請求項８】
前記第１構成情報が前記複数のＴＲＳの前記構成を含むとき、前記複数のＴＲＳの各々は第１フィールドを含み、前記第１フィールドは、前記ＴＲＳが活性化ＴＲＳであることを示すために使用される、請求項１〜７のいずれか一項に記載の方法。
【請求項９】
前記方法は、
活性化コマンドを受信するステップであって、前記活性化コマンドは、前記少なくとも１つのＴＣＩ状態の中の第２ＴＣＩ状態を活性化するために使用される、ステップと、
前記活性化コマンドに基づき、前記第２ＴＣＩ状態を決定するステップと、
前記第２ＴＣＩ状態に基づき、前記第２ＴＣＩ状態に対応する活性化第２ＴＲＳセットを決定するステップであって、前記第２ＴＲＳセットは、第２チャネルのＱＣＬパラメータを決定するために使用される、ステップと、
第２構成情報を受信するステップであって、前記第２構成情報は、前記第２チャネルの少なくとも１つのＴＣＩ状態を含む、ステップと、
第３ＴＲＳに含まれる複数のＣＳＩ−ＲＳリソースの中の第３ＣＳＩ−ＲＳリソース、前記第２チャネルの前記少なくとも１つのＴＣＩ状態の中の第３ＴＣＩ状態、及び前記ＳＳＢのうちの１つ以上に基づき、前記第２チャネルの前記ＱＣＬパラメータを決定するステップであって、前記第２ＴＲＳセットは前記第３ＴＲＳを含む、ステップと、
前記第２チャネルの前記ＱＣＬパラメータに基づき、前記第２チャネルを受信するステップと、
を更に含む請求項１〜８のいずれか一項に記載の方法。
【請求項１０】
信号伝送方法であって、
第１構成情報を送信するステップであって、前記第１構成情報は、少なくとも１つの送信構成指示ＴＣＩ状態、及び前記第１チャネルの追跡参照信号ＴＲＳの構成を含み、前記ＴＲＳは、複数のチャネル状態情報参照信号ＣＳＩ−ＲＳリソースを含むセットである、ステップと、
前記第１チャネルの第１送信ビームを用いて、前記第１チャネルを送信するステップと、
を含む方法。
【請求項１１】
前記構成情報が複数のＴＲＳの構成を含むとき、前記方法は、
指示情報を送信するステップであって、前記指示情報は、前記複数のＴＲＳのうちの１つ以上が活性化ＴＲＳであることを示すために使用される、ステップ、
を更に含む請求項１０に記載の方法。
【請求項１２】
前記構成情報が前記複数のＴＲＳの前記構成を含むとき、前記複数のＴＲＳの各々は第１フィールドを含み、前記第１フィールドは、前記ＴＲＳが活性化ＴＲＳであることを示すために使用される、請求項１０又は１１に記載の方法。
【請求項１３】
通信機器であって、
第１構成情報を受信するよう構成される通信ユニットであって、前記第１構成情報は、少なくとも１つの送信構成指示ＴＣＩ状態と第１チャネルの追跡参照信号ＴＲＳの構成とを含み、前記ＴＲＳは複数のチャネル状態情報参照信号ＣＳＩ−ＲＳリソースを含むセットである、通信ユニットと、
前記ＴＲＳの中の第１ＴＲＳに含まれる複数のＣＳＩ−ＲＳリソースの中の第１ＣＳＩ−ＲＳリソース、前記少なくとも１つのＴＣＩ状態の中の第１ＴＣＩ状態、並びに同期信号及びＰＢＣＨブロックＳＳＢのうちの１つ以上に基づき、前記第１チャネルの疑似コロケーションＱＣＬパラメータを決定するよう構成される処理ユニットと、
を含み、前記通信ユニットは、前記第１チャネルの前記ＱＣＬパラメータに基づき、前記第１チャネルを受信するよう更に構成される、機器。
【請求項１４】
前記第１構成情報が初期無線リソース制御ＲＲＣで運ばれるとき、前記処理ユニットは、具体的に、
前記ＳＳＢ又は前記第１ＴＣＩ状態に基づき、前記第１チャネルの前記ＱＣＬパラメータを決定するよう構成され、前記第１ＴＣＩ状態は、前記少なくとも１つのＴＣＩ状態の中で最小ＴＣＩ状態番号を有するＴＣＩ状態であり、前記ＳＳＢは、初期アクセス処理におけるＳＳＢである、請求項１３に記載の機器。
【請求項１５】
前記第１構成情報が、初期アクセス処理の後に取得された無線リソース制御ＲＲＣ再構成で運ばれるとき、前記処理ユニットは、具体的に、
前記第１ＣＳＩ−ＲＳリソースに基づき、前記第１チャネルの前記ＱＣＬパラメータを決定するよう構成される、請求項１３に記載の機器。
【請求項１６】
前記第１構成情報が受信される前に、ランダムアクセス処理が完了しているとき、前記処理ユニットは、具体的に、
前記ＳＳＢに基づき、前記第１チャネルの前記ＱＣＬパラメータを決定するよう構成され、前記ＳＳＢは前記ランダムアクセス処理におけるＳＳＢである、請求項１３に記載の機器。
【請求項１７】
前記第１構成情報が受信される前に、ランダムアクセス処理が完了していないとき、前記処理ユニットは、具体的に、
前記第１ＣＳＩ−ＲＳリソースに基づき、前記第１チャネルの前記ＱＣＬパラメータを決定するよう構成される、請求項１３に記載の機器。
【請求項１８】
前記第１構成情報が複数のＴＲＳの構成を含むとき、
前記第１ＴＲＳは、前記複数のＴＲＳの中の最小番号を有するＴＲＳであるか、又は、
前記第１ＴＲＳは、前記複数のＴＲＳを受信する際に、前記第１チャネルのＱＣＬ参照が決定された時点から最短時間間隔を有するＴＲＳであるか、又は、
前記第１ＴＲＳは、前記複数のＴＲＳの測定において、前記第１チャネルのＱＣＬ参照が決定された時点から最短時間間隔を有するＴＲＳである、請求項１３〜１７のいずれか一項に記載の機器。
【請求項１９】
前記第１構成情報が前記複数のＴＲＳの前記構成を含むとき、前記通信ユニットは、
指示情報を受信するよう更に構成され、前記指示情報は、前記複数のＴＲＳのうちの１つ以上が活性化ＴＲＳであることを示すために使用され、前記活性化ＴＲＳは前記第１ＴＲＳを含む、請求項１３〜１８のいずれか一項に記載の機器。
【請求項２０】
前記第１構成情報が前記複数のＴＲＳの前記構成を含むとき、前記複数のＴＲＳの各々は第１フィールドを含み、前記第１フィールドは、前記ＴＲＳが活性化ＴＲＳであることを示すために使用される、請求項１３〜１９のいずれか一項に記載の機器。
【請求項２１】
前記通信ユニットは、活性化コマンドを受信するよう更に構成され、前記活性化コマンドは、前記少なくとも１つのＴＣＩ状態の中の第２ＴＣＩ状態を活性化するために使用され、
前記処理ユニットは、前記活性化コマンドに基づき、前記第２ＴＣＩ状態を決定するよう更に構成され、
前記処理ユニットは、前記第２ＴＣＩ状態に基づき、前記第２ＴＣＩ状態に対応する活性化第２ＴＲＳセットを決定するよう更に構成され、前記第２ＴＲＳセットは、第２チャネルのＱＣＬパラメータを決定するために使用され、
前記通信ユニットは、第２構成情報を受信するよう更に構成され、前記第２構成情報は、前記第２チャネルの少なくとも１つのＴＣＩ状態を含み、
前記処理ユニットは、第３ＴＲＳに含まれる複数のＣＳＩ−ＲＳリソースの中の第３ＣＳＩ−ＲＳリソース、前記第２チャネルの前記少なくとも１つのＴＣＩ状態の中の第３ＴＣＩ状態、及び前記ＳＳＢのうちの１つ以上に基づき、前記第２チャネルの前記ＱＣＬパラメータを決定するよう更に構成され、前記第２ＴＲＳセットは前記第３ＴＲＳを含み、
前記通信ユニットは、前記第２チャネルの前記ＱＣＬパラメータに基づき、前記第２チャネルを受信するよう更に構成される、
請求項１３〜２０のいずれか一項に記載の機器。
【請求項２２】
通信機器であって、
第１構成情報を送信するよう構成される通信ユニットであって、前記第１構成情報は、少なくとも１つの送信構成指示ＴＣＩ状態、及び第１チャネルの追跡参照信号ＴＲＳの構成を含み、前記ＴＲＳは、複数のチャネル状態情報参照信号ＣＳＩ−ＲＳリソースを含むセットである、通信ユニットを含み、
前記通信ユニットは、前記第１チャネルの第１送信ビームを用いて、前記第１チャネルを送信するよう更に構成される、機器。
【請求項２３】
前記構成情報が複数のＴＲＳの構成を含むとき、前記通信ユニットは、
指示情報を送信するよう更に構成され、前記指示情報は、前記複数のＴＲＳのうちの１つ以上が活性化ＴＲＳであることを示すために使用される、請求項２２に記載の機器。
【請求項２４】
前記構成情報が前記複数のＴＲＳの前記構成を含むとき、前記複数のＴＲＳの各々は第１フィールドを含み、前記第１フィールドは、前記ＴＲＳが活性化ＴＲＳであることを示すために使用される、請求項２２又は２３に記載の機器。
【請求項２５】
コンピュータプログラムを含むコンピュータ可読媒体であって、前記コンピュータプログラムがコンピュータ上で実行されると、前記コンピュータは、請求項１〜１２のいずれか一項に記載の方法を実行可能にされる、コンピュータ可読媒体。
【発明の詳細な説明】
【技術分野】
【０００１】
［関連出願］
本願は、参照により全体がここに組み込まれる、中国特許出願番号２０１８１０９４３４８６.０号、中国特許庁に２０１８年８月１７日に出願、名称「SIGNAL  TRANSMISSION  METHOD  AND  COMMUNICATIONS  APPARATUS」の優先権を主張する。
【０００２】
［技術分野］
本願は、通信分野に関し、より具体的には、信号伝送方法及び通信機器に関する。
【背景技術】
【０００３】
ビーム（beam）に基づく通信は、より高いアンテナ利得をもたらすことができる。特に、高周波数通信環境では、ビームに基づく通信は、高周波数信号の急速な減衰を克服できる。ネットワーク装置及び端末は、ビームトレーニングを通じて、送信ビームと受信ビームとの間のペアリング関係を取得し得る。端末装置は、ペアリング関係、及びネットワーク装置により動的に示される伝送構成指示（transmission  configuration  indication,  TCI）状態に基づき、受信ビームを決定し得る。
【０００４】
ネットワーク装置が、信号により使用されるＴＣＩ状態を受信するよう端末装置に明示的に示す前に、ネットワーク装置は、端末装置に、端末装置の全ての利用可能なＴＣＩ状態を通知する。端末装置は、疑似コロケーション（quasi-co-location,  QCL）推測を実行する必要がある。端末装置が、ネットワーク装置により明示的に示されるＴＣＩ状態を受信し及びビーム上の信号を受信する前に、ＱＣＬ推測を通じて、端末装置は、信号を受信するために使用される該ビームに関する情報を決定する。しかしながら、端末装置の現在のＱＣＬ推測処理では、初期アクセス処理における同期信号及びＰＢＣＨブロック（synchronous  signal/PBCH  block,  SSB）は、規定ＱＣＬ参照として使用される。つまり、ＳＳＢを送信するためのアンテナポートのパラメータが、信号を受信するためのアンテナポートのパラメータを決定するために使用されて、該信号を受信するために使用されるビームを決定する。従って、信号を受信するために決定されたビームは不正確であり、信号受信及び復調が深刻に影響される。
【発明の概要】
【０００５】
本願は、信号伝送方法及び通信機器を提供し、その結果、より正確なＱＣＬ参照を用いてビーム推定処理が実行できるようにする。これは、ＱＣＬ推測の精度を向上し、信号受信及び復調の効率を向上する。
【０００６】
第１の態様によると、信号伝送方法が提供される。第１の態様で提供される前記方法は、端末装置により実行されてよく、又は端末装置内に配置されたチップにより実行されてよい。これは、本願において限定されない。
【０００７】
具体的に、前記方法は、
第１構成情報を送信するステップであって、前記第１構成情報は、少なくとも１つの送信構成指示ＴＣＩ状態、及び前記第１チャネルの追跡参照信号ＴＲＳの構成を含み、前記ＴＲＳは、複数のチャネル状態情報参照信号ＣＳＩ−ＲＳリソースを含むセットであり、第１ＣＳＩ−ＲＳリソースは、第１ＴＲＳに含まれる複数のＣＳＩ−ＲＳリソースのうちの任意の１つであってよい、ステップ、を含む。代替として、前記第１ＣＳＩ−ＲＳリソースは、前記第１ＴＲＳに含まれる前記複数のＣＳＩ−ＲＳリソースの中の最小番号又は最大番号を有するＣＳＩ−ＲＳリソースであってよく、前記第１構成情報は、複数のＴＲＳの構成を含み、又は１つのＴＲＳの構成を含んでよい。前記端末装置は前記ＴＲＳを受信する。前記端末装置は、前記ＴＲＳの中の前記第１ＴＲＳに含まれる前記複数のＣＳＩ−ＲＳリソースの中の前記第１ＣＳＩ−ＲＳリソース、前記少なくとも１つのＴＣＩ状態の中の第１ＴＣＩ状態、並びに同期信号及びＰＢＣＨブロックＳＳＢ、のうちの１つ以上に基づき、前記第１チャネルの疑似コロケーションＱＣＬパラメータを決定し、前記第１チャネルの前記ＱＣＬパラメータは、前記第１チャネルの受信ビームに関する情報を含んでよい。前記第１チャネルの前記ＱＣＬパラメータが決定されることは、前記第１チャネルの第１受信ビームが決定されることを意味する。前記端末装置は、前記第１チャネルの前記ＱＣＬパラメータに基づき、前記第１チャネルを受信する。つまり、前記第１チャネルは、前記第１チャネルの前記第１受信ビーム上で受信される。
【０００８】
第１の態様で提供される信号受信方法によると、前記端末装置が、前記第１チャネルの複数のＴＣＩ状態に固有の活性化コマンドを受信する前に、ＱＣＬ推測を実行する処理において、前記ＴＲＳ、前記ＳＳＢ、又は前記複数のＴＣＩ状態の中の前記第１ＴＣＩ状態は、前記第１チャネルの規定ＱＣＬ参照としてＳＳＢのみを使用する代わりに、前記第１チャネルの規定ＱＣＬ参照として使用されてよい。この方法では、前記端末装置は、より正確なＱＣＬ参照を用いてビーム推定処理を実行できる。これは、前記ＱＣＬ推測の精度を向上し、前記第１チャネルの受信及び復調の効率を向上する。これは、通信効率及びユーザ経験を更に向上する。
【０００９】
第１の態様の可能な実装では、前記第１構成情報が初期無線リソース制御ＲＲＣ内で運ばれるとき、それは、前記第１構成情報が受信される時点と、初期アクセスが完了した時点との間の間隔が、それほど長くないことを示す。従って、前記端末装置が、第１ＣＳＩ−ＲＳリソース、第１ＴＣＩ状態、及びＳＳＢのうちの１つ以上に基づき、前記第１チャネルのＱＣＬパラメータを決定することは、
前記ＳＳＢ又は前記第１ＴＣＩ状態に基づき、前記第１チャネルの前記ＱＣＬパラメータを決定し、前記第１ＴＣＩ状態は、前記少なくとも１つのＴＣＩ状態の中で最小ＴＣＩ状態番号を有するＴＣＩ状態であり、前記ＳＳＢは、初期アクセス処理におけるＳＳＢである、ことを含む。本実装では、前記第１チャネルの前記ＱＣＬパラメータは、前記初期ネットワークアクセス処理におけるＳＳＢ又は前記第１ＴＣＩ状態に基づき決定され、その結果、前記第１チャネルの前記ＱＣＬパラメータを決定する時間期間は短縮でき、前記第１チャネルの前記決定されたＱＣＬパラメータの精度も比較的高くなる。これは、前記端末装置により前記第１チャネルを受信する精度を更に向上する。
【００１０】
第１の態様の可能な実装では、前記第１構成情報が、初期アクセス処理の後に取得される無線リソース制御ＲＲＣ再構成の中で運ばれるとき、それは、前記第１構成情報の受信された時点と初期アクセスの完了した時点との間の間隔が比較的長いことを示し、前記ＲＲＣ再構成は、前記端末装置がネットワークに最初にアクセスした後、初期ＲＲＣの後に受信されるＲＲＣ構成として理解されてよい。従って、前記第１ＣＳＩ−ＲＳリソース、第１ＴＣＩ状態、及びＳＳＢのうちの１つ以上に基づき、前記第１チャネルのＱＣＬパラメータを決定する前記ステップは、前記第１ＣＳＩ−ＲＳリソースに基づき、前記第１チャネルの前記ＱＣＬパラメータを決定するステップを含む。本実装では、前記第１構成情報が前記ＲＲＣ再構成の中で運ばれるとき、前記第１チャネルの前記ＱＣＬパラメータは、前記第１ＣＳＩ−ＲＳリソースに基づき決定される。これは、前記第１チャネルの前記決定されたＱＣＬパラメータの精度を向上できる。これは、前記端末装置により前記第１チャネルを受信する精度を更に向上する。
【００１１】
第１の態様の可能な実装では、前記第１構成情報が受信される前に、ランダムアクセス処理が完了している場合、それは、前記端末装置が前記ＱＣＬ推測を実行した時点と、ランダムアクセスが完了した時点との間の間隔が、長くないことを示す。従って、前記端末装置が、前記第１ＣＳＩ−ＲＳリソース、第１ＴＣＩ状態、及びＳＳＢのうちの１つ以上に基づき、前記第１チャネルのＱＣＬパラメータを決定することは、前記ＳＳＢに基づき、前記第１チャネルの前記ＱＣＬパラメータを決定することを含み、前記ＳＳＢは前記ランダムアクセス処理におけるＳＳＢである。本実装では、前記第１構成情報が受信される前に、前記ランダムアクセス処理が完了しているとき、前記第１チャネルの前記ＱＣＬパラメータは、前記ランダムアクセス処理における前記ＳＳＢに基づき決定され、その結果、前記第１チャネルの前記ＱＣＬパラメータを決定する時間期間は短縮でき、前記第１チャネルの前記決定されたＱＣＬパラメータの精度も比較的高くなる。これは、前記端末装置により前記第１チャネルを受信する精度を更に向上する。
【００１２】
任意的に、時間長Ｘは、プロトコルで予め定められ、又はネットワーク装置により通知されてよい。前記端末装置が、前記第１構成情報の受信される時点の前の前記長さＸの時間期間内に前記ランダムアクセス処理を実行した場合、前記端末装置は、前記ランダムアクセス処理において使用された前記ＳＳＢ及び／又はＣＳＩ−ＲＳに基づき、前記第１チャネルの前記ＱＣＬパラメータを決定してよい。前記時間長Ｘの時間単位は、限定ではないが、シンボル時間、スロット、サブフレーム、フレーム、又はミリ秒を含んでよい。
【００１３】
第１の態様の可能な実装では、前記第１構成情報が受信される前に、ランダムアクセス処理が完了していないとき、前記第１ＣＳＩ−ＲＳリソース、第１ＴＣＩ状態、及びＳＳＢのうちの１つ以上に基づき、前記第１チャネルのＱＣＬパラメータを決定する前記ステップは、前記第１ＣＳＩ−ＲＳリソースに基づき、前記第１チャネルの前記ＱＣＬパラメータを決定するステップを含む。本実装では、前記第１構成情報を受信する前に、前記端末装置が前記ランダムアクセス処理を完了していないとき、前記端末装置は、前記第１ＣＳＩ−ＲＳリソースに基づき、前記第１チャネルの前記ＱＣＬパラメータを決定する。これは、前記第１チャネルの前記決定されたＱＣＬパラメータの精度を向上できる。これは、前記端末装置により前記第１チャネルを受信する精度を更に向上する。
【００１４】
任意的に、時間長Ｘは、プロトコルで予め定められ、又はネットワーク装置により通知されてよい。前記端末装置が、前記第１構成情報の受信される時点の前の前記長さＸの時間期間内に前記ランダムアクセス処理を実行していない場合、前記端末装置は、前記第１ＣＳＩ−ＲＳリソースに基づき、前記第１チャネルの前記ＱＣＬパラメータを決定する。
【００１５】
第１の態様の可能な実装では、前記第１構成情報が複数のＴＲＳの構成を含むとき、
前記第１ＴＲＳは、前記複数のＴＲＳの中の最小番号を有するＴＲＳであるか、又は、
前記第１ＴＲＳは、前記複数のＴＲＳを受信する際に、前記第１チャネルのＱＣＬ参照が決定された時点から最短時間間隔を有するＴＲＳであるか、又は、
前記第１ＴＲＳは、前記複数のＴＲＳの測定において、前記第１チャネルのＱＣＬ参照が決定された時点から最短時間間隔を有するＴＲＳである。
【００１６】
第１の態様の可能な実装では、前記第１構成情報が前記複数のＴＲＳの前記構成を含むとき、前記方法は、
指示情報を受信するステップであって、前記指示情報は、前記複数のＴＲＳのうちの１つ以上が活性化ＴＲＳであることを示すために使用され、前記活性化ＴＲＳは前記第１ＴＲＳを含む、ステップを更に含む。前記端末装置がＴＲＳを受信する後の処理において、前記端末装置は、前記指示情報に基づき、前記活性化ＴＲＳのみを追跡すればよい。本実装では、前記端末装置は、全ての構成されたＴＲＳを検出しないようにでき、前記端末装置のリソース消費は削減され、前記端末装置による前記第１ＴＲＳを決定する効率及び精度が向上し、通信効率が向上する。
【００１７】
任意的に、前記ネットワーク装置により送信された活性化指示を受信する前に、前記端末装置は、前記第１構成情報の中で構成される前記複数のＴＲＳを追跡する必要がない。
【００１８】
任意的に、前記ネットワーク装置により送信された活性化指示を受信する前に、前記端末装置は、前記第１構成情報の中で構成される前記複数のＴＲＳを追跡する必要がある。前記活性化指示を受信した後に、前記端末は、前記活性化ＴＲＳのみを追跡すればよい。
【００１９】
任意的に、前記指示情報は、ビットマップ（bitmap）として示されてよい。
【００２０】
第１の態様の可能な実装では、前記第１構成情報が前記複数のＴＲＳの前記構成を含むとき、前記複数のＴＲＳの各々は第１フィールドを含み、前記第１フィールドは、前記ＴＲＳが活性化ＴＲＳであることを示すために使用される。これは、前記端末装置のリソース消費を削減し、前記端末装置による前記第１ＴＲＳを決定する効率及び精度を向上し、通信効率を向上する。
【００２１】
任意的に、前記ＴＲＳはＣＳＩ−ＲＳ  ｒｅｓｏｕｒｃｅ  ｓｅｔであり、前記ＣＳＩ−ＲＳ  ｒｅｓｏｕｒｃｅ  ｓｅｔはｔｒｓ−Ｉｎｆｏフィールドを含むので、前記第１フィールドは１ビットのｔｒｓ−Ｉｎｆｏの変化情報であってよい。例えば、前記第１フィールドが１であるとき、それは、前記ＣＳＩ−ＲＳ  ｒｅｓｏｕｒｃｅ  ｓｅｔが活性化ＴＲＳであることを示し、前記第１フィールドが０であるとき、それは、前記ＣＳＩ−ＲＳ  ｒｅｓｏｕｒｃｅ  ｓｅｔが非活性化ＴＲＳであることを示す。
【００２２】
第１の態様の可能な実装では、前記第１ＣＳＩ−ＲＳリソースに基づき、前記第１チャネルの前記ＱＣＬパラメータを決定する前記ステップは、前記第１ＣＳＩ−ＲＳリソースに対応するＴＣＩ状態に含まれる参照信号リソースに基づき、前記第１チャネルの前記ＱＣＬパラメータを決定するステップを含む。
【００２３】
第１の態様の可能な実装では、前記ＴＲＳの前記構成は、前記ＴＲＳに対応する成分搬送波ＣＣ又は帯域幅部分ＢＷＰに関する情報を含む。
【００２４】
第１の態様の可能な実装では、前記方法は、活性化コマンドを受信するステップであって、前記活性化コマンドは、前記少なくとも１つのＴＣＩ状態の中の第２ＴＣＩ状態を活性化するために使用される、ステップと、
前記活性化コマンドに基づき、前記第２ＴＣＩ状態を決定するステップと、
前記第２ＴＣＩ状態に基づき、前記第１チャネルの第２受信ビームを決定するステップと、
前記第１チャネルの前記第２受信ビームを用いて前記第１チャネルを受信するステップと、を更に含む。
【００２５】
任意的に、前記活性化コマンドはＭＡＣ−ＣＥである。
【００２６】
任意的に、ＴＲＳが活性化されるとき、前記活性化ＴＲＳのＱＣＬ参照も示されてよい。前記ＴＲＳはＣＳＩ−ＲＳ  ｒｅｓｏｕｒｃｅ  ｓｅｔであるので、前記ＴＲＳが活性化されると、前記ＣＳＩ−ＲＳ  ｒｅｓｏｕｒｃｅ  ｓｅｔ内の各ＣＳＩ−ＲＳリソースのＴＣＩ状態は、指示を用いて活性化されてよい。
【００２７】
第１の態様の可能な実装では、前記方法は、
前記第２ＴＣＩ状態に基づき、前記第２ＴＣＩ状態に対応する活性化第２ＴＲＳセットを決定するステップであって、前記第２ＴＲＳセットは、第２チャネルのＱＣＬパラメータを決定するために使用される、ステップと、
第２構成情報を受信するステップであって、前記第２構成情報は、前記第２チャネルの少なくとも１つのＴＣＩ状態を含む、ステップと、
第３ＴＲＳに含まれる複数のＣＳＩ−ＲＳリソースの中の第３ＣＳＩ−ＲＳリソース、前記第２チャネルの前記少なくとも１つのＴＣＩ状態の中の第３ＴＣＩ状態、及び前記ＳＳＢのうちの１つ以上に基づき、前記第２チャネルの前記ＱＣＬパラメータを決定するステップであって、前記第２ＴＲＳセットは前記第３ＴＲＳを含む、ステップと、
前記第２チャネルの前記ＱＣＬパラメータに基づき、前記第２チャネルを受信するステップと、
を更に含む。本実装では、前記端末装置が、前記第２チャネルを受信する必要のあるとき、前記第１チャネルの前記ＴＣＩ状態の前記活性化コマンドに基づき決定された前記ＴＲＳは、前記第２チャネルを受信するためのＱＣＬ参照として依然として使用されてよく、又は、前記第２チャネルの前記少なくとも１つのＴＣＩ状態の中の前記第３ＴＣＩ状態は、前記第２チャネルを受信するためのＱＣＬ参照として使用され、又は、前記ＳＳＢは、前記第２チャネルを受信するためのＱＣＬ参照として使用される。これは、ＱＣＬ推測の精度を向上でき、その結果、前記端末装置は、より正確なビーム上で前記第２チャネルを受信し、前記第２チャネルの受信及び復調の効率を向上する。前記第１チャネルの前記ＴＣＩ状態の前記活性化コマンドに基づき前に決定された前記ＴＲＳが使用されるので、前記第２構成情報は、前記ＴＲＳの構成情報を含まなくてよく、それにより、シグナリングオーバヘッド及びリソースの浪費を削減し、更にリソースを節約する。これは、通信効率及びユーザ経験を向上する。
【００２８】
任意的に、前記端末装置は、前記活性化コマンドを用いて活性化された前記第２ＴＣＩ状態に基づき、前記活性化ＴＲＳを追跡する。本実装では、ＴＣＩは、前記活性化ＴＲＳのために明示的に構成されなくてよく、又は前記活性化ＴＲＳのために構成されたＴＣＩは、活性化ＴＣＩ状態により置き換えられる。前記ＴＲＳは、ＣＳＩ−ＲＳ  ｒｅｓｏｕｒｃｅ  ｓｅｔであり、つまり、ＴＣＩは前記活性化ＣＳＩ−ＲＳ  ｒｅｓｏｕｒｃｅ  ｓｅｔの中のＣＳＩ−ＲＳリソースについて明示的に構成されない、又は前記ＣＳＩ−ＲＳリソースのために構成されたＴＣＩは活性化ＴＣＩ状態により置き換えられる。８個のＴＣＩ状態が活性化された場合、前記８個のＴＣＩ状態は、それぞれ、所定のシーケンスで、例えばＴＣＩ番号の昇順又は降順で、８個のＴＲＳのＱＣＬ参照として使用されてよい。
【００２９】
任意的に、前記端末装置は、前記ネットワーク装置に、前記端末装置によりサポートされる最大活性化ＴＣＩ状態数及び最大活性化ＴＲＳ数をフィードバックしてよい。最大活性化ＴＣＩ状態数は、最大活性化ＴＲＳ数より小さい又は等しい必要がある。この方法では、各活性化ＴＣＩ（ビーム）が、時間−周波数追跡機能のために対応するＴＲＳを有することができることを保証できる。
【００３０】
第１の態様の可能な実装では、前記方法は、更に以下を含む。前記端末装置は、第２構成情報を受信し、前記第２構成情報は、第２チャネルの少なくとも１つのＴＣＩ状態を含み、前記端末装置は、第３ＴＲＳに含まれる複数のＣＳＩ−ＲＳリソースの中の第３ＣＳＩ−ＲＳリソース、前記第２チャネルの前記少なくとも１つのＴＣＩ状態の中の第３ＴＣＩ状態、及び前記ＳＳＢのうちの１つ以上に基づき、前記第２チャネルのＱＣＬパラメータを決定し、第２ＴＲＳセットは前記第３ＴＲＳを含み、前記端末装置は、前記第２チャネルの前記ＱＣＬパラメータに基づき、前記第２チャネルの第１受信ビームを決定し、前記第２チャネルの前記第１受信ビーム上で前記第２チャネルを受信する。
【００３１】
第１の態様の可能な実装では、前記第１チャネル及び／又は前記第２チャネルは、物理ダウンリンク制御チャネルＰＤＣＣＨ又は物理ダウンリンク共有チャネルＰＤＳＣＨである。
【００３２】
任意的に、前記端末装置は、前述の方法と同様の方法を用いて別のダウンリンク信号の規定ＱＣＬ参照を更に決定してよい。例えば、ダウンリンク信号は、ＣＳＩ−ＲＳであってよい。例えば、前記端末装置は、ＴＲＳ、ＳＳＢ、又は前記ＣＳＩ−ＲＳの複数のＴＣＩ状態の中の第１ＴＣＩ状態を、前記ＣＳＩ−ＲＳの規定ＱＣＬ参照として使用する。前記ダウンリンク信号は、代替として、別のダウンリンク信号であってよい。
【００３３】
任意的に、前記端末装置は、前述の方法と同様の方法を用いてアップリンク信号又はアップリンクチャネルの規定ＱＣＬ参照を更に決定してよい。例えば、前記端末装置は、ＴＲＳ、ＳＳＢ、又は複数のＴＣＩ状態の中の第１ＴＣＩ状態を、前記アップリンク信号又は前記アップリンクチャネルの規定送信ビーム参照として使用してよい。前記アップリンク信号はＳＲＳであってよく、前記アップリンクチャネルはＰＵＣＣＨ又はＰＵＳＣＨであってよい。例えば、前記端末装置は、ＴＲＳ、ＳＳＢ、又は複数のＴＣＩ状態の中の第１ＴＣＩ状態を、前記ＳＲＳの規定送信ビーム参照として使用してよい。
【００３４】
第２の態様によると、信号伝送方法が提供される。第２の態様で提供される前記方法は、ネットワーク装置により実行されてよく、又はネットワーク装置内に配置されたチップにより実行されてよい。これは、本願において限定されない。
【００３５】
具体的に、前記方法は、
第１構成情報を送信するステップであって、前記第１構成情報は、少なくとも１つの送信構成指示ＴＣＩ状態、及び前記第１チャネルの追跡参照信号ＴＲＳの構成を含み、前記ＴＲＳは、複数のチャネル状態情報参照信号ＣＳＩ−ＲＳリソースを含むセットである、ステップと、
前記第１チャネルの第１送信ビームを用いて、前記第１チャネルを送信するステップと、
を含む。第１ＣＳＩ−ＲＳリソースは、第１ＴＲＳに含まれる複数のＣＳＩ−ＲＳリソースのうちの任意の１つであってよい。代替として、前記第１ＣＳＩ−ＲＳリソースは、前記第１ＴＲＳに含まれる前記複数のＣＳＩ−ＲＳリソースの中の最小番号又は最大番号を有するＣＳＩ−ＲＳリソースであってよく、前記第１構成情報は、複数のＴＲＳの構成を含み、又は１つのＴＲＳの構成を含んでよい。
【００３６】
第２の態様で提供される信号伝送方法によると、より正確なＱＣＬ参照を用いてビーム推定処理が実行できる。これは、ＱＣＬ推測の精度を向上し、信号受信及び復調の効率を向上する。
【００３７】
第２の態様の可能な実装では、前記構成情報が前記複数のＴＲＳの前記構成を含むとき、前記方法は、
指示情報を送信するステップであって、前記指示情報は、前記複数のＴＲＳのうちの１つ以上が活性化ＴＲＳであることを示すために使用される、ステップを更に含む。
【００３８】
第２の態様の可能な実装では、前記構成情報が前記複数のＴＲＳの前記構成を含むとき、前記複数のＴＲＳの各々は第１フィールドを含み、前記第１フィールドは、前記ＴＲＳが活性化ＴＲＳであることを示すために使用される。
【００３９】
第２の態様の可能な実装では、前記ＴＲＳの前記構成は、前記ＴＲＳに対応する成分搬送波ＣＣ又は帯域幅部分ＢＷＰに関する情報を含む。
【００４０】
第３の態様によると、信号伝送方法が提供される。第３の態様で提供される前記方法は、ネットワーク装置により実行されてよく、又はネットワーク装置内に配置されたチップにより実行されてよい。これは、本願において限定されない。前記方法は、
同期信号及びＰＢＣＨブロックＳＳＢの時間ドメイン位置を決定するステップと、
２つの隣接するＳＳＢの時間ドメイン位置が、第１追跡参照信号ＴＲＳに含まれる複数のチャネル状態情報参照信号ＣＳＩ−ＲＳの時間ドメイン位置と重なるとき、第１時間ドメイン位置で、前記第１ＴＲＳに含まれる前記複数のＣＳＩ−ＲＳを送信するステップと、
を含み、その結果、前記複数のＣＳＩ−ＲＳは同じ疑似コロケーションＱＣＬ情報に対応し、前記２つの隣接するＳＳＢは異なるＱＣＬ情報に対応し、前記第１ＴＲＳは、複数のチャネル状態情報参照信号ＣＳＩ−ＲＳリソースを含むセットである。
【００４１】
第３の態様で提供される信号伝送方法によると、前記ＴＲＳの送信と前記ＳＳＢの送信との間の衝突の問題が回避でき、前記ＴＲＳの送信及び前記ＳＳＢの送信の信頼性が保証され、通信効率が向上する。
【００４２】
第３の態様の可能な実装では、前記第１時間ドメイン位置は、第２シンボル及び第５シンボル、又は第４シンボル及び第７シンボル、又は第６シンボル及び第９シンボル、又は第８シンボル及び第１１シンボルを含む。
【００４３】
第２の態様の可能な実装では、前記第１時間ドメイン位置は、前記２つの隣接するＳＳＢの前記時間ドメイン位置と重ならない。
【００４４】
第４の態様によると、通信機器が提供される。通信機器は、第１の態様又は第１の態様の可能な実装のうちのいずれか１つの方法を実行するよう構成されるユニットを含む。前記通信機器に含まれる前記ユニットは、ソフトウェア及び／又はハードウェアにより実装されてよい。
【００４５】
第５の態様によると、通信機器が提供される。前記通信機器は、第２の態様又は第２の態様の可能な実装のうちのいずれか１つの方法を実行するよう構成されるユニットを含む。前記通信機器に含まれる前記ユニットは、ソフトウェア及び／又はハードウェアにより実装されてよい。
【００４６】
第６の態様によると、通信装置が提供される。前記通信機器は、少なくとも１つのプロセッサと、通信インタフェースと、を含む。前記通信インタフェースは、前記通信装置により、別の通信装置と情報を交換するために使用され、プログラム命令が前記少なくとも１つのプロセッサで実行されると、第１の態様又は第１の態様の可能な実装のうちのいずれか１つによる方法が実施される。
【００４７】
任意で、通信装置は、メモリを更に含んでよい。メモリは、プログラム及びデータを格納するよう構成される。
【００４８】
任意で、前記通信装置は、端末装置であってよい。
【００４９】
第７の態様によると、通信装置が提供される。前記通信装置は、少なくとも１つのプロセッサと、通信インタフェースと、を含む。前記通信インタフェースは、前記通信装置により、別の通信装置と情報を交換するために使用され、プログラム命令が前記少なくとも１つのプロセッサで実行されると、第２の態様又は第２の態様の可能な実装のうちのいずれか１つによる方法が実施される。
【００５０】
任意で、通信装置は、メモリを更に含んでよい。メモリは、プログラム及びデータを格納するよう構成される。
【００５１】
任意で、前記通信装置は、ネットワーク装置であってよい。
【００５２】
第８の態様によると、通信機器が提供される。前記通信機器は、第３の態様又は第３の態様の可能な実装のうちのいずれか１つの方法を実行するよう構成されるユニットを含む。前記通信機器に含まれる前記ユニットは、ソフトウェア及び／又はハードウェアにより実装されてよい。
【００５３】
第９の態様によると、通信装置が提供される。前記通信装置は、少なくとも１つのプロセッサと、通信インタフェースと、を含む。前記通信インタフェースは、前記通信装置により、別の通信装置と情報を交換するために使用され、プログラム命令が前記少なくとも１つのプロセッサで実行されると、第３の態様又は第３の態様の可能な実装のうちのいずれか１つによる方法が実施される。
【００５４】
任意で、通信装置は、メモリを更に含んでよい。メモリは、プログラム及びデータを格納するよう構成される。
【００５５】
任意で、前記通信装置は、ネットワーク装置であってよい。
【００５６】
第１０の態様によると、コンピュータ可読記憶媒体が提供される。前記コンプータ可読記憶媒体は、通信装置により実行されるためのプログラムコードを格納する。前記プログラムコードは、前述の態様又は前述の態様の可能な実装のうちのいずれか１つの方法を実行するために使用される命令を含む。
【００５７】
例えば、コンピュータ可読記憶媒体は、端末装置により実行されるプログラムコードを格納してよく、該プログラムコードは、第１の態様又は第１の態様の実装のうちのいずれか１つの方法を実行するために使用される命令を含む。
【００５８】
例えば、コンピュータ可読記憶媒体は、ネットワーク装置により実行されるプログラムコードを格納してよく、該プログラムコードは、第２の態様又は第２の態様の実装のうちのいずれか１つの方法を実行するために使用される命令を含む。
【００５９】
第１１の態様によると、本願は、命令を含むコンピュータプログラムプロダクトを提供する。コンピュータプログラムプロダクトが通信装置上で実行されると、該通信装置は、前述の態様又は前述の態様の可能な実装のうちのいずれか１つの方法を実行可能にされる。
【００６０】
例えば、コンピュータプログラムプロダクトが端末装置上で実行されると、該端末装置は、第１の態様又は第１の態様の可能な実装のうちのいずれか１つの方法を実行可能にされる。
【００６１】
例えば、コンピュータプログラムプロダクトがネットワーク装置上で実行されると、該ネットワーク装置は、第２の態様又は第２の態様の可能な実装のうちのいずれか１つの方法を実行可能にされる。
【００６２】
例えば、コンピュータプログラムプロダクトがネットワーク装置上で実行されると、該ネットワーク装置は、第３の態様又は第３の態様の可能な実装のうちのいずれか１つの方法を実行可能にされる。
【００６３】
第１２の態様によると、本願は、システムチップを提供する。前記システムチップは、入力／出力インタフェースと、少なくとも１つのプロセッサと、を含み、前記少なくとも１つのプロセッサは、メモリ内の命令を呼び出し、前述の態様又は前述の態様の可能な実装のうちのいずれか１つによる方法の動作を実行するよう構成される。
【００６４】
任意的に、前記システムチップは、少なくとも１つもメモリとバスとを更に含んでよく、前記少なくとも１つのメモリは、前記プロセッサにより実行される前記命令を格納するよう構成される。
【００６５】
第１３の態様によると、通信システムが提供される。前記システムは、前述のネットワーク装置及び端末装置を含む。
【図面の簡単な説明】
【００６６】
【図１】本願の一実施形態による信号伝送方法に適用可能な通信システムの概略図である。
【００６７】
【図２】本願の一実施形態による信号伝送方法の概略フローチャートである。
【００６８】
【図３】本願の別の実施形態による信号伝送方法の概略フローチャートである。
【００６９】
【図４】本願の別の実施形態による信号伝送方法の概略フローチャートである。
【００７０】
【図５】本願の更に別の実施形態による信号伝送方法の概略フローチャートである。
【００７１】
【図６】本願の別の実施形態による信号伝送方法の概略フローチャートである。
【００７２】
【図７】本願の更に別の実施形態による信号伝送方法の概略フローチャートである。
【００７３】
【図８Ａ】本願の別の実施形態による信号伝送方法の概略フローチャートである。
【図８Ｂ】本願の別の実施形態による信号伝送方法の概略フローチャートである。
【００７４】
【図９Ａ】本願の更に別の実施形態による信号伝送方法の概略フローチャートである。
【図９Ｂ】本願の更に別の実施形態による信号伝送方法の概略フローチャートである。
【００７５】
【図１０】ＭＡＣ−ＣＥのフォーマットの概略図である。
【００７６】
【図１１】ＴＲＳの時間ドメイン位置及びＳＳＢの時間ドメイン位置の概略図である。
【００７７】
【図１２】本願の一実施形態による信号伝送方法の概略フローチャートである。
【００７８】
【図１３】本願の一実施形態による通信機器の概略ブロック図である。
【００７９】
【図１４】本願の別の実施形態による通信機器の概略ブロック図である。
【００８０】
【図１５】本願の更に別の実施形態による通信機器の概略ブロック図である。
【００８１】
【図１６】本願の別の実施形態による通信機器の概略ブロック図である。
【００８２】
【図１７】本願の更に別の実施形態による通信機器の概略ブロック図である。
【００８３】
【図１８】本願の更に別の実施形態による通信機器の概略ブロック図である。
【００８４】
【図１９】本願の一実施形態による端末装置の概略構造図である。
【００８５】
【図２０】本願の一実施形態によるネットワーク装置の概略構造図である。
【発明を実施するための形態】
【００８６】
以下は、添付の図面を参照して、本願の技術的ソリューションを説明する。
【００８７】
本願の実施形態の技術的ソリューションは、種々の通信システム、例えば、グローバルシステムフォーモバイルコミュニケーションズ（global  system  for  mobile  communications,  GSM）システム、符号分割多元接続（code  division  multiple  access,  CDMA）システム、広帯域符号分割多元接続（wideband  code  division  multiple  access,  WCDMA）システム、汎用パケット無線サービス（general  packet  radio  service,  GPRS）、ロングタームエボリューション（long  term  evolution,  LTE）システム、ＬＴＥ周波数分割復信（frequency  division  duplex,  FDD）システム、ＬＴＥ時分割復信（time  division  duplex,  TDD）システム、ユニバーサルモバイルテレコミュニケーションズシステム（universal  mobile  telecommunications  system,  UMTS）、ワールドワイドインターオペラビリティフォーマイクロウェーブアクセス（worldwide  interoperability  for  microwave  access,  WiMAX）通信システム、将来の第５世代（５th  generation,  ５G）システム、又は新無線（new  radio,  NR）システムに適用されてよい。
【００８８】
本願の実施形態における端末装置は、ユーザ機器、アクセス端末、加入者ユニット、加入者局、移動局、モバイルコンソール、リモート局、リモート端末、モバイル装置、ユーザ端末、端末、無線通信装置、ユーザエージェント、又はユーザ機器であってよい。端末装置は、代替として、セルラフォン、コードレス電話機、セッション開始プロトコル（Session  Initiation  Protocol,  SIP）電話機、無線ローカルループ（Wireless  Local  Loop,  WLL）局、パーソナルデジタルアシスタント（Personal  Digital  Assistant,  PDA）、無線通信機能を備えるハンドヘルド装置、コンピューティング装置、無線モデムに接続された別の処理装置、車載装置、ウェアラブル装置、将来の５Ｇネットワークにおける端末装置、将来の進化型公衆地上モバイルネットワーク（Public  Land  Mobile  Network,  PLMN）における端末装置、等であってよい。これは、本願の実施形態において限定されない。
【００８９】
本願の実施形態におけるネットワーク装置は、端末装置と通信するよう構成される装置であってよい。ネットワーク装置は、グローバルシステムフォーモバイルコミュニケーションズ（Global  System  of  Mobile  communication,  GSM）システム又は符号分割多元接続（Code  Division  Multiple  Access,  CDMA）システムにおける基地トランシーバ局（Base  Transceiver  Station,  BTS）であってよく、又は広帯域符号分割多元接続（Wideband  Code  Division  Multiple  Access,  WCDMA）システムにおけるＮｏｄｅＢ（NodeB,  NB）であってよく、又はＬＴＥシステムにおける進化型ＮｏｄｅＢ（evolved  NodeB,  eNB又はeNodeB）であってよく、又はクラウド無線アクセスネットワーク（Cloud  Radio  Access  Network,  CRAN）シナリオにおける無線制御部であってよい。代替として、ネットワーク装置は、中継局、アクセスポイント、車載装置、ウェアラブル装置、将来の５Ｇネットワークにおけるネットワーク装置、将来の進化型ＰＬＭＮネットワークにおけるネットワーク装置、等であってよい。これは、本願の実施形態において限定されない。
【００９０】
本願の実施形態において、端末装置又はネットワーク装置は、ハードウェアレイヤ、ハードウェアレイヤ上で動作するオペレーティングシステムレイヤ、及びオペレーティングシステムレイヤ上で動作するアプリケーションレイヤを含む。ハードウェアレイヤは、中央処理ユニット（central  processing  unit,  CPU）、メモリ管理ユニット（memory  management  unit,  MMU）、又はメモリ（メインメモリとも呼ばれる）のようなハードウェアを含む。オペレーティングシステムは、プロセス（process）を用いてサービス処理を実施する、任意の１つ以上の種類のコンピュータオペレーティングシステム、例えば、Ｌｉｎｕｘオペレーティングシステム、Ｕｎｉｘオペレーティングシステム、Ａｎｄｒｏｉｄオペレーティングシステム、ｉＯＳオペレーティングシステム、又はＷｉｎｄｏｗｓオペレーティングシステムであってよい。アプリケーションレイヤは、ブラウザ、アドレス帳、文書処理ソフトウェア、及びインスタントメッセージングソフトウェアのようなアプリケーションを含む。更に、本願の実施形態で提供される方法の実行主体の特定の構造は、本願の実施形態で提供される方法のコードを記録するプログラムが本願の実施形態で提供される方法に従い通信を実行するために実行可能ならば、本願の実施形態において具体的に限定されない。例えば、本願の実施形態で提供される方法の実行主体は、端末装置又はネットワーク装置、又は端末装置若しくはネットワーク装置内でプログラムを呼び出し実行可能な機能モジュールであってよい。
【００９１】
更に、本願の態様又は特徴は、方法、機器、又は標準的なプログラミング及び／又はエンジニアリング技術を使用するプロダクトとして実装されてよい。本願において使用される用語「プロダクト」は、任意のコンピュータ可読コンポーネント、キャリア、又は媒体からアクセス可能なコンピュータプログラムを包含する。例えば、コンピュータ可読媒体は、限定ではないが、磁気記憶コンポーネント（例えば、ハードディスク、フロッピーディスク、又は磁気テープ）、光ディスク（例えば、コンパクトディスク（compact  disc,  CD）、又はデジタルバーサタイルディスク（digital  versatile  disc,  DVD））、スマートカード、及びフラッシュメモリコンポーネント（例えば、消去可能プログラマブル読み出し専用メモリ（Erasable  Programmable  Read-Only  Memory,  EPROM）、カード、スティック、又はキードライブ）を含んでよい。更に、本明細書に記載の種々の記憶媒体は、情報を格納するために構成される１つ以上の装置及び／又は他の機械可読媒体を示してよい。用語「機械可読媒体」は、限定ではないが、無線チャネル、命令及び／又はデータを格納し、含み、及び／又は運ぶことのできる種々の他の媒体を含んでよい。
【００９２】
本願の実施形態の理解を容易にするために、本願の実施形態に適用可能な通信システムは、図１を参照して詳細に説明される。
【００９３】
図１は、本願の一実施形態に適用可能な通信システム１００の概略図である。図１に示されるように、通信システム１００は、ネットワーク装置１１０及び１つ以上の端末装置１２０を含む。通信システム１００では、端末装置及びネットワーク装置は、ビーム管理処理におけるより良い通信により１つ以上のビームペアを取得してよい。ビームペアは＜Ｂｘ，Ｂ’ｘ＞及び＜Ｂｙ，Ｂ’ｙ＞である。ここで、Ｂｘはネットワーク装置の送信ビームを表し、Ｂ’ｘは端末装置の受信ビームを表し、Ｂｙは端末装置の送信ビームを表し、Ｂ’ｙはネットワーク装置の受信ビームを表す。例えば、図１を参照すると、ネットワーク装置の送信ビーム＃１及び端末装置の受信ビーム＃０はビームペアであり、ネットワーク装置の送信ビーム＃２及び端末装置の受信ビーム＃２はビームペアである。端末装置の送信ビーム＃０及びネットワーク装置の受信ビーム＃１はビームペアであり、端末装置の送信ビーム＃１及びネットワーク装置の受信ビーム＃２はビームペアである。
【００９４】
通信システム１００では、端末装置１２０及びネットワーク装置１１０のビームは、正常な通信を実行するために揃えられる必要がある。端末装置及びネットワーク装置はそれぞれ、複数のビーム方向に面することができるので、正確なビーム指示が要求されることが、通信にとって不可欠である。具体的に、ダウンリンク通信では、ネットワーク装置は、端末装置に、後にネットワーク装置により送信される信号を受信するために使用されるべき受信ビームを通知する、又は端末装置に、後に信号を送信するためにネットワーク装置により使用される送信ビームを通知する必要がある。アップリンク通信では、ネットワーク装置は、端末装置に、アップリンク信号を送信するために使用されるべき送信ビームを通知する、又は端末装置に、端末装置により送信された信号を受信するためにネットワーク装置により使用される受信ビームを通知する必要がある。例えば、ダウンリンク送信では、ネットワーク装置は、端末装置に、ネットワーク装置が送信ビーム＃１を使用して送信を実行することを通知してよい。その結果、端末装置は、受信ビーム＃０を使用して受信を実行する必要がある。代替として、ネットワーク装置は、送信ビーム＃１を使用して送信を実行し、端末装置に、受信ビーム＃０を使用して受信を実行するよう通知する。別の例では、アップリンク送信では、ネットワーク装置は、端末装置に、送信ビーム＃０を使用して送信を実行するよう通知してよい。その結果、ネットワーク装置は、受信ビーム＃１を使用して受信を実行する必要がある。代替として、ネットワーク装置は、ネットワーク装置により使用される受信ビームが受信ビーム＃０であることを通知してよい。その結果、端末装置は、送信ビーム＃０を使用して送信を実行する必要がある。
【００９５】
本願の実施形態の理解を容易にするために、以下は、本願における幾つかの用語を簡単に説明する。
【００９６】
１．ビーム：ビームは通信リソースである。ビームは、広いビーム、狭いビーム、又は別の種類のビームであってよい。ビームを成形するための技術は、ビーム成形（beamforming）技術又は別の技術的手段であってよい。ビーム成形技術は、具体的に、デジタルビーム成形技術、アナログビーム成形技術、又はハイブリッドデジタル／アナログビーム成形技術であってよい。異なるビームは、異なるリソースとして考えられてよい。同じ情報又は異なる情報が、異なるビームを使用して送信されてよい。任意的に、同じ又は類似する通信特徴を有する複数のビームは、１つのビームとして考えられてよい。１つのビームは、データチャネル、制御チャネル、サウンディング信号、等を送信するよう構成される１つ以上のアンテナポートを含んでよい。
【００９７】
ビームは、代替として、空間的リソースとして理解されてよく、エネルギ伝達方向を有する送信又は受信プリコーディングベクトルであってよい。エネルギ伝達方向は、プリコーディング処理がプリコーディングベクトルを使用して実行される、空間的位置において受信された信号が、比較的良好な受信パワーを有する、例えば受信復調信号対雑音比を満たすことを示してよい。エネルギ伝達方向は、異なる空間的位置から送信され、プリコーディングベクトルを使用して受信された同じ信号が、異なる受信パワーを有することも示してよい。同じ装置（例えば、ネットワーク装置又は端末装置）は、異なるプリコーディングベクトルを有してよく、異なる装置も、異なるプリコーディングベクトルを有してよい。具体的に言うと、異なるプリコーディングベクトルは異なるビームに対応する。装置の構成又は能力について、１つの装置が、同じ時点で複数の異なるプリコーディングベクトルのうちの１つ以上を使用してよい。言い換えると、１つ以上のビームが同時に成形されてよい。送信及び受信の観点から、ビームは送信ビーム及び受信ビームに分類できる。
【００９８】
送信ビームは、ビーム成形技術を使用してマルチアンテナにより送信される指向性ビームである。
【００９９】
受信ビームも、信号を受信する方向で指向性であり、可能な限り送信ビームの到来方向に向けられ、受信信号対雑音指示子を更に向上し、ユーザ間の干渉を回避する。
【０１００】
ビームは、空間フィルタ（spatial  filter）とも呼ばれ、又は空間フィルタ（spatial  filter）若しくは空間パラメータ（spatial  parameter）と呼ばれてよい。送信ビームは、空間送信フィルタとも呼ばれてよく、受信ビームは、空間受信フィルタとも呼ばれてよい。
【０１０１】
２．ビームペアリング関係：ビームペアリング関係は、送信ビームと受信ビームとの間のペアリング関係、つまり、空間送信フィルタと空間受信フィルタとの間のペアリング関係である。比較的大きなビーム成形利得は、ビームペアリング関係を有する送信ビームと受信ビームとの間の信号を送信することにより取得できる。
【０１０２】
一実装では、送信端及び受信端は、ビームトレーニングを通じてビームペアリング関係を取得してよい。具体的に、送信端は、ビーム掃引法で参照信号を送信してよく、受信端も、ビーム掃引法で参照信号を受信してよい。具体的に、送信端は、ビーム成形法で空間的に異なる指向性ビームを成形してよく、異なる指向性ビームを使用して参照信号を送信するために、複数の異なる指向性ビーム上でポーリングを実行してよい。その結果、送信端による参照信号の送信のパワーは、送信ビームにより指向された方向で最大値に達することができる。送信端も、ビーム成形法で空間的に異なる指向性ビームを成形してよく、異なる指向性ビームを使用して参照信号を受信するために、複数の異なる指向性ビーム上でポーリングを実行してよい。その結果、受信端による参照信号の受信のパワーは、受信ビームにより指向された方向で最大値に達することができる。
【０１０３】
３．参照信号及び参照信号リソース：参照信号は、チャネル測定、チャネル推定、等のために使用されてよい。参照信号リソースは、参照信号の送信属性、例えば、時間−周波数リソース位置、ポートマッピング関係、パワー係数、及びスクランブリングコード、を構成するために使用されてよい。詳細については、現在の技術を参照する。送信端装置は、参照信号リソースに基づき参照信号を送信してよく、受信端装置は、参照信号リソースに基づき参照信号を受信してよい。
【０１０４】
本願のチャネル測定は、ビーム測定も含む。具体的に言うと、参照信号を測定することにより、ビーム品質情報が取得され、ビーム品質を測定するために使用されるパラメータは、参照信号受信パワー（reference  signal  receiving  power,  RSRP）を含む。しかしながら、これはそれらに限定されない。例えば、ビーム品質は、代替として、参照信号受信品質（reference  signal  receiving  quality,  RSRQ）、信号対雑音比（signal-noise  ratio,  SNR）、信号対干渉及び雑音比（signal  to  interference  plus  noise  ratio,  SINR）、ブロック誤り率（block  error  rate,  BLER）、及び信号品質指示子（channel  quality  indicator,  CQI）、のようなパラメータを使用して測定されてよい。本願の実施形態では、説明を容易にするために、特に断りの無い限り、チャネル測定はビーム測定として考えられてよい。
【０１０５】
参照信号は、例えば、チャネル状態情報参照信号（channel  state  information  reference  signal,  CSI-RS）、同期信号ブロック（synchronization  signal  block,  SSB）、又はサウンディング参照信号（sounding  reference  signal,  SRS）を含んでよい。相応して、参照信号リソースは、ＣＳＩ−ＲＳリソース（CSI-RS  resource）、ＳＳＢリソース、又はＳＲＳリソース（SRS  resource）を含んでよい。
【０１０６】
留意すべきことに、前述のＳＳＢは、同期信号／物理ブロードキャストチャネルブロック（synchronization  signal/physical  broadcast  channel  block,  SS/PBCH  block）とも呼ばれてよく、対応するＳＳＢリソースは、同期信号／物理ブロードキャストチャネルブロックリソース（SS/PBCH  block  resource）とも呼ばれてよく、略してＳＳＢリソースと呼ばれてよい。
【０１０７】
異なる参照信号リソースの間で区別するために、各参照信号リソースは、参照信号リソース識別子、例えば、ＣＳＩ−ＲＳリソース識別子（CSI-RS  resource  indicator,  CRI）、ＳＳＢリソース識別子（SSB  resource  indicator,  SSBRI）、又はＳＲＳリソースインデックス（SRS  resource  index,  SRI）に対応してよい。ＳＳＢリソース識別子は、ＳＳＢ識別子（SSB  index）とも呼ばれてよい。
【０１０８】
理解されるべきことに、以上に列挙された参照信号及び対応する参照信号リソースは、説明のための単なる例であり、本願に対するいかなる限定も構成するべきではない。本願は、同じ又は類似する機能を実装するために、将来のプロトコルにおいて別の参照信号を定義する可能性を排除しない。
【０１０９】
４．ビーム指示情報：ビーム指示情報は、送信のために使用されるビームに関する情報を示すために使用される。送信のために使用されるビームは、送信ビーム及び／又は受信ビームを含む。ビーム指示情報は、以下：ビーム番号（又は番号、インデックス（index）、識別子（identity,  ID）、等）、アップリンク信号リソース番号、ダウンリンク信号リソース番号、絶対ビームインデックス、相対ビームインデックス、論理ビームインデックス、ビームに対応するアンテナポートのインデックス、ビームに対応するアンテナポートグループのインデックス、ビームに対応するダウンリンク信号のインデックス、ビームに対応するダウンリンク同期信号ブロックの時間インデックス、ビームペアリンク（beam  pair  link,  BPL）情報、ビームに対応する送信パラメータ（Tx  parameter）、ビームに対応する受信パラメータ（Rx  parameter）、ビームに対応する送信重み、ビームに対応する重み行列、ビームに対応する重みベクトル、ビームに対応する受信重み、ビームに対応する送信重みのインデックス、ビームに対応する重み行列のインデックス、ビームに対応する重みベクトルのインデックス、ビームに対応する受信重みのインデックス、ビームに対応する受信コードブック、ビームに対応する送信コードブック、ビームに対応する受信コードブックのインデックス、又はビームに対応する送信コードブックのインデックス、のうちの１つ以上であってよい。ダウンリンク信号は、以下：同期信号、ブロードキャストチャネル、ブロードキャスト信号復調信号、同期信号及びＰＢＣＨブロック（synchronous  signal/PBCH  block,  SSB）、チャネル状態情報参照信号（channel  state  information  reference  signal,  CSI-RS）、セル固有参照信号（cell-specific  reference  signal,  CS-RS）、ＵＥ固有参照信号（user  equipment  specific  reference  signal,  US-RS）、ダウンリンク制御チャネル復調参照信号（dedicated  reference  signal,  DMRS）、ダウンリンクデータチャネル復調参照信号、又はダウンリンク位相追跡参照信号、のうちの１つ以上であってよい。アップリンク信号は、以下：アップリンクランダムアクセスシーケンス、アップリンクサウンディング参照信号（sounding  reference  signal,  SRS)）、アップリンク制御チャネル復調参照信号、アップリンクデータチャネル復調参照信号、又はアップリンク位相追跡参照信号、のうちの１つ以上であってよい。
【０１１０】
ビーム指示情報は、代替として、送信構成指示（Transmission  Configuration  Index,  TCI)）又はＴＣＩ状態として表されてよい。１つのＴＣＩ状態は、１つ以上のＱＣＬ情報を含み、ＱＣＬ情報の各々は、１つの参照信号（又は１つの同期信号ブロック）のＩＤ及び１つのＱＣＬタイプを含む。例えば、端末装置は、ネットワーク装置により示されたＴＣＩ状態（これは、通常、物理ダウンリンク制御チャネル（physical  downlink  control  channel,  PDCCH)）で運ばれる）に基づき、物理ダウンリンク共有チャネル（physical  downlink  shared  channel,  PDSCH）を受信するためのビームを決定する必要があってよい。
【０１１１】
５．疑似コロケーション（quasi-co-location,  QCL）：疑似コロケーションは、疑似コロケーションとも呼ばれる。疑似コロケーション関係は、複数のリソースが１つ以上の同じ又は類似する通信特徴を有することを示すために使用される。疑似コロケーション関係を有する複数のリソースについて、同じ又は類似する通信構成が使用されてよい。詳細は以下の通りである：ＱＣＬ関係を有するアンテナポートに対応する信号は、同じパラメータを有する。或いは、アンテナポートのパラメータ（これは、ＱＣＬパラメータとも呼ばれてよい）は、該アンテナポートとＱＣＬ関係を有する別のアンテナポートのパラメータを決定するために使用されてよい。或いは、２つのアンテナポートが同じパラメータを有する。或いは、２つのアンテナポートの間のパラメータの差が閾値より小さい。パラメータは、以下：遅延スプレッド（delay  spread）、ドップラスプレッド（Doppler  spread）、ドップラシフト（Doppler  shift）、平均遅延（average  delay）、平均利得、及び空間受信パラメータ（spatial  Rx  parameter）、のうちの１つ以上を含んでよい。空間受信パラメータは、以下：入射角度（angle  of  arrival,  AOA）、平均ＡＯＡ、ＡＯＡスプレッド、出射角度（angle  of  departure,  AOD）、平均出射角度ＡＯＤ、ＡＯＤスプレッド、受信アンテナ空間相関パラメータ、送信アンテナ空間相関パラメータ、送信ビーム、受信ビーム、又はリソース識別子、のうちの１つ以上を含んでよい。
【０１１２】
ＮＲプロトコルでは、ＱＣＬ関係は、異なるパラメータに基づき以下の４種類に分類されてよい。
タイプＡ（type  A）：ドップラシフト、ドップラスプレッド、平均遅延、及び遅延スプレッド；
タイプＢ（type  B）：ドップラシフト及びドップラスプレッド；
タイプＣ（type  C）：ドップラシフト及び平均遅延；
タイプＤ（type  D）：空間受信パラメータ。
【０１１３】
６．疑似コロケーション推測（QCL  assumption）：ＱＣＬ推測は、２つのポートの間にＱＣＬ関係が存在するか否かが推測されることを意味する。疑似コロケーション推測の構成及び指示は、受信端が信号を受信し及び復調するのを助けるために使用され得る。例えば、受信端は、ポートＡとポートＢとの間にＱＣＬ関係が存在する、つまり、ポートＡで測定された、信号の大規模パラメータがポートＢにおける信号測定及び復調のために使用され得ると、推測できる。大規模パラメータは、アンテナポートのパラメータを含む。
【０１１４】
７．送信構成指示（transmission  configuration  indicator,  TCI）状態：ＴＣＩ状態は、２種類の参照信号の間のＱＣＬ関係を示すために使用されてよい。各ＴＣＩ状態は、サービングセルインデックス（Serve  Cell  Index）、帯域幅部分（bandwidth  part,  BWP）識別子（identifier,  ID）、及び参照信号リソース識別子を含んでよい。参照信号リソース識別子は、例えば、以下：非ゼロパワー（non-zero  power,  NZP）ＣＳＩ−ＲＳ参照信号リソース識別子（NZP-CSI-RS-ResourceId）、非ゼロパワーＣＳＩ−ＲＳ参照信号リソースセット識別子（NZP-CSI-RS-ResourceSetId）、又はＳＳＢインデックス（SSB-Index）、のうちの少なくとも１つであってよい。ＴＣＩ状態は、ＴＣＩ状態の識別子（TCI-StateId）を用いて区別されてよい。
【０１１５】
サービングセルインデックス、ＢＷＰ  ＩＤ、及び参照信号リソース識別子は、ビームトレーニング処理で使用される参照信号リソース、対応するサービングセル、及び対応するＢＷＰを示す。ビームトレーニング処理では、ネットワーク装置は、異なる送信ビームを使用して、異なる参照信号リソースに基づき、参照信号を送信する。従って、異なる送信ビームを使用して送信された参照信号は、異なる参照信号リソースに関連付けられてよい。端末装置は、異なる受信ビームを使用して、異なる参照信号リソースに基づき、参照信号を受信する。従って、異なる受信ビームを使用して受信された参照信号も、異なる参照信号リソースに関連付けられてよい。従って、ビームトレーニング処理では、端末装置は、サービングセルインデックス、ＢＷＰ  ＩＤ、参照信号リソース識別子、及び受信ビームの間の対応を維持してよく、ネットワーク装置は、サービングセルインデックス、ＢＷＰ  ＩＤ、参照信号リソース識別子、及び送信ビームの間の対応を維持してよい。受信ビームと送信ビームとの間のペアリング関係は、参照信号リソース識別子を用いて確立されてよい。
【０１１６】
後の通信処理では、端末装置は、ネットワーク装置により示されるＴＣＩ状態に基づき受信ビームを決定してよく、ネットワーク装置は、同じＴＣＩ状態に基づき送信ビームを決定してよい。
【０１１７】
８．ＴＣＩ：ＴＣＩは、ＴＣＩ状態を示すために使用されてよい。
【０１１８】
一実装では、ネットワーク装置は、上位レイヤシグナリング（例えば、無線リソース制御（radio  resource  control,  RRC）メッセージ）を使用して端末装置のためにＴＣＩ状態（TCI  state）リストを構成してよい。例えば、ネットワーク装置は、ＲＲＣメッセージ内のモードリスト（tci-StatesToAddModList）を追加するためにＴＣＩ状態を使用して、端末装置のためにＴＣＩ状態リストを構成してよい。ＴＣＩ状態リストは、複数のＴＣＩ状態を含んでよい。例えば、ネットワーク装置は、各セル内の各帯域幅部分（bandwidth  part,  BWP）について、最大６４個のＴＣＩ状態を構成してよい。
【０１１９】
次に、ネットワーク装置は、上位レイヤシグナリング（例えば、媒体アクセス制御（media  access  control,  MAC）制御要素（control  element,  CE））を用いて、１つ以上のＴＣＩ状態を活性化してよい。活性化されたＴＣＩ状態は、ＲＲＣメッセージ内で構成されたＴＣＩ状態リストの部分集合である。例えば、ネットワーク装置は、各セル内の各ＢＷＰについて、最大８個のＴＣＩ状態を構成してよい。
【０１２０】
次に、ネットワーク装置は、物理レイヤシグナリング（例えば、ダウンリンク制御情報（downlink  control  information,  DCI））でＴＣＩフィールドを用いて、選択されたＴＣＩ状態を更に示してよい。ＤＣＩは、例えば、物理ダウンリンクリソースをスケジューリングするためにＤＣＩに適用可能であってよい。
【０１２１】
９．帯域幅部分（ＢＷＰ）：ＮＲでは、同じセル内の異なる端末装置は、異なる送信又は受信能力を有してよい。従って、システムは、各端末装置のために対応する帯域幅を構成してよい。端末装置のために構成された帯域幅は、ＢＷＰと呼ばれ、端末装置は、端末装置のＢＷＰで送信を実行する。ＢＷＰは、キャリア上の隣接する周波数ドメインリソースのグループであってよい。異なるＢＷＰは、部分的に重なり合う周波数ドメインリソースを占有してよく、又は重なり合わない周波数ドメインリソースを占有してよい。異なるＢＷＰは、同じ帯域幅又は異なる帯域幅の中の周波数ドメインリソースを占有する。これは、本願において限定されない。
【０１２２】
１０．キャリア（component  carrier,  CC）：キャリアは、代替として、成分搬送波、構成搬送波、コンポーネントキャリア、等と呼ばれてよい。
【０１２３】
キャリアアグリゲーションは、主に、複数の成分搬送波（component  carrier,  CC、又は構成搬送波、コンポーネントキャリア、搬送波、等と呼ばれる）を、比較的大きな帯域幅を有する搬送波に集約して、高速データ送信をサポートする。キャリアアグリゲーションでは、ＣＣでデータを送信するために、別のＣＣをスケジューリングすることが可能である。例えば、物理ダウンリンク制御チャネル（physical  downlink  control  channel,  PDCCH）及び物理ダウンリンク共有チャネル（physical  downlink  shared  channel,  PDSCH）は同じＣＣ又は異なるＣＣ又上にある。ＣＣは１つ以上のＢＷＰを含んでよい。本願の実施形態では、セルは、サービングセル又はＣＣにより置き換えられてよい。本願の実施形態では、用語「セル」、「サービングセル」、及び「ＣＣ」は、代替的に使用され、該用語により表される意味は、該用語間の相違が強調されないとき、一貫している。同様に、用語「サービングセルインデックス」、「サービングセル識別子（ID）」、「セル識別子（cellID）」及び「ＣＣ識別子（CC  ID）」は、代替的に使用され、該用語により表される意味は、該用語間の相違が強調されないとき、一貫している。
【０１２４】
１１．ランダムアクセス処理（Random  access  procedure）：高周波数通信システムのランダムアクセス処理は、主に以下を含む。（ａ）端末装置は、利用可能なダウンリンクビームを発見する。（ｂ）端末装置は、ランダムアクセスチャネル（Random  access  channel,  RACH）又はランダムアクセスプリアンブル（RACH  preamble）を送信する。（ｃ）ネットワーク装置は、ランダムアクセス応答を送信する。（ｄ）端末装置は、ランダムアクセス応答に基づきアップリンクメッセージを送信する。（ｅ）ネットワーク装置は、衝突解決メッセージを返す。（ｆ）端末装置は、ネットワークにアクセスする。簡略化されたランダムアクセス手順は、ステップ（ｄ）及び（ｆ）を含まなくてよい。ランダムアクセス処理は、複数のシナリオ、例えば、端末装置が起動された又はセルに移動した場合に適用可能な初期アクセス（initial  access）、端末装置が比較的長時間の間、比較的粗悪なリンク品質を経験した後に再アクセスを開始する場合に適用可能な無線リンク障害回復（radio  link  failure  and  recovery）、端末装置のサービングビームの品質が比較的粗悪なとき端末装置がビーム切り替えを開始する場合に適用可能なビーム障害回復（beam/link  failure  recovery）、ネットワーク装置によりトリガされる別のランダムアクセス処理、例えばＰＤＣＣＨオーダによりトリガされるランダムアクセス処理、を有してよい。高周波数通信システムでは、ランダムアクセス処理に従い、ネットワーク装置及び端末装置は、１つ以上の利用可能なビーム又はビームペアを決定してよい。
【０１２５】
ネットワーク装置が、端末装置へ信号を送信する前に、ネットワーク装置は、端末装置に、端末装置の全ての利用可能なＴＣＩ状態を通知する。ネットワーク装置が端末装置にＴＣＩ状態を通知する方法は、限定ではないが、ブロードキャスト信号、システムメッセージ、ＲＲＣシグナリング、ＭＡＣ−ＣＥシグナリング、ＤＣＩシグナリング、又はそれらの組み合わせの使用を含む。ネットワーク装置が、活性化コマンドを使用して利用可能なＴＣＩ状態のうちの１つ以上を活性化する前に、端末装置は、また、ネットワーク装置により送信された信号を受信する必要がある。ネットワーク装置は、活性化コマンドを送信していないので、端末装置は、受信ビームを決定するために使用される必要のある特定の利用可能なＴＣＩ状態が分からず、従って、受信ビームで信号を受信できない。従って、端末装置は、ＱＣＬ推測を実行する必要がある。ＱＣＬ推測を通じて、ネットワーク装置の活性化コマンドを受信する前に、端末装置は、信号を受信するために使用されるビームに関する情報を決定し、該ビーム上で信号を受信する。現在の技術では、端末装置がＱＣＬ推測を実行する処理で、初期ネットワークアクセス処理におけるＳＳＢは、規定ＱＣＬ参照（QCL  reference  signal）として使用される。つまり、ＳＳＢを送信するためのアンテナポートのパラメータが、信号を受信するためのアンテナポートのパラメータを決定するために使用されて、該信号を受信するために使用されるビームを決定する。信号は、ここでは、物理ダウンリンク制御チャネルＰＤＣＣＨ、又は物理ダウンリンク共有チャネルＰＤＳＣＨであってよい。初期アクセスが完了した時点とＰＤＣＣＨ／ＰＤＳＣＨが受信された時点との間の時間間隔は、比較的長くなり得るので、期限切れＱＣＬ参照信号（初期アクセス処理で決定されたＳＳＢ）は、ＰＤＣＣＨ／ＰＤＳＣＨの受信及び復調には不都合である。更に、ＳＳＢの帯域幅は比較的狭いので、ＳＳＢを使用して実行される時間ドメイン及び周波数ドメイン追跡の性能は、比較的粗悪である。従って、信号を受信するために決定されたＱＣＬパラメータは不正確であり、信号受信及び復調が深刻に影響される。
【０１２６】
これに鑑み、本願は、端末装置がより正確なＱＣＬ参照を使用してビーム推定処理を実行できるように、信号伝送方法を提供する。これは、ＱＣＬ推測の精度を向上し、その結果、端末装置は、より正確なビーム上で信号を受信し、信号の受信及び復調の効率を向上する。
【０１２７】
以下は、添付の図面を参照して、本願の実施形態を詳細に説明する。
【０１２８】
図２は、装置相互作用の観点から示される、信号伝送方法２００の概略フローチャートである。図２に示すように、図２に示した方法２００は、ステップ２１０〜ステップ２５０を含んでよい。以下は、図２を参照して、方法２００のステップを詳細に説明する。
【０１２９】
理解されるべきことに、本願の本実施形態では、方法２００は、方法２００が端末装置及びネットワーク装置により実行される例を用いて説明される。例により、限定ではなく、方法２００は、代替として、端末装置内で使用されるチップ及びネットワーク装置内で使用されるチップにより実行されてよい。
【０１３０】
Ｓ２１０：ネットワーク装置は、第１構成情報を端末装置へ送信する。ここで、第１構成情報は、少なくとも１つの送信構成指示ＴＣＩ状態、及び第１チャネルの追跡参照信号ＴＲＳの構成を含み、ＴＲＳは、複数のチャネル状態情報参照信号ＣＳＩ−ＲＳリソースを含むセットである。相応して、端末装置は、第１構成情報を受信する。
【０１３１】
Ｓ２２０：ネットワーク装置は、ＴＲＳを端末装置へ送信する。ここで、ＴＲＳは、第１構成情報の中で構成されたＴＲＳであってよい。相応して、端末装置はＴＲＳを受信する。
【０１３２】
Ｓ２３０：ネットワーク装置により送信される、少なくとも１つのＴＣＩ状態のうちの１つ以上を活性化するために使用される活性化コマンドを受信する前に、端末装置は、第１構成情報の中で構成されたＴＲＳの中の第１ＴＲＳに含まれる複数のＣＳＩ−ＲＳリソースの中の第１ＣＳＩ−ＲＳリソース、少なくとも１つのＴＣＩ状態の中の第１ＴＣＩ状態、及び同期信号及びＰＢＣＨブロックＳＳＢ、のうちの１つ以上に基づき、第１チャネルの疑似コロケーションＱＣＬパラメータを決定する。
【０１３３】
Ｓ２４０：ネットワーク装置は、第１チャネルの第１送信ビームを使用して、第１チャネルを送信する。
【０１３４】
Ｓ２５０：端末装置は、第１チャネルのＱＣＬパラメータに基づき、第１チャネルを受信する。
【０１３５】
本願で提供される信号伝送方法によると、端末装置が、第１チャネルの複数のＴＣＩ状態に固有の活性化コマンドを受信する前に、ＱＣＬ推測を実行する処理において、ＴＲＳ、ＳＳＢ、又は複数のＴＣＩ状態の中の第１ＴＣＩ状態は、第１チャネルの規定ＱＣＬ参照として使用されてよい。従って、第１チャネルのＱＣＬパラメータが決定され、第１チャネルの受信ビームが決定され、その結果、第１チャネルが受信ビーム上で受信される。この方法では、端末装置は、より正確なＱＣＬ参照を用いてビーム推定処理を実行する。これは、ＱＣＬ推測の精度を向上し、その結果、端末装置は、より正確なビーム上で第１チャネルを受信し、第１チャネルの受信及び復調の効率を向上する。これは、通信効率及びユーザ経験を更に向上する。
【０１３６】
具体的に、Ｓ２１０で、端末装置及びネットワーク装置が通信接続を確立した後に、ネットワーク装置が端末装置へ信号を送信する必要のあるとき、ネットワーク装置は、端末装置に、信号の送信ビーム及び／又は受信ビームに関する情報を通知する必要がある。これは、端末装置が、正しい受信ビーム上で信号を受信するのを助ける。従って、ネットワーク装置は、第１構成情報を端末装置へ送信する。ここで、第１構成情報は、少なくとも１つの送信構成指示ＴＣＩ状態、及び第１チャネルの追跡参照信号ＴＲＳの構成を含む。ＴＲＳは、複数のチャネル状態情報参照信号ＣＳＩ−ＲＳリソースを含むリソースセット（CSI-RS  resource  set）である。つまり、各ＴＲＳは、複数のチャネル状態情報参照信号ＣＳＩ−ＲＳリソースを含むリソースセットである。勿論、１つのＴＲＳが、代替として、１つのチャネル状態情報参照信号ＣＳＩ−ＲＳリソースを含んでよい。つまり、１つのＴＲＳが１つのＣＳＩ−ＲＳリソースである。第１構成情報は、ＲＲＣシグナリングで運ばれてよい。少なくとも１つのＴＣＩ状態は、ネットワーク装置により端末装置のために構成された、利用可能なＴＣＩ状態（TCI  state）のリストである。端末装置は、ＴＣＩ状態に基づき、第１チャネルの受信ビームを決定してよい。例えば、ネットワーク装置は、ＲＲＣメッセージ内のモードリスト（tci-StatesToAddModList）を追加するためにＴＣＩ状態を使用して、端末装置のためにＴＣＩ状態リストを構成してよい。ＴＣＩ状態リストは、複数のＴＣＩ状態を含んでよい。例えば、ネットワーク装置は、各セル内の各ＢＷＰについて、最大６４個のＴＣＩ状態を構成してよい。相応して、端末装置は、第１構成情報を受信する。
【０１３７】
Ｓ２２０で、端末装置に利用可能なＴＲＳは、第１構成情報の中で構成されるので、ネットワーク装置は、ＴＲＳを端末装置へ送信する。相応して、端末装置はＴＲＳを受信する。ネットワーク装置により送信されたＴＲＳは、第１構成情報の中で構成された１つ以上のＴＲＳであってよく、又は第１構成情報の中で構成された複数のＴＲＳのうちの１つ以上であってよい。例えば、第１構成情報は、ＴＲＳ１〜ＴＲＳ１０の構成を含む。ネットワーク装置は、ＴＲＳを端末装置へ送信する。ＴＲＳは、ＴＲＳ１〜ＴＲＳ６であってよい。これは、本願の本実施形態において限定されない。
【０１３８】
Ｓ２３０で、端末装置は信号（第１信号）を受信する必要があるので、ネットワーク装置は、端末装置に可能なＴＣＩ状態を通知している。従って、端末装置が、ネットワーク装置により送信された、少なくとも１つのＴＣＩ状態のうちの１つ以上を活性化するために使用される活性化コマンドを受信する前に、端末装置は、ＱＣＬ推測を実行する必要がある。つまり、ネットワーク装置の活性化コマンドを受信する前に、端末装置は、信号（第１信号）を受信するために使用されるビームに関する情報を決定する必要があり、該ビーム上で第１信号を受信する。
【０１３９】
具体的に、端末装置は、受信したＴＲＳの中の第１ＴＲＳに含まれる複数のＣＳＩ−ＲＳリソースの中の第１ＣＳＩ−ＲＳリソース、少なくとも１つのＴＣＩ状態の中の第１ＴＣＩ状態、並びに同期信号及びＰＢＣＨブロックＳＳＢ、のうちの１つ以上に基づき、第１チャネルのＱＣＬパラメータを決定する。第１チャネルのＱＣＬパラメータは、第１チャネルの受信ビームに関する情報を含んでよい。ＱＣＬパラメータに含まれる特定の内容については、前述のＱＣＬの説明を参照する。第１チャネルのＱＣＬパラメータが決定されることは、第１チャネルの第１受信ビームが決定されることを意味する。
【０１４０】
可能な実装では、Ｓ２３０で、端末装置は、代替として、第１ＣＳＩ−ＲＳリソース、少なくとも１つのＴＣＩ状態の中の第１ＴＣＩ状態、及び同期信号及びＰＢＣＨブロックＳＳＢ、のうちの１つを、第１チャネルのＱＣＬ参照（これは、規定ＱＣＬ参照である）として決定してよい。例えば、規定ＱＣＬ参照は、第１ＣＳＩ−ＲＳリソースである。次に、第１チャネルのＱＣＬパラメータは、決定されたＱＣＬ参照に基づき決定され、第１チャネルの第１受信ビームは、第１チャネルのＱＣＬパラメータに基づき決定される。これは、本願の本実施形態において限定されない。
【０１４１】
理解されるべきことに、第１ＣＳＩ−ＲＳリソースは、第１ＴＲＳに含まれる複数のＣＳＩ−ＲＳリソースのうちの任意の１つであってよい。代替として、第１ＣＳＩ−ＲＳリソースは、第１ＴＲＳに含まれる複数のＣＳＩ−ＲＳリソースの中の最小番号又は最大番号を有するＣＳＩ−ＲＳリソース、又は第１チャネルの時間から最短間隔を有するＣＳＩ−ＲＳリソースであってよい。これは、本願の本実施形態において限定されない。
【０１４２】
更に理解されるべきことに、第１構成情報は、１つのＴＲＳの構成のみを含み、第１ＴＲＳは、第１構成情報の中で構成されたＴＲＳである。第１構成情報が複数のＴＲＳの構成を含むとき、第１ＴＲＳは、第１構成情報の中で構成された複数のＴＲＳのうちの１つである。例えば、第１ＴＲＳは、ＴＲＳの中の最小番号又は最大番号を有するＴＲＳ、又は第１チャネルの時間から最短間隔を有するＴＲＳであってよい。各ＴＲＳは、複数のチャネル状態情報参照信号ＣＳＩ−ＲＳリソースを含むリソースセットであるので、ＴＲＳの番号はＣＳＩ−ＲＳリソースセットの番号であってよい。第１構成情報の中で構成されるＴＲＳの数は、本願で限定されない。
【０１４３】
Ｓ２４０  で、ネットワーク装置は、第１チャネルの第１送信ビームを用いて第１チャネルを送信する。ここで、第１チャネルの第１送信ビームは、送信されたＴＲＳの中の第１ＴＲＳに含まれる複数のＣＳＩ−ＲＳリソースの中の第１ＣＳＩ−ＲＳリソースにより使用されるビーム、少なくとも１つのＴＣＩ状態の中の第１ＴＣＩ状態に対応するビーム、又は同期信号及びＰＢＣＨブロックＳＳＢを送信するために使用されるビーム、のうちの１つ以上であってよい。第１チャネルの第１送信ビームは、代替として、第１チャネルの現在有効なビームであってよく、現在有効なビームは、前に信号を送信するためにネットワーク装置により使用されたビームとして理解されてよい。
【０１４４】
Ｓ２５０で、端末装置は第１チャネルのＱＣＬパラメータを決定している、つまり、第１チャネルの第１受信ビームを決定しているので、端末装置は、第１チャネルのＱＣＬパラメータに基づき第１チャネルを受信してよい。つまり、第１チャネルは、第１受信ビーム上で受信される。
【０１４５】
本願で提供される信号受信方法によると、端末装置が、第１チャネルの複数のＴＣＩ状態に固有の活性化コマンドを受信する前に、ＱＣＬ推測を実行する処理において、ＴＲＳ、ＳＳＢ、又は複数のＴＣＩ状態の中の第１ＴＣＩ状態は、第１チャネルの規定ＱＣＬ参照としてＳＳＢのみを使用する代わりに、第１チャネルの規定ＱＣＬ参照として使用されてよい。この方法では、端末装置は、より正確なＱＣＬ参照を用いてビーム推定処理を実行できる。これは、ＱＣＬ推測の精度を向上し、第１チャネルの受信及び復調の効率を向上する。これは、通信効率及びユーザ経験を更に向上する。
【０１４６】
一実施形態において、図３は、装置相互作用の観点から示される、信号伝送方法２００の別の実施形態の概略フローチャートである。第１構成情報が初期無線リソース制御ＲＲＣで運ばれるとき、Ｓ２３０で、端末装置が、第１ＣＳＩ−ＲＳリソース、第１ＴＣＩ状態、及びＳＳＢのうちの１つ以上に基づき、第１チャネルのＱＣＬパラメータを決定することは、以下のステップを含む。
【０１４７】
Ｓ２３１：ＳＳＢ又は第１ＴＣＩ状態に基づき、第１チャネルのＱＣＬパラメータを決定する。ここで、第１ＴＣＩ状態は、少なくとも１つのＴＣＩ状態の中で最小ＴＣＩ状態番号を有するＴＣＩ状態であり、ＳＳＢは、初期アクセス処理におけるＳＳＢである。
【０１４８】
具体的に、端末装置がネットワークに最初にアクセスした後に、ネットワーク装置は、ＲＲＣシグナリングを用いて、端末装置へ対応する制御シグナリングを送信する。第１構成情報が、端末装置がネットワークに最初にアクセスした後に取得された第１ＲＲＣ（初期ＲＲＣ）で運ばれる場合、それは、第１構成情報が受信される時点と、初期アクセスが完了した時点との間の間隔が、それほど長くないことを示す。従って、Ｓ２３１で、端末装置は、ＳＳＢ又は第１ＴＣＩ状態に基づき、第１チャネルのＱＣＬパラメータを決定してよい。第１ＴＣＩ状態は、少なくとも１つのＴＣＩ状態の中で最小ＴＣＩ状態番号を有するＴＣＩ状態であり、ＳＳＢは、初期ネットワークアクセス処理で端末装置により使用されたＳＳＢである。任意的に、第１ＴＣＩ状態は、代替として、少なくとも１つのＴＣＩ状態の中で最大ＴＣＩ状態番号を有するＴＣＩ状態であってよい。代替として、第１ＴＣＩ状態は、少なくとも１つのＴＣＩ状態の中で、ＴＣＩ状態番号が中間値を有するＴＣＩ状態、等であってよい。これは、本願の本実施形態において限定されない。
【０１４９】
第１構成情報が初期ＲＲＣで運ばれるとき、第１チャネルのＱＣＬパラメータは、初期ネットワークアクセス処理におけるＳＳＢ又は第１ＴＣＩ状態に基づき決定され、その結果、第１チャネルのＱＣＬパラメータを決定する時間期間は短縮でき、第１チャネルの決定されたＱＣＬパラメータの精度も比較的高くなる。これは、端末装置により第１チャネルを受信する精度を更に向上する。
【０１５０】
一実施形態において、図４は、装置相互作用の観点から示される、信号伝送方法２００の別の実施形態の概略フローチャートである。第１構成情報が、初期アクセス処理の後に取得された無線リソース制御ＲＲＣ再構成で運ばれるとき、Ｓ２３０で、端末装置が、第１ＣＳＩ−ＲＳリソース、少なくとも１つのＴＣＩ状態の中の第１ＴＣＩ状態、及びＳＳＢのうちの１つ以上に基づき、第１チャネルのＱＣＬパラメータを決定することは、以下のステップを含む。
【０１５１】
Ｓ２３２：第１ＣＳＩ−ＲＳリソースに基づき、第１チャネルのＱＣＬパラメータを決定する。
【０１５２】
具体的に、端末装置がネットワークに最初にアクセスした後に、ネットワーク装置は、ＲＲＣシグナリングを用いて、端末装置へ対応する制御シグナリングを送信する。第１構成情報はＲＲＣ再構成で運ばれる。ここで、ＲＲＣ再構成は、端末装置がネットワークに最初にアクセスした後の初期ＲＲＣの後で受信されたＲＲＣ構成として理解されてよい。つまり、ＲＲＣ再構成は、端末装置がネットワークにアクセスした後に、第１ＲＲＣの後に受信されたＲＲＣである。第１構成情報がＲＲＣ再構成で運ばれる場合、それは、第１構成情報が受信された時点と初期アクセスが完了した時点との間の間隔が比較的長いことを示し、ＳＳＢ又は第１ＴＣＩ状態を用いて第１チャネルのＱＣＬパラメータを決定した結果は、不正確になり得る。従って、Ｓ２３２で、端末装置は、第１ＣＳＩ−ＲＳリソースに基づき、第１チャネルのＱＣＬパラメータを決定する。
【０１５３】
第１構成情報がＲＲＣ再構成の中で運ばれるとき、第１チャネルのＱＣＬパラメータは、第１ＣＳＩ−ＲＳリソースに基づき決定される。これは、第１チャネルの決定されたＱＣＬパラメータの精度を向上できる。これは、端末装置により第１チャネルを受信する精度を更に向上する。
【０１５４】
一実施形態において、図５は、装置相互作用の観点から示される、信号伝送方法２００の別の実施形態の概略フローチャートである。第１構成情報が受信される前に、ランダムアクセス処理が終了しているとき、Ｓ２３０で、端末装置が、第１ＣＳＩ−ＲＳリソース、少なくとも１つのＴＣＩ状態の中の第１ＴＣＩ状態、及びＳＳＢのうちの１つ以上に基づき、第１チャネルのＱＣＬパラメータを決定することは、以下のステップを含む。
【０１５５】
Ｓ２３３：ＳＳＢに基づき、第１チャネルのＱＣＬパラメータを決定する。ここで、ＳＳＢは、ランダムアクセス処理におけるＳＳＢである。
【０１５６】
具体的に、初期アクセス処理でネットワークにアクセスした後に、端末装置は、アクセスしたセルとのアップリンク同期を再実行するし、リンクを復元する、等のために、ランダムアクセス処理（Random  Access  Procedure）を依然として実行してよい。端末装置が、第１構成情報を受信する前に、ランダムアクセス処理を完了している場合、それは、端末装置がＱＣＬ推測を実行した時点と、ランダムアクセス処理が完了した時点との間の間隔が、長くないことを示す。従って、Ｓ２３３で、端末装置は、ランダムアクセス処理で使用されたＳＳＢに基づき、第１チャネルのＱＣＬパラメータを決定してよい。任意的に、端末装置は、代替として、ランダムアクセス処理で使用されたＣＳＩ−ＲＳに基づき、第１チャネルのＱＣＬパラメータを決定してよい。一実装では、時間長Ｘは、プロトコルで予め定められ、又はネットワーク装置により通知されてよい。端末装置が、第１構成情報の受信される時点の前の長さＸの時間期間内にランダムアクセス処理を実行した場合、端末装置は、ランダムアクセス処理において使用されたＳＳＢ及び／又はＣＳＩ−ＲＳに基づき、第１チャネルのＱＣＬパラメータを決定してよい。時間長Ｘの時間単位は、限定ではないが、シンボル時間、スロット、サブフレーム、フレーム、又はミリ秒を含んでよい。
【０１５７】
第１構成情報が受信される前に、ランダムアクセス処理が完了しているとき、第１チャネルのＱＣＬパラメータは、ランダムアクセス処理におけるＳＳＢに基づき決定され、その結果、第１チャネルのＱＣＬパラメータを決定する時間期間は短縮でき、第１チャネルの決定されたＱＣＬパラメータの精度も比較的高くなる。これは、端末装置により第１チャネルを受信する精度を更に向上する。
【０１５８】
一実施形態において、図６は、装置相互作用の観点から示される、信号伝送方法２００の別の実施形態の概略フローチャートである。第１構成情報が受信される前に、ランダムアクセス処理が終了していないとき、Ｓ２３０で、端末装置が、第１ＣＳＩ−ＲＳリソース、第１ＴＣＩ状態、及びＳＳＢのうちの１つ以上に基づき、第１チャネルのＱＣＬパラメータを決定することは、以下のステップを含む。
【０１５９】
Ｓ２３４：第１ＣＳＩ−ＲＳリソースに基づき、第１チャネルのＱＣＬパラメータを決定する。
【０１６０】
具体的に、第１構成情報を受信する前に、端末装置がランダムアクセス処理を完了していないとき、ＱＣＬ推測を実行する処理において、つまりステップＳ２３４において、端末装置は、第１ＣＳＩ−ＲＳリソースに基づき、第１チャネルのＱＣＬパラメータを決定してよい。一実装では、時間長Ｘは、プロトコルで予め定められ、又はネットワーク装置により通知されてよい。端末装置が、第１構成情報の受信される時点の前の長さＸの時間期間内にランダムアクセス処理を実行していない場合、端末装置は、第１ＣＳＩ−ＲＳリソースに基づき、第１チャネルのＱＣＬパラメータを決定する。
【０１６１】
第１構成情報を受信する前に、端末装置がランダムアクセス処理を完了していないとき、端末装置は、第１ＣＳＩ−ＲＳリソースに基づき、第１チャネルのＱＣＬパラメータを決定する。これは、第１チャネルの決定されたＱＣＬパラメータの精度を向上できる。これは、端末装置により第１チャネルを受信する精度を更に向上する。
【０１６２】
理解されるべきことに、本願の本実施形態では、前述の幾つかの条件に基づき、第１チャネルのＱＣＬパラメータを決定するために、第１ＣＳＩ−ＲＳリソース、第１ＴＣＩ状態、及びＳＳＢのうちの１つ以上を使用することを決定することに加えて、第１ＣＳＩ−ＲＳリソース、第１ＴＣＩ状態、及びＳＳＢのうちの、第１チャネルのＱＣＬパラメータを決定するために使用されるべき特定の１つは、代替として、別の条件に基づき決定されてよい。例えば、第１ＣＳＩ−ＲＳリソース、第１ＴＣＩ状態、及びＳＳＢのうちの、第１チャネルのＱＣＬパラメータを決定するために使用されるべき特定の１つは、端末装置のネットワーク品質等を参照して更に決定されてよい。これは、本願の本実施形態において限定されない。
【０１６３】
可能な実装では、第１構成情報が複数のＴＲＳの構成を含むとき、第１ＴＲＳは、第１構成情報の中で構成された複数のＴＲＳの中で、最小番号又は最大番号を有するＴＲＳである。
【０１６４】
別の可能な実装では、第１構成情報が複数のＴＲＳの構成を含むとき、第１ＴＲＳは、第１構成情報の中で構成された複数のＴＲＳの受信時点であり、端末装置が第１チャネルのＱＣＬ参照を決定した時点から最短時間間隔を有する、受信時点で受信されたＴＲＳである。つまり、複数のＴＲＳの中で、第１ＴＲＳの受信時点と端末装置が第１チャネルのＱＣＬ参照を決定した時点との時間間隔が最短である。
【０１６５】
例えば、第１構成情報が２つのＴＲＳ、つまりＴＲＳ１及びＴＲＳ２の構成を含むと仮定する。端末装置が第１構成情報を時点Ｔ０で受信し、ＴＲＳ１を時点Ｔ０＋２ｍｓで受信し、及びＴＲＳ２を時点Ｔ０＋５ｍｓで受信した場合、第１ＴＲＳはＴＲＳ１である。
【０１６６】
別の可能な実装では、第１構成情報が複数のＴＲＳの構成を含むとき、第１ＴＲＳは、第１構成情報の中で構成された複数のＴＲＳの測定において、端末装置が第１チャネルのＱＣＬ参照を決定した時点から最短時間間隔を有するＴＲＳである。つまり、複数のＴＲＳを受信するとき、端末装置は、測定を別個に実行する必要があり、各ＴＲＳは開始測定時点を有する。第１ＴＲＳは、複数のＴＲＳの開始測定時点の中で、端末装置が第１チャネルのＱＣＬ参照を決定した時点から最短時間間隔を有する開始測定時点で測定されたＴＲＳである。つまり、複数のＴＲＳの中で、第１ＴＲＳの開始測定時点と端末装置が第１チャネルのＱＣＬ参照を決定した時点との時間間隔が最短である。
【０１６７】
理解されるべきことに、複数のＴＲＳの中で第１ＴＲＳを決定する前述の幾つかの方法に加えて、別の方法も、複数のＴＲＳの中で第１ＴＲＳを決定するために使用されてよい。これは、本願の本実施形態において限定されない。
【０１６８】
任意的に、図７は、装置相互作用の観点から示される、信号伝送方法２００の別の実施形態の概略フローチャートである。第１構成情報が複数のＴＲＳの構成を含むとき、方法２００は、以下のステップを更に含む。
【０１６９】
Ｓ２１１：ネットワーク装置は、端末装置へ指示情報を送信する。ここで、指示情報は、複数のＴＲＳのうちの１つ以上が活性化ＴＲＳであることを示すために使用され、活性化ＴＲＳは第１ＴＲＳを含む。相応して、端末装置は、指示情報を受信する。
【０１７０】
具体的に、ネットワーク装置は、端末装置のために複数のＴＲＳを構成してよい。例えば、現在、最大で６４個のＴＲＳがプロトコルで指定されている。ネットワーク装置が、端末装置に、活性化ＴＲＳである特定のＴＲＳ又は活性化ＴＲＳではない特定のＴＲＳを示さない場合、端末装置は、全ての構成されたＴＲＳを追跡する必要がある。これは、端末装置の非常に高い複雑さ及びエネルギ消費をもたらす。活性化ＴＲＳは、端末装置により追跡される必要のあるＴＲＳとして理解されてよい。従って、ネットワーク装置が端末装置のために複数のＴＲＳを構成した後に（第１構成情報が、複数のＴＲＳの構成を含む）、ネットワーク装置は、第１構成情報の中で構成された複数のＴＲＳのうちの１つ以上が活性化ＴＲＳであるｋとおを示すために、端末装置へ指示情報を更に送信してよい。端末装置がＴＲＳを受信する後の処理において、端末装置は、指示情報に基づき、活性化ＴＲＳのみを追跡すればよい。任意的に、ネットワーク装置により送信された活性化指示を受信する前に、端末装置は、第１構成情報の中で構成される複数のＴＲＳを追跡する必要がない。
【０１７１】
例えば、ＴＲＳ１〜ＴＲＳ６４が端末装置のために構成されると仮定する。ステップＳ２１１で、端末装置は、ＴＲＳ１〜ＴＲＳ１０が活性化ＴＲＳであることを示す指示情報を受信する。端末装置は、指示情報に基づき、ＴＲＳ１〜ＴＲＳ１０のみを追跡すればよい。次に、ＴＲＳ１〜ＴＲＳ１０の中で第１ＴＲＳが決定される。
【０１７２】
任意的に、一実装では、ネットワーク装置により送信された活性化指示を受信する前に、端末装置は、第１構成情報の中で構成される複数のＴＲＳを追跡する必要がある。活性化指示を受信した後に、端末は、活性化ＴＲＳのみを追跡すればよい。
【０１７３】
検出される必要のあるＴＲＳは、端末装置へ指示情報を送信することにより、端末装置に通知される。その結果、端末装置は全ての構成されたＴＲＳを検出しなくてよく、端末装置の複雑さ及び電力消費が低減され、端末装置により第１ＴＲＳを決定する効率及び精度が向上し、通信効率が向上する。
【０１７４】
一実装では、指示情報は、ビットマップ（bitmap）として示されてよい。全部でＭ個のＴＲＳが端末装置のために構成されると仮定する。この場合、活性化されている特定のＴＲＳを示すために、Ｍビットのビットマップが使用されてよい。ここで、１はＴＲＳが活性化されることを示し、０はＴＲＳが活性化されないことを示す。代替として、１はＴＲＳが活性化されないことを示し、０はＴＲＳが活性化されることを示す。Ｎ個の活性化ＴＲＳが存在し、
Ｎ｛切り上げｌｏｇ２（Ｍ）｝ビットフィールドが、活性化されるＮ個の特定のＴＲＳを示すために使用され得ると仮定する。代替として、別の方法が、活性化される特定のＴＲＳを示すために使用されてよい。例えば、活性化される特定のＴＲＳを示すために、ＭＡＣ−ＣＥシグナリングが使用される。理解されるべきことに、指示の特定の形式は、本願の本実施形態で限定されない。
【０１７５】
任意的に、一実施形態では、第１構成情報が複数のＴＲＳの構成を含むとき、複数のＴＲＳの各々は第１フィールドを含み、第１フィールドは、ＴＲＳが活性化ＴＲＳであることを示すために使用される。例えば、全部で６４個のＴＲＳが端末装置のために構成され、第１構成情報がＴＲＳ１〜ＴＲＳ１０を構成するために使用されると仮定する。ＴＲＳ１〜ＴＲＳ１０の各々は第１フィールドを含む。端末装置及びネットワーク装置は、ＴＲＳが活性化ＴＲＳであることを示すために第１フィールドが使用されることを予め定めてよい。ＴＲＳ１１〜ＴＲＳ６４の各々は第１フィールドを含まない。ステップＳ２２０で、ネットワーク装置は、ＴＲＳ１〜ＴＲＳ３０を端末装置へ送信する。端末装置は、受信したＴＲＳの中の第１フィールドを検出し、第１フィールドを有するＴＲＳのみを追跡する。つまり、ＴＲＳ１〜ＴＲＳ１０のみが追跡されればよい。次に、ＴＲＳ１〜ＴＲＳ１０の中で第１ＴＲＳが決定される。これは、端末装置のリソース消費を削減し、端末装置による第１ＴＲＳを決定する効率及び精度を向上し、通信効率を向上する。
【０１７６】
一実装では、ＴＲＳはＣＳＩ−ＲＳ  ｒｅｓｏｕｒｃｅ  ｓｅｔであり、ＣＳＩ−ＲＳ  ｒｅｓｏｕｒｃｅ  ｓｅｔはｔｒｓ−Ｉｎｆｏフィールドを含むので、第１フィールドは１ビットのｔｒｓ−Ｉｎｆｏの変化情報であってよい。例えば、第１フィールドが１であるとき、それは、ＣＳＩ−ＲＳ  ｒｅｓｏｕｒｃｅ  ｓｅｔが活性化ＴＲＳであることを示し、第１フィールドが０であるとき、それは、ＣＳＩ−ＲＳ  ｒｅｓｏｕｒｃｅ  ｓｅｔが非活性化ＴＲＳであることを示す。
【０１７７】
理解されるべきことに、活性化ＴＲＳを示す前述の２つの方法に加えて、活性化ＴＲＳは、代替として別の方法で示されてよい。例えば、端末装置及びネットワーク装置は、ＴＲＳの番号が幾つかの特定の値のうちの１つであるとき、ＴＲＳが活性化ＴＲＳであること、及びＴＲＳの番号が幾つかの他の特定の値のうちの１つであるとき、ＴＲＳが非活性化ＴＲＳであること、を予め定めてよい。言い換えると、活性化ＴＲＳと非活性化ＴＲＳとの間を区別するためのルールが予め定められ、ネットワーク装置がＴＲＳを送信した後に、端末装置は、予め定められたルールに従い、活性化ＴＲＳであるＴＲＳ、及び非活性化ＴＲＳであるＴＲＳを決定してよい。これは、本願の本実施形態において限定されない。
【０１７８】
任意的に、一実施形態では、ＴＲＳが活性化されるとき、活性化ＴＲＳのＱＣＬ参照も示されてよい。ＴＲＳはＣＳＩ−ＲＳ  ｒｅｓｏｕｒｃｅ  ｓｅｔであるので、ＴＲＳが活性化されると、ＣＳＩ−ＲＳ  ｒｅｓｏｕｒｃｅ  ｓｅｔ内の各ＣＳＩ−ＲＳリソースのＴＣＩ状態は、指示を用いて活性化されてよい。
【０１７９】
任意的に、一実施形態では、端末装置が、第１ＣＳＩ−ＲＳリソースに基づき、第１チャネルのＱＣＬパラメータを決定することは、第１ＣＳＩ−ＲＳリソースに対応するＴＣＩ状態に含まれる参照信号リソースに基づき、第１チャネルのＱＣＬパラメータを決定するステップを含む。
【０１８０】
具体的に、ＴＲＳはＣＳＩ−ＲＳリソースであるので、第１ＣＳＩ−ＲＳリソースは、第１ＴＲＳに含まれるＣＳＩ−ＲＳリソースの中で最小番号を有するＣＳＩ−ＲＳリソースであってよい。対応するＴＣＩ状態も、第１ＣＳＩ−ＲＳリソースを受信するために必要である。具体的に言うと、端末装置は、第１ＣＳＩ−ＲＳリソースに対応するＴＣＩ状態に基づき、第１ＣＳＩ−ＲＳリソースの受信ビームを決定してよい。ＴＣＩ状態がＱＣＬ情報（qcl-info）を含んでよいこと、並びにＱＣＬ情報が、セル情報、ＢＷＰ情報、参照信号情報、及びＱＣＬタイプ情報（qcl-type）を含んでよいことが、ＴＣＩ状態の前述の説明から分かる。従って、第１チャネルのＱＣＬパラメータは、第１ＣＳＩ−ＲＳリソースに対応するＴＣＩ状態に含まれる参照信号リソースに基づき決定される。参照信号リソースは、ＱＣＬ情報に含まれる参照信号情報であってよい。例えば、第１ＣＳＩ−ＲＳリソースに対応するＴＣＩ状態に含まれる参照信号リソースは、ＣＳＩ−ＲＳ又はＳＳＢであってよい。
【０１８１】
任意的に、一実施形態では、ＴＲＳの構成は、ＴＲＳに対応する成分搬送波ＣＣ又は帯域幅部分ＢＷＰに関する情報を含む。
【０１８２】
具体的に、複数のＣＣ及び／又はＢＷＰが端末装置のために構成される場合、１つ以上のＣＣ／ＢＷＰのそれぞれはＴＲＳの構成を有し、ＴＲＳはＱＣＬ参照として使用され、ＴＲＳが第１構成情報の中で構成されたＴＲＳである特定のＣＣ／ＢＷＰが区別される必要がある。例えば、１つのＣＣが１つ以上のＴＲＳに対応してよく、異なるＣＣが同じＴＲＳ又は異なるＴＲＳに対応してよい。ＣＣ１がＴＲＳ１〜ＴＲＳ１４に対応し、ＣＣ２もＴＲＳ１〜ＴＲＳ１４に対応すると仮定する。この場合、各ＴＲＳの構成は、ＴＲＳに対応するＣＣに関する情報を含むべきである。その結果、ＴＲＳの位置する特定のＣＣが区別できる。更に、第１ＴＲＳは、ＣＣ／ＢＷＰに関する情報への参照により更に決定されてよい。例えば、第１ＴＲＳは、端末装置により現在使用されているＣＣ／ＢＷＰ（アクティブＢＷＰ）に対応するＴＲＳであってよい。代替として、第１ＴＲＳは、端末装置が初期アクセスを実行する初期ＢＷＰのＴＲＳであってよい。代替として、第１ＴＲＳは、所定のＣＣ／ＢＷＰのＴＲＳであってよい。代替として、第１ＴＲＳは、最小又は最大ＣＣインデックス（index）／ＢＷＰインデックスを有するＣＣ／ＢＷＰのＴＲＳであってよい。これは、本願において限定されない。
【０１８３】
任意的に、一実施形態では、図８Ａ及び図８Ｂは、装置相互作用の観点から示される、信号伝送方法２００の別の実施形態の概略フローチャートである。方法２００は、以下のステップを更に含む。
【０１８４】
Ｓ２６０：ネットワーク装置は、活性化コマンドを端末装置へ送信する。ここで、活性化コマンドは、少なくとも１つのＴＣＩ状態の中の第２ＴＣＩ状態を活性化するために使用される。相応して、端末装置は活性化コマンドを受信する。
【０１８５】
Ｓ２６１：端末装置は、活性化コマンドに基づき第２ＴＣＩ状態を決定する。
【０１８６】
Ｓ２６２：端末装置は、第２ＴＣＩ状態に基づき、第１チャネルの第２受信ビームを決定する。
【０１８７】
Ｓ２６３：端末装置は、第１チャネルの第２受信ビームを用いて、第１チャネルを受信する。
【０１８８】
具体的に、活性化コマンドを受信した後に、端末装置は、活性化コマンドに基づき第２ＴＣＩ状態を決定する。言い換えると、ネットワーク装置は、少なくとも１つのＴＣＩ状態の中の活性化した第２ＴＣＩ状態を端末装置に示し、端末装置は、活性化された第２ＴＣＩ状態に基づき、第１チャネルの第２受信ビームを決定してよい。第１チャネルは、第１チャネルの第２受信ビームを用いて受信される。活性化コマンドは、ＭＡＣ−ＣＥであってよい。理解されるべきことに、第２ＴＣＩ状態が複数のＴＣＩ状態を含む場合、ネットワーク装置は、物理レイヤシグナリングにおけるＴＣＩフィールド（例えば、ＤＣＩ）を用いて第２ＴＣＩ状態の中の選択されたＴＣＩ状態を更に示してよい。
【０１８９】
任意的に、一実施形態では、図９Ａ及び図９Ｂは、装置相互作用の観点から示される、信号伝送方法２００の別の実施形態の概略フローチャートである。方法２００は、以下のステップを更に含む。
【０１９０】
Ｓ２６４：端末装置は、第２ＴＣＩ状態に基づき、第２ＴＣＩ状態に対応する活性化された第２ＴＲＳセットを決定する。ここで、第２ＴＲＳセットは、第２チャネルのＱＣＬパラメータを決定するために使用される。
【０１９１】
Ｓ２６５：ネットワーク装置は、第２構成情報を端末装置へ送信する。ここで、第２構成情報は、第２チャネルの少なくとも１つのＴＣＩ状態を含む。相応して、端末装置は、構成情報を受信する。
【０１９２】
Ｓ２６６：端末装置は、第３ＴＲＳに含まれる複数のＣＳＩ−ＲＳリソースの中の第３ＣＳＩ−ＲＳリソース、第２チャネルの少なくとも１つのＴＣＩ状態の中の第３ＴＣＩ状態、及びＳＳＢ、のうちの１つ以上に基づき、第２チャネルのＱＣＬパラメータを決定する。ここで、第２ＴＲＳセットは第３ＴＲＳを含む。
【０１９３】
Ｓ２６７：ネットワーク装置は、第２チャネルの第１送信ビームを使用して、第２チャネルを送信する。
【０１９４】
Ｓ２６８：端末装置は、第２チャネルのＱＣＬパラメータに基づき、第２チャネルを受信する。
【０１９５】
具体的に、活性化コマンドがＭＡＣ−ＣＥである例が説明のために使用される。図１０は、ＭＡＣ−ＣＥのフォーマットの概略図である。図１０に示すように、オクテット（Oct,  octet）は、８ビット（bits）により構成されるバイト（byte）を表し、Ｒはプレースホルダを表す。ＭＡＣ−ＣＥは、指示されたサービングセルにおいて第１チャネル（例えば、ＰＤＳＣＨ、ＰＵＳＣＨ、又はＰＤＣＣＨ）のＴＣＩ状態を構成するために使用される。ＭＡＣ−ＣＥは、ビットマップに基づき、活性化するために、端末のために構成された複数のＴＣＩ状態のうちの１つ以上を選択するために使用される。
【０１９６】
具体的に、ＭＡＣ−ＣＥは、サービングセル（serving  cell）の識別子（identifier,  ID）、ＢＷＰのＩＤ、及びＴＣＩ状態が活性化されるか否かを示すために使用される指示ビット、を含む。ＭＡＣ−ＣＥにより示された活性化ＴＣＩ状態は、ＭＡＣ−ＣＥにより示されたサービングセル及びＢＷＰに基づき構成されたＴＣＩ状態として理解されてよい。言い換えると、ＰＤＳＣＨ、ＰＵＳＣＨ、又はＰＤＣＣＨがサービングセルにおいてＢＷＰ内で送信されるとき、送信ビーム及び受信ビームは、ＴＣＩ状態により示される情報に基づき決定されてよい。ＭＡＣ−ＣＥ内のＴ１は、ＴＣＩ状態が活性化されるか否かを示すために使用される。各Ｔ１は１ビットを占有してよく、ｉは、ＲＲＣメッセージ内のｔｃｉ−ＳｔａｔｅｓＴｏＡｄｄＭｏｄＬｉｓｔを用いて構成されたＴＣＩ状態リストの中のｉ番目のＴＣＩ状態に対応する。例えば、ｉは、ＴＣＩ状態ＩＤ（ＴＣＩ−ＳｔａｔｅＩｄ）の値に等しい。Ｔ１の値は１又は０であってよい。値１は、ＴＣＩ状態が活性化のために選択されることを示してよく、値０は、ＴＣＩ状態が活性化のために選択されないことを意味してよい。例えば、Ｔ６の値は１であり、ＴＣＩ状態６が活性化されることを示す。ステップＳ２８４で、端末装置は、第２ＴＣＩ状態に基づき、第２ＴＣＩ状態に対応する活性化された第２ＴＲＳセットを決定する。ここで、第２ＴＲＳセットは、１つ以上のＴＲＳを含んでよい。第２ＴＲＳセットは、第２チャネルのＱＣＬパラメータを決定するために使用される。活性化コマンドに基づき、８個のＴＣＩ状態が活性化されると仮定する。つまり、第２ＴＣＩ状態は８個のＴＣＩ状態を含む。この場合、第２ＴＲＳセットは、８個のＴＲＳを含む。第２ＴＣＩ状態に対応する活性化第２ＴＲＳセットは、次の通り理解できる。第２ＴＣＩ状態は、ＴＲＳのＴＣＩ状態と同じである（第２ＴＣＩ状態に基づき決定されたビームの方向が、ＴＲＳのビームの方向と同じである）。つまり、ＴＲＳのＴＣＩ状態は第２ＴＣＩ状態であり、その結果、ＴＲＳは、第２ＴＲＳセットの中のＴＲＳである。代替として、第２ＴＣＩ状態に含まれる参照信号は、ＴＲＳのＴＣＩ状態に含まれる参照信号と同じであるか又は疑似コロケーション関係を有する。活性化コマンドに基づき、１個のＴＣＩ状態が活性化されると仮定する。つまり、第２ＴＣＩ状態は１個のＴＣＩ状態を含む。この場合、第２ＴＲＳセットは１個のＴＲＳのみを含み、ＴＲＳは活性化ＴＲＳである。例えば、第２ＴＣＩ状態が１個のＴＣＩ状態、つまりＴＣＩ状態８を含み、ＴＣＩ状態８に対応するＴＲＳも活性化される。第２ＴＲＳセットは、第２チャネルのＱＣＬパラメータを決定するために使用される。
【０１９７】
任意的に、端末装置は、活性化コマンドを用いて活性化された第２ＴＣＩ状態に基づき、活性化ＴＲＳを追跡する。本実装では、ＴＣＩは、活性化ＴＲＳのために明示的に構成されなくてよく、又は活性化ＴＲＳのために構成されたＴＣＩは、活性化ＴＣＩ状態により置き換えられる。ＴＲＳは、ＣＳＩ−ＲＳ  ｒｅｓｏｕｒｃｅ  ｓｅｔであり、つまり、ＴＣＩは活性化ＣＳＩ−ＲＳ  ｒｅｓｏｕｒｃｅ  ｓｅｔの中のＣＳＩ−ＲＳリソースについて明示的に構成されない、又はＣＳＩ−ＲＳリソースのために構成されたＴＣＩは活性化ＴＣＩ状態により置き換えられる。８個のＴＣＩ状態が活性化された場合、８個のＴＣＩ状態は、それぞれ、所定のシーケンスで、例えばＴＣＩ番号の昇順又は降順で、８個のＴＲＳのＱＣＬ参照として使用されてよい。
【０１９８】
更に、端末装置は、ネットワーク装置に、端末装置によりサポートされる最大活性化ＴＣＩ状態数及び最大活性化ＴＲＳ数をフィードバックしてよい。最大活性化ＴＣＩ状態数は、最大活性化ＴＲＳ数より小さい又は等しい必要がある。この方法では、各活性化ＴＣＩ（ビーム）が、時間−周波数追跡機能のために対応するＴＲＳを有することができることを保証できる。
【０１９９】
ステップＳ２６５で、ネットワーク装置は、第２構成情報を端末装置へ送信する。ここで、第２構成情報は、第２チャネルの少なくとも１つのＴＣＩ状態を含む。相応して、端末装置は、第２構成情報を受信する。
【０２００】
ステップＳ２６６で、端末装置は、第３ＴＲＳに含まれる複数のＣＳＩ−ＲＳリソースの中の第３ＣＳＩ−ＲＳリソース、第２チャネルの少なくとも１つのＴＣＩ状態の中の第３ＴＣＩ状態、及びＳＳＢ、のうちの１つ以上に基づき、第２チャネルのＱＣＬパラメータを決定する。ここで、第２ＴＲＳセットは第３ＴＲＳを含む。
【０２０１】
ステップＳ２６７で、ネットワーク装置は、第２チャネルの第１送信ビームを使用して、第２チャネルを送信する。
【０２０２】
ステップＳ２６８で、端末装置は、第２チャネルのＱＣＬパラメータに基づき、第２チャネルの第１受信ビームを決定し、次に第２チャネルの第１受信ビーム上で第２チャネルを受信する。
【０２０３】
理解されるべきことに、前述のステップＳ２６５〜ステップＳ２６８について、ステップＳ２３０〜ステップＳ２５０の説明を参照する。例えば、端末装置が第２ＴＲＳセットの中の第３ＴＲＳを決定する特定の処理は、端末装置が第１構成情報の中で構成された複数のＴＲＳの中の第１ＴＲＳを決定する処理と同様である。端末装置が第２チャネルのＱＣＬパラメータに基づき第２チャネルを受信する処理は、端末装置が第１チャネルのＱＣＬパラメータに基づき、第１チャネルを受信する処理と同様である。特定の説明については、第１チャネルを受信する処理の前述の特定の説明を参照する。要するに、詳細はここで再び説明されない。
【０２０４】
前述のステップＳ２６８の後に、ネットワーク装置は、端末装置へ、第２チャネルの最後の１個のＴＣＩ状態に特有の活性化コマンドを更に送信してよく、端末装置は、活性化コマンドに基づき第２チャネルの第２受信ビームを決定してよい。第２チャネルは、第２チャネルの第２受信ビームを用いて受信される。つまり、このステップは、前述のステップＳ２８０〜Ｓ２８３と同様である。要するに、詳細はここで再び説明されない。
【０２０５】
本願で提供される信号伝送方法によると、端末装置が、第２チャネルを受信する必要のあるとき、第１チャネルのＴＣＩ状態の活性化コマンドに基づき決定されたＴＲＳは、第２チャネルを受信するためのＱＣＬ参照として依然として使用されてよく、又は、第２チャネルの少なくとも１つのＴＣＩ状態の中の第３ＴＣＩ状態は、第２チャネルを受信するためのＱＣＬ参照として使用され、又は、ＳＳＢは、第２チャネルを受信するためのＱＣＬ参照として使用される。これは、ＱＣＬ推測の精度を向上でき、その結果、端末装置は、より正確なビーム上で第２チャネルを受信し、第２チャネルの受信及び復調の効率を向上する。第１チャネルのＴＣＩ状態の活性化コマンドに基づき前に決定されたＴＲＳが使用されるので、第２構成情報は、ＴＲＳの構成情報を含まなくてよく、それにより、シグナリングオーバヘッド及びリソースの浪費を削減し、更にリソースを節約する。これは、通信効率及びユーザ経験を向上する。
【０２０６】
一実施形態では、第１チャネルは、ＰＤＣＣＨ又はＰＤＳＣＨである。第２チャネルは、ＰＤＣＣＨ又はＰＤＳＣＨである。理解されるべきことに、第１チャネル及び／又は第２チャネルは、代替として他のチャネルであってよい。これは、本願において限定されない。
【０２０７】
理解されるべきことに、端末装置は、前述の方法と同様の方法を用いて別のダウンリンク信号の規定ＱＣＬ参照を更に決定してよい。例えば、ダウンリンク信号は、ＣＳＩ−ＲＳであってよい。例えば、端末装置は、ＴＲＳ、ＳＳＢ、又はＣＳＩ−ＲＳの複数のＴＣＩ状態の中の第１ＴＣＩ状態を、ＣＳＩ−ＲＳの規定ＱＣＬ参照として使用する。ダウンリンク信号は、代替として、別のダウンリンク信号であってよい。これは、本願において限定されない。
【０２０８】
更に理解されるべきことに、端末装置は、前述の方法と同様の方法を用いてアップリンク信号又はアップリンクチャネルの規定ＱＣＬ参照を更に決定してよい。例えば、端末装置は、ＴＲＳ、ＳＳＢ、又は複数のＴＣＩ状態の中の第１ＴＣＩ状態を、アップリンク信号又はアップリンクチャネルの規定送信ビーム（spatial  relationship又はspatial  domain  filter）参照として使用してよい。アップリンク信号はＳＲＳであってよく、アップリンクチャネルは、物理アップリンク制御チャネル（physical  uplink  control  channel,  PUCCH）又は物理アップリンク共有チャネル（physical  uplink  shared  channel,  PUSCH）であってよい。例えば、端末装置は、ＴＲＳ、ＳＳＢ、又は複数のＴＣＩ状態の中の第１ＴＣＩ状態を、ＳＲＳの規定送信ビーム参照として使用してよい。これは、本願において限定されない。
【０２０９】
現在、プロトコルは、ＴＲＳが時間ドメインにおいて現れる一を指定する。具体的に、ＴＲＳは、各スロットの中の以下のシンボルにおいて現れてよい。
【０２１０】
周波数範囲１及び周波数範囲２（frequency  range  １及びfrequency  range  ２）では、ＴＲＳは以下のシンボルに現れてよい：（４，８）、（５，９）、又は（６，１０）。
【０２１１】
周波数範囲２（frequency  range  ２）では、ＴＲＳは以下のシンボルに現れてよい：（０，４）、（１，５）、（２，６）、（３，７）、（７，１１）、（８，１２）、又は（９，１３）。
【０２１２】
前述の番号は、スロットの中のシンボルのシーケンス番号を表す。更に、ＴＲＳはＣＳＩ−ＲＳ  ｒｅｓｏｕｒｃｅ  ｓｅｔであるので、１個のＣＳＩ−ＲＳリソースが前述のシンボルの各々で送信されることが分かる。更に、セット（set）内の全部のＣＳＩ−ＲＳリソースがＱＣＬパラメータを有する。つまり、ＴＲＳに含まれる全部のＣＳＩ−ＲＳリソースのＴＣＩ状態が、同じである必要がある。つまり、端末装置は、同じビーム上で、ＴＲＳに含まれる全部のＣＳＩ−ＲＳリソースを受信する必要がある。
【０２１３】
理解されるべきことに、本願の実施形態では、シンボルは時間ドメインシンボルとも呼ばれ、直交周波数分割多重（orthogonal  frequency  division  multiplexing,  OFDM）シンボル又はシングルキャリア周波数分割多元接続（singlecarrier  frequency  division  multiple  access,  SC-FDMA）シンボルであってよい。ここで、ＳＣ−ＦＤＭＡは、変換プリコーディングを伴う直交周波数分割多重（orthogonal  frequency  division  multiplexing  with  transform  precoding,  OFDM  with  TP）とも呼ばれる。
【０２１４】
現在のプロトコルは、１個のＳＳＢが４個の連続するＯＦＤＭシンボルを含み、２個のＳＳＢが各スロットで送信されることを指定する。２個のＳＳＢの可能な時間ドメイン位置は、それぞれ、第２シンボル〜第５シンボル、及び第６シンボル〜第９シンボルである。代替として、２個のＳＳＢの可能な時間ドメイン位置は、それぞれ、第４シンボル〜第７シンボル、及び第８シンボル〜第１１シンボルである。ＴＲＳは、３個のシンボルの間隔にある２個のシンボルに現れる。つまり、１個のＴＲＳの時間スパンは５個のＯＦＤＭシンボルである。更に、２個の隣接するＳＳＢは、異なるＱＣＬ情報を有する必要があるが、ＴＲＳに含まれるＣＳＩ−ＲＳリソースは、同じＱＣＬ情報を有する必要がある。同じＱＣＬ情報は同じビームを意味する。例えば、送信ビーム又は受信ビームが同じである。従って、現在の技術におけるＴＲＳの時間構成は、ＴＲＳとＳＳＢとの間の衝突を引き起こすことがあり、それにより性能に影響を与える。例えば、図１１は、ＴＲＳに含まれるＣＳＩ−ＲＳリソースの時間ドメイン位置及びＳＳＢの時間ドメイン位置の概略図である。ＴＲＳは、２個のＣＳＩ−ＲＳリソースを含み、２個のＣＳＩ−ＲＳリソースは、それぞれ、ｎ番目のスロットの中の第４シンボル及び第８シンボルで送信される。ＳＳＢ１は、第４シンボル〜第７シンボルを占有し、ＳＳＢ２は、第８シンボル〜第１１シンボルを占有する。第４シンボル及び第８シンボルは、該２個のシンボル上のＣＳＩ−ＲＳリソースが同じＴＲＳに属するので、一貫したＱＣＬ情報（例えば受信ビームの方向及び送信ビームの方向を含むビーム情報）を有する必要がある。ＳＳＢ１及びＳＳＢ２は、異なるＱＣＬ情報（ビーム情報）を有する。端末装置は、同時に１つのビームのみを受信できる。同時に１つのビームのみを受信することは、同じ瞬間に（例えば、同じシンボル上で）１つのビームのみを受信することとして理解できる。同時に受信することは、以下を含む：受信端（例えば、端末装置）は、同じ瞬間に１つの受信パラメータ（ＱＣＬパラメータ、これは同じビームとしても理解され得る）で複数の信号を受信する。また以下を含む：複数の異なる受信ビーム（異なる受信パラメータ）上で複数の信号を同時に受信する。第４シンボル上のＣＳＩ−ＲＳリソース及びＳＳＢ１が同じＱＣＬ情報を有する（少なくとも同じ受信ビーム方向を有する）と仮定した場合、第８シンボル上のＣＳＩ−ＲＳリソース及びＳＳＢ２は、異なるＱＣＬ情報を有する。ここで、異なるＱＣＬ情報は、端末装置の異なる受信ビームを示すが、端末装置は、同時に１つのビームしか受信できない。この場合、端末装置は、第８シンボル上で、ＣＳＩ−ＲＳリソース又はＳＳＢ２を受信できない。従って、受信問題が生じ、第８シンボル上でのＳＳＢ２の受信又はＣＳＩ−ＲＳリソースの受信が影響を受ける。これは、端末装置の性能に更に影響を与える。
【０２１５】
従って、本願は、信号伝送方法を更に提供する。これは、ＴＲＳの送信とＳＳＢの送信との間の衝突の問題を回避でき、ＴＲＳの送信及びＳＳＢの送信の信頼性を保証し、通信効率を向上する。
【０２１６】
以下は、添付の図面を参照して、本願の実施形態を詳細に説明する。
【０２１７】
図１２は、装置相互作用の観点から示される、信号伝送方法３００の概略フローチャートである。図１２に示すように、図１２に示した方法３００は、ステップ３１０〜ステップ３３０を含んでよい。以下は、図１２を参照して、方法３００のステップを詳細に説明する。
【０２１８】
理解されるべきことに、本願の本実施形態では、方法３００は、方法３００が端末装置及びネットワーク装置により実行される例を用いて説明される。例により、限定ではなく、方法３００は、代替として、端末装置内で使用されるチップ及びネットワーク装置内で使用されるチップにより実行されてよい。
【０２１９】
Ｓ３１０：ネットワーク装置は、ＳＳＢの時間ドメイン位置を決定する。
【０２２０】
Ｓ３２０：２つの隣接するＳＳＢの時間ドメイン位置が、第１追跡参照信号ＴＲＳに含まれる複数のチャネル状態情報参照信号ＣＳＩ−ＲＳの時間ドメイン位置と重なるとき、ネットワーク装置は、第１時間ドメイン位置で、第１ＴＲＳに含まれる複数のＣＳＩ−ＲＳを送信する。その結果、複数のＣＳＩ−ＲＳは同じＱＣＬ情報に対応し、２つの隣接するＳＳＢは異なるＱＣＬ情報に対応し、第１ＴＲＳは、複数のチャネル状態情報参照信号ＣＳＩ−ＲＳリソースを含むセットである。第１ＴＲＳは、ネットワーク装置により送信された任意のＴＲＳであってよい。
【０２２１】
Ｓ３３０：端末装置は、第１時間ドメイン位置において第１ＴＲＳを受信する。
【０２２２】
具体的に、図１１を参照して説明が提供される。第１ＴＲＳは、２個のＣＳＩ−ＲＳリソースを含み、２個のＣＳＩ−ＲＳリソースは、それぞれ、ｎ番目のスロット（slot）の中の第４シンボル及び第８シンボルで送信される。第１ＴＲＳは、任意のＴＲＳであってよい。ＳＳＢ１は、第４シンボル〜第７シンボルを占有し、ＳＳＢ２は、第８シンボル〜第１１シンボルを占有する。ＳＳＢ１及びＳＳＢ２は２個の隣接するＳＳＢである。現在時間ドメイン位置に基づき送信が実行される場合、端末装置の受信問題が生じる。従って、ネットワーク装置は、第１時間ドメイン位置で、第１ＴＲＳに含まれる複数のチャネル状態情報参照信号ＣＳＩ−ＲＳを送信する。その結果、２個のＣＳＩ−ＲＳは同じ対応するＱＣＬ情報を有する。従って、端末装置は、第１ＴＲＳを正しく受信でき、端末装置によるＴＲＳの受信の精度が向上する。これは、通信品質を向上する。
【０２２３】
一実装では、第１ＴＲＳの第１時間ドメイン位置は、第１スロットの中の、第２シンボル及び第５シンボル、又は第４シンボル及び第７シンボル、又は第６シンボル及び第９シンボル、又は第８シンボル及び第１１シンボルを含む。第１スロットは、ＴＲＳを送信するための任意のスロットであってよい。つまり、時間ドメインＴＲＳマッピングが新たに追加され、１個のＣＳＩ−ＲＳが３シンボル毎に送信される。図１１を参照して説明が提供される。ＳＳＢ１は第４シンボル〜第７シンボルを占有し、ＳＳＢ２は第８シンボル〜第１１シンボルを占有すると仮定する。第１ＴＲＳは、２個のＣＳＩ−ＲＳリソースを含む。第１ＣＳＩ−ＲＳは第２シンボル上で送信され、第２ＣＳＩ−ＲＳは第５シンボル上で送信される。２個のＳＳＢの可能な時間ドメイン位置は、それぞれ、第２シンボル〜第５シンボル、及び第６シンボル〜第９シンボルである。代替として、２個のＳＳＢの可能な時間ドメイン位置は、それぞれ、第４シンボル〜第７シンボル、及び第８シンボル〜第１１シンボルである。２個のＳＳＢの時間ドメイン位置の場合に拘わらず、第１ＴＲＳに含まれる２個のＣＳＩ−ＲＳは同じビーム上でＳＳＢとして送信されることが分かる。つまり、第１ＴＲＳに含まれる２個のＣＳＩ−ＲＳリソースのＱＣＬ情報は、２個のＳＳＢのＱＣＬ情報と衝突しない。これは、端末装置の正確な信号受信を保証する。
【０２２４】
理解されるべきことに、ＴＲＳがシンボル上で送信されるとき、ＴＲＳのＱＣＬ情報がＳＳＢのＱＣＬ情報と衝突しないならば、第１時間ドメイン位置は、代替として、別のシンボルを含んでよい。これは、本願の本実施形態において限定されない。
【０２２５】
別の実装では、ＳＳＢの時間ドメイン位置がＴＲＳの時間ドメイン位置と衝突するとき、ＴＲＳの時間ドメイン位置はシフトされてよく、ＴＲＳはシフト後に得られた時間ドメイン位置で送信される。例えば、図１１を参照して説明が提供される。８番目のシンボル上のＳＳＢ２を回避するために、第２ＣＳＩ−ＲＳの時間ドメイン位置は、送信のために第７シンボルへと前方にシフトされてよく、又は送信のために第１２シンボルへと後方にシフトされてよい。ネットワーク装置及び端末装置は、特定のシフト方向について予め合意する必要がある。特定のシフト方向及びシフトで横切るシンボルの数は、プロトコルで予め定められ、又はネットワーク装置により構成されてよい。これは、第１ＴＲＳに含まれる２個のＣＳＩ−ＲＳが、ＳＳＢと同じビームで同時に送信されることも保証できる。第１ＴＲＳに含まれる２個のＣＳＩ−ＲＳリソースのＱＣＬ情報は、２個のＳＳＢのＱＣＬ情報と衝突しない。これは、端末装置の正確な信号受信を保証する。
【０２２６】
別の実装では、第１時間ドメイン位置は、２つの隣接するＳＳＢの時間ドメイン位置と重ならない。言い換えると、ＴＲＳは、ＳＳＢの位置するリソースにマッピングされない。この方法では、ＳＳＢとＴＲＳとの間の衝突も回避できる。
【０２２７】
理解されるべきことに、本願の実施形態における方法、場合、種類、及び実施形態の分割は、単に説明を容易にするためであり、特定の限定を構成するべきではなく、種々の方法、種類、場合、及び実施形態における特徴は、矛盾のない場合に結合されてよい。
【０２２８】
更に理解されるべきことに、本願の実施形態では、「第１」、「第２」、等は、単に複数のオブジェクトが異なることを示すことを意図している。例えば、「第１ＴＣＩ状態」及び「第２ＴＣＩ状態」は、単に異なるＴＣＩ状態を示すことを意図しているが、ＴＣＩ状態に対して何からの影響を生じるべきではない。前述の「第１」、「第２」、等は、本願の実施形態に何らかの限定を生じるべきではない。
【０２２９】
更に理解されるべきことに、前述の説明は、当業者が本願の実施形態をよりよく理解することを助けることのみを意図しており、本発明の実施形態の範囲を限定することを意図しない。明らかなことに、当業者は、前述の例に基づき種々の等価な変更又は変化を行い得る。例えば、前述の方法２００及び方法３００の幾つかのステップは不要であってよく、幾つかのステップが新たに追加されてよい。代替として、前述の実施形態のうちの任意の２つ以上が組み合わされてよい。このような変更、変化、又は組み合わされたソリューションも、本願の実施形態の範囲内に包含される。
【０２３０】
更に理解されるべきことに、本願の実施形態の前述の説明は、実施形態の間の相違に焦点を当てる。言及されない同じ又同様の部分については、互いに参照する。要するに、詳細はここで再び説明されない。
【０２３１】
更に理解されるべきことに、前述の処理のシーケンス番号は、本願の種々の実施形態における実行順序を意味しない。処理の実行順序は、処理の機能及び内部ロジックに基づき決定されるべきであり、本発明の実施形態の実装処理に対する限定として考えられるべきではない。
【０２３２】
更に理解されるべきことに、本願の実施形態で、「予め設定される」及び「予め定められる」は、装置（例えば、端末装置及びネットワーク装置を含む）、対応するコード、対応するテーブル、又は関連情報を示すために使用され得る別の方法において、予め格納することにより実装されてよい。特定の実装は、本願において限定されない。
【０２３３】
更に理解されるべきことに、本願の実施形態では、特に断りの無い又は論理的衝突の無い限り、異なる実施形態の間の用語及び／又は説明は、一貫しており、相互に参照されてよく、異なる実施形態における技術的説く手用は、その内部的論理関係に基づき結合されて新しい実施形態を形成してよい。
【０２３４】
以上は、本願で提供される信号伝送方法の一例を詳細に説明した。前述の機能を実装するために、端末装置及びネットワーク装置はそれぞれ、各機能を実行する対応するハードウェア構造及び／又はソフトウェアモジュールを含むことが理解され得る。当業者は、本願に開示された実施形態で説明された例のユニット及びアルゴリズムステップと組み合わせて、本願がハードウェア又はハードウェアとコンピュータソフトウェアとの組み合わせにより実装できることを容易に認識すべきである。機能がハードウェア又はコンピュータソフトウェアにより駆動されるハードウェアにより実行されるかは、技術的ソリューションの特定の適用及び設計制約に依存する。当業者は、特定の適用毎に、記載の機能を実施するために異なる方法を使用してよいが、実装が本願の範囲を超えると考えられるべきではない。
【０２３５】
以下は、本願による通信機器を説明する。
【０２３６】
図１３は、本願による通信機器の概略構造図である。通信機器４００は、通信ユニット４１０と処理ユニット４２０とを含む。
【０２３７】
通信ユニット４１０は、第１構成情報を受信するよう構成される。ここで、第１構成情報は、少なくとも１つの送信構成指示ＴＣＩ状態、及び第１チャネルの追跡参照信号ＴＲＳの構成を含み、ＴＲＳは、複数のチャネル状態情報参照信号ＣＳＩ−ＲＳリソースを含むセットである。
【０２３８】
処理ユニット４２０は、ＴＲＳの中の第１ＴＲＳに含まれる複数のＣＳＩ−ＲＳリソースの中の第１ＣＳＩ−ＲＳリソース、少なくとも１つのＴＣＩ状態の中の第１ＴＣＩ状態、並びに同期信号及びＰＢＣＨブロックＳＳＢ、のうちの１つ以上に基づき、第１チャネルの疑似コロケーションＱＣＬパラメータを決定するよう構成される。
【０２３９】
通信ユニット４１０は、第１チャネルのＱＣＬパラメータに基づき、第１チャネルを受信するよう更に構成される。
【０２４０】
任意的に、通信ユニット４１０は、方法２００及び図２〜図９Ｂにおける端末装置により情報を受信する及び送信するステップを実行するよう構成される、受信ユニット（モジュール）及び送信ユニット（モジュール）を含んでよい。任意的に、通信機器４００は、通信ユニット４１０により実行される命令を格納するよう構成される記憶ユニットと、処理ユニット４２０と、を更に含んでよい。
【０２４１】
通信機器４００は、通信装置であってよく、又は通信装置内のチップであってよい。通信機器が通信装置であるとき、処理ユニットはプロセッサであってよく、トランシーバユニットはトランシーバであってよい。通信装置は、記憶ユニットを更に含んでよく、記憶ユニットはメモリであってよい。記憶ユニットは、命令を格納するよう構成され、処理ユニットは、記憶ユニットに格納された命令を実行し、その結果、通信装置が前述の方法を実行する。通信機器が通信装置内のチップであるとき、処理ユニットはプロセッサであってよく、トランシーバユニットは、入力／出力インタフェース、ピン、回路、等であってよい。処理ユニットは、記憶ユニットに格納された命令を実行し、その結果、通信機器は、前述の方法２００において端末装置により実行される動作を実行する。記憶ユニットは、チップ内の記憶ユニット（例えば、レジスタ又はキャッシュ）であってよく、又は通信装置内のチップの外部にある記憶ユニット（例えば、読み出し専用メモリ又はランダムアクセスメモリ）であってよい。
【０２４２】
当業者により明らかに理解され得ることに、通信機器４００により実行されるステップ及び対応する有利な効果について、前述の方法２００の端末装置の関連する説明を参照する。要するに、詳細はここで再び説明されない。
【０２４３】
理解されるべきことに、通信ユニット４１０は、トランシーバにより実装されてよく、処理ユニット４２０はプロセッサにより実装されてよい。記憶ユニットは、メモリにより実装されてよい。図１４に示されるように、通信機器５００は、プロセッサ５１０、メモリ５２０及びトランシーバ５３０を含んでよい。
【０２４４】
図１３に示される通信機器４００又は図１４に示される通信機器５００は、方法２００、及び図２〜図９Ｂにおいて端末装置により実行されるステップを実装できる。同様の説明については、対応する方法における説明を参照する。繰り返しを避けるため、詳細はここで再び記載されない。
【０２４５】
図１５は、本願による通信機器の概略構造図である。通信機器６００は、通信ユニット６１０と処理ユニット６２０とを含む。
【０２４６】
通信ユニット６１０は、第１構成情報を送信するよう構成される。ここで、第１構成情報は、少なくとも１つの送信構成指示ＴＣＩ状態、及び第１チャネルの追跡参照信号ＴＲＳの構成を含み、ＴＲＳは、複数のチャネル状態情報参照信号ＣＳＩ−ＲＳリソースを含むセットである。
【０２４７】
通信ユニット６１０は、第１チャネルの第１送信ビームを用いて、第１チャネルを送信するよう更に構成される。
【０２４８】
任意的に、通信ユニット６１０は、方法２００及び図２〜図９Ｂにおけるネットワーク装置により情報を受信する及び送信するステップを実行するよう構成される、受信ユニット（モジュール）及び送信ユニット（モジュール）を含んでよい。任意的に、通信機器６００は、通信ユニット６１０により実行される命令を格納するよう構成される記憶ユニットと、処理ユニット６２０と、を更に含んでよい。
【０２４９】
通信機器６００は、通信装置であってよく、又は通信装置内のチップであってよい。通信機器が通信装置であるとき、処理ユニットはプロセッサであってよく、トランシーバユニットはトランシーバであってよい。通信装置は、記憶ユニットを更に含んでよく、記憶ユニットはメモリであってよい。記憶ユニットは、命令を格納するよう構成され、処理ユニットは、記憶ユニットに格納された命令を実行し、その結果、通信装置が前述の方法を実行する。機器が通信装置内のチップであるとき、処理ユニットはプロセッサであってよく、トランシーバユニットは、入力／出力インタフェース、ピン、回路、等であってよい。処理ユニットは、記憶ユニットに格納された命令を実行し、その結果、通信装置は、前述の方法２００においてネットワーク装置により実行される動作を実行する。記憶ユニットは、チップ内の記憶ユニット（例えば、レジスタ又はキャッシュ）であってよく、又は通信装置内のチップの外部にある記憶ユニット（例えば、読み出し専用メモリ又はランダムアクセスメモリ）であってよい。
【０２５０】
当業者により明らかに理解され得ることに、通信機器６００により実行されるステップ及び対応する有利な効果について、前述の方法２００のネットワーク装置の関連する説明を参照する。要するに、詳細はここで再び説明されない。
【０２５１】
理解されるべきことに、通信ユニット６１０は、トランシーバにより実装されてよく、処理ユニット６２０はプロセッサにより実装されてよい。記憶ユニットは、メモリにより実装されてよい。図１６に示されるように、通信機器７００は、プロセッサ７１０、メモリ７２０及びトランシーバ７３０を含んでよい。
【０２５２】
図１５に示される通信機器６００又は図１６に示される通信機器７００は、方法２００、及び図２〜図９Ｂにおいて端末装置により実行されるステップを実装できる。同様の説明については、対応する方法における説明を参照する。繰り返しを避けるため、詳細はここで再び記載されない。
【０２５３】
図１７は、本願による通信機器の概略構造図である。通信機器８００は、処理ユニット８１０と通信ユニット８２０とを含む。
【０２５４】
処理ユニット８１０は、同期信号及びＰＢＣＨブロックＳＳＢの時間ドメイン位置を決定するよう構成される。
【０２５５】
通信ユニット８２０は、２つの隣接するＳＳＢの時間ドメイン位置が、第１追跡参照信号ＴＲＳに含まれる複数のチャネル状態情報参照信号ＣＳＩ−ＲＳの時間ドメイン位置と重なるとき、第１時間ドメイン位置で、第１ＴＲＳに含まれる複数のＣＳＩ−ＲＳを送信する。その結果、複数のＣＳＩ−ＲＳは同じ疑似コロケーションＱＣＬ情報に対応し、２つの隣接するＳＳＢは異なるＱＣＬ情報に対応し、第１ＴＲＳは、複数のチャネル状態情報参照信号ＣＳＩ−ＲＳリソースを含むセットである。
【０２５６】
通信機器８００は、通信装置であってよく、又は通信装置内のチップであってよい。通信機器が通信装置であるとき、処理ユニットはプロセッサであってよく、トランシーバユニットはトランシーバであってよい。通信装置は、記憶ユニットを更に含んでよく、記憶ユニットはメモリであってよい。記憶ユニットは、命令を格納するよう構成され、処理ユニットは、記憶ユニットに格納された命令を実行し、その結果、通信装置が前述の方法を実行する。機器が通信装置内のチップであるとき、処理ユニットはプロセッサであってよく、トランシーバユニットは、入力／出力インタフェース、ピン、回路、等であってよい。処理ユニットは、記憶ユニットに格納された命令を実行し、その結果、通信装置は、前述の方法３００においてネットワーク装置により実行される動作を実行する。記憶ユニットは、チップ内の記憶ユニット（例えば、レジスタ又はキャッシュ）であってよく、又は通信装置内のチップの外部にある記憶ユニット（例えば、読み出し専用メモリ又はランダムアクセスメモリ）であってよい。
【０２５７】
任意的に、通信ユニット８１０は、方法３００及び図１２におけるネットワーク装置により情報を受信する及び送信するステップを実行するよう構成される、受信ユニット（モジュール）及び送信ユニット（モジュール）を含んでよい。任意的に、通信機器８００は、通信ユニット８１０により実行される命令を格納するよう構成される記憶ユニットと、処理ユニット８２０と、を更に含んでよい。
【０２５８】
理解されるべきことに、通信ユニット８１０は、トランシーバにより実装されてよく、処理ユニット８２０はプロセッサにより実装されてよい。記憶ユニットは、メモリにより実装されてよい。図１８に示されるように、通信機器９００は、プロセッサ９１０、メモリ９２０及びトランシーバ９３０を含んでよい。
【０２５９】
図１７に示される通信機器８００又は図１８に示される通信機器９００は、方法３００、及び図１２においてネットワーク装置により実行されるステップを実装できる。同様の説明については、対応する方法における説明を参照する。繰り返しを避けるため、詳細はここで再び記載されない。
【０２６０】
前述の機器の実施形態におけるネットワーク装置及び端末装置は、方法の実施形態におけるネットワーク装置及び端末装置に完全に対応する。対応するモジュール又はユニットは対応するステップを実行する。例えば、トランシーバユニット（トランシーバ）は、方法の実施形態における送信するステップ及び／又は受信するステップを実行し、送信するステップ及び受信するステップ以外の別のステップは処理ユニット（プロセッサ）により実行されてよい。特定のユニットの機能については、対応する方法の実施形態を参照する。送信ユニット及び受信ユニットはトランシーバユニットを形成してよく、送信機及び受信機はトランシーバを形成してよく、一緒に受信機能及び送信機能を実施する１つ以上のプロセッサがあってよい。
【０２６１】
理解されるべきことに、前述のユニットの分割は単なる機能的分割であり、実際の実装中には別の分割方法があってよい。
【０２６２】
端末装置又はネットワーク装置はチップであってよく、処理ユニットはハードウェア又はソフトウェアにより実装されてよい。ハードウェアにより実装されるとき、処理ユニットは論理回路、集積回路、等であってよい。ソフトウェアにより実装されるとき、処理ユニットは、汎用プロセッサであってよく、記憶ユニットに格納されたソフトウェアコードを読み出すことにより実装される。記憶ユニットは、プロセッサに統合されてよく、又はプロセッサの外部に位置し独立に存在してよい。
【０２６３】
図１９は、本願による端末装置１０の概略構造図である。説明を容易にするために、図６は、端末装置の主要なコンポーネントのみを示す。図１９に示すように、端末装置１０は、プロセッサと、メモリと、制御回路と、アンテナと、入力／出力機器と、を含む。
【０２６４】
プロセッサは、主に、通信プロトコル及び通信データを処理し、端末装置全体を制御し、ソフトウェアプログラムを実行し、及びソフトウェアプログラムのデータを処理するよう構成される。例えば、プロセッサは、前述の信号伝送方法の実施形態で説明した動作を実行する際に端末装置をサポートするよう構成される。メモリは、主に、ソフトウェアプログラム及びデータを格納するよう構成される。制御回路は、主に、ベースバンド信号と無線周波数信号との間の変換を実行し、無線周波数信号を処理するよう構成される。制御回路とアンテナの組み合わせは、主に電磁波の形式の無線周波数信号を送信及び受信するよう構成されるトランシーバとも呼ばれてよい。タッチスクリーン、ディスプレイスクリーン、又はキーボードのような入力／出力機器は、主に、ユーザにより入力されたデータを受信し、ユーザにデータを出力するよう構成される。
【０２６５】
端末装置が起動された後に、プロセッサは、記憶ユニット内のソフトウェアプログラムを読み出し、ソフトウェアプログラムの命令を説明し及び実行し、ソフトウェアプログラムのデータを処理してよい。データが無線方式で送信される必要があるとき、被送信データにベースバンド処理を実行した後に、プロセッサは、ベースバンド信号を無線周波数回路へと出力する。ベースバンド信号に無線周波数処理を実行した後に、無線周波数回路は、無線周波数信号を電磁波の形式でアンテナを通じて外部へと送信する。データは端末装置へ送信されるとき、無線周波数回路は、無線周波数信号をアンテナを通じて受信し、無線周波数信号をベースバンド信号に変換し、ベースバンド信号をプロセッサへ出力する。プロセッサは、ベースバンドシング脳をデータに変換し、データを処理する。
【０２６６】
当業者は、説明を容易にするために、図１９が１個のみのメモリと１個のみのプロセッサとを示すことを理解し得る。実際の端末装置は、複数のプロセッサと複数のメモリとを有してよい。メモリは、記憶媒体、記憶装置、等とも呼ばれてよい。これは、本願の実施形態において限定されない。
【０２６７】
任意的実装では、プロセッサは、ベースバンドプロセッサと中央処理ユニットとを含んでよい。ベースバンドプロセッサは、主に、通信プロトコル及び通信データを処理するよう構成される。中央処理ユニットは、主に、端末装置全体を制御し、ソフトウェアプログラムを実行し、及びソフトウェアプログラムのデータを処理するよう構成される。ベースバンドプロセッサ及び中央処理ユニットの機能は、図１９のプロセッサに統合される。当業者は、ベースバンドプロセッサ及び中央処理ユニットがそれぞれ、独立したプロセッサであってよく、バスのような技術を用いて相互接続されることを理解し得る。当業者は、端末装置が、異なるネットワーク規格に適応するために複数のプロセッサを含んでよく、端末装置が、端末装置の処理能力を向上するために複数の中央処理ユニットを含んでよく、端末装置のコンポーネントは種々のバスを用いて接続されてよいことを理解し得る。ベースバンドプロセッサは、ベースバンド処理回路又はベースバンド処理チップとしても表されてよい。中央処理ユニットは、中央処理回路又は中央処理チップとしても表されてよい。通信プロトコル及び通信データを処理する機能は、プロセッサ内に構築されてよく、又はソフトウェアプログラムの形式で記憶ユニットに格納されてよい。プロセッサは、ベースバンド処理機能を実装するためにソフトウェアプログラムを実行する。
【０２６８】
例えば、本願の本実施形態では、受信及び送信機能を有するアンテナ及び制御回路は、端末装置１０のトランシーバユニット１０１と考えられてよく、処理機能を有するプロセッサは、端末装置１０の処理ユニット１０２と考えられてよい。図１９に示されるように、端末装置１０はトランシーバユニット１０１と処理ユニット１０２とを含む。トランシーバユニットは、トランシーバ、トランシーバ機械、トランシーバ機器、等とも呼ばれてよい。任意的に、トランシーバユニット１０１内にあり受信機能を実装するよう構成されるコンポーネントは、受信ユニットと考えられてよく、トランシーバユニット１０１内にあり送信機能を実装するよう構成されるコンポーネントは送信ユニットと考えられてよい。言い換えると、トランシーバユニット１０１は、受信ユニットと送信ユニットとを含む。例えば、受信ユニットは、受信機、受信機械、受信回路、等とも呼ばれてよく、送信ユニットは、送信機、送信機械、送信回路、等とも呼ばれてよい。
【０２６９】
図１９に示す端末装置１０は、図２〜図９Ｂ及び図１２の方法の実施形態における端末装置に関連する処理を実装できる。端末装置１０内のモジュールの動作及び／又は機能は、前述の方法の実施形態における対応する手順を実装することを意図している。詳細については、前述の方法の実施形態における説明を参照する。繰り返しを避けるため、詳細な説明はここでは適切に省略される。
【０２７０】
図２０は、本願の一実施形態によるネットワーク装置の概略構造図であり、基地局の概略構造図であってよい。図２０に示すように、ネットワーク装置２０は、図１に示すシステムの中で使用され、前述の方法の実施形態におけるネットワーク装置の機能を実行してよい。
【０２７１】
ネットワーク装置は、図１に示す通信システムの中で使用され、前述の方法の実施形態におけるネットワーク装置の機能を実行してよい。基地局２０は、リモート無線ユニット（remote  radio  unit,  RRU）２０１及び１つ以上のベースバンドユニット（baseband  unit,  BBU）（これは、デジタルユニット（digital  unit,  DU）とも呼ばれてよい）２０２のような１つ以上の無線周波数ユニットを含んでよい。ＲＲＵ２０１は、トランシーバユニット、トランシーバ機械、トランシーバ回路、トランシーバ、等と呼ばれてよく、少なくとも１つのアンテナ２０１１及び無線周波数ユニット２０１２を含んでよい。ＲＲＵ２０１部分は、主に、無線周波数信号の受信及び送信、並びに無線周波数信号とベースバンド信号との間の変換を実行するよう構成され、例えば、前述の方法の実施形態ではＰＤＣＣＨ及び／又はＰＤＳＣＨを送信するよう構成される。ＢＢＵ２０２部分は、主に、ベースバンド処理を実行する、基地局を制御する、等のように構成される。ＲＲＵ２０１及びＢＢＵ２０２は、物理的に一緒に配置されてよく、又は物理的に別個に配置されてよく、具体的に言うと分散型基地局であってよい。
【０２７２】
ＢＢＵ２０２は、基地局の制御局であり、処理ユニットと呼ばれてもよく、主に、チャネル符号化、多重化、変調、又は拡散のようなベースバンド処理機能を達成するよう構成される。例えば、ＢＢＵ（処理ユニット）２０２は、方法の実施形態におけるネットワーク装置に関連する動作手順を実行するよう基地局を制御するよう構成されてよい。
【０２７３】
一実施形態では、ＢＢＵ２０２は、１つ以上の基板を含んでよい。複数の基板は、共同で、単一のアクセス規格の（ＬＴＥネットワークのような）無線アクセスネットワークをサポートしてよく、又は別個に、異なるアクセス規格の（ＬＴＥネットワーク、５Ｇネットワーク、又は別のネットワークのような）無線アクセスネットワークをサポートしてよい。ＢＢＵ２０２は、メモリ２０２１とプロセッサ２０２２とを更に含む。メモリ２０２１は、必要な命令及び必要なデータを格納するよう構成される。プロセッサ２０２２は、必要な動作を実行するよう基地局を制御するよう構成される。例えば、プロセッサ２０２２は、前述の方法の実施形態におけるネットワーク装置に関連する動作手順を実行するよう基地局を制御するよう構成される。メモリ２０２１及びプロセッサ２０２２は、１つ以上の基板にサービスしてよい。つまり、メモリ及びプロセッサは、各基板に配置されてよい。代替として、複数の基板が同じメモリ及び同じプロセッサを共有してよい。更に、必要な回路が、各基板に更に配置されてよい。
【０２７４】
理解されるべきことに、図２０に示すネットワーク装置２０は、図２〜図９Ｂ及び図１２の方法の実施形態におけるネットワーク装置に関連する処理を実装できる。ネットワーク装置２０内のモジュールの動作及び／又は機能は、前述の方法の実施形態における対応する手順を実装することを意図している。詳細については、前述の方法の実施形態における説明を参照する。繰り返しを避けるため、詳細な説明はここでは適切に省略される。
【０２７５】
本願の一実施形態は、プロセッサとインタフェースとを含む処理機器を更に提供する。プロセッサは、前述の方法の実施形態のうちのいずれか１つにおける信号伝送方法を実行するよう構成される。
【０２７６】
理解されるべきことに、処理機器はチップであってよい。例えば、処理機器は、フィールドプログラマブルゲートアレイ（Field-Programmable  Gate  Array,  FPGA）、特定用途向け集積チップ（Application  Specific  Integrated  Circuit,  ASIC）、システムオンチップ（System  on  Chip,  SoC）、中央処理ユニット（Central  Processor  Unit,  CPU）、ネットワークプロセッサ（Network  Processor,  NP）、デジタル信号処理回路（Digital  Signal  Processor,  DSP）、マイクロコントローラ（Micro  Controller  Unit,  MCU）、プログラマブルコントローラ（Programmable  Logic  Device,  PLD）、又は別の集積チップであってよい。
【０２７７】
一実装プロセスでは、前述の方法のステップは、プロセッサ内のハードウェア集積論理回路又はソフトウェアの形式の命令を用いて達成されてよい。本願の実施形態を参照して開示された方法のステップは、ハードウェアプロセッサにより直接実行され達成されてよく、又はプロセッサ内のハードウェアとソフトウェアモジュールとの結合を通じて実行され達成されてよい。ソフトウェアモジュールは、ランダムアクセスメモリ、フラッシュメモリ、読み出し専用メモリ、プログラマブル読み出し専用メモリ、電気的消去可能プログラマブルメモリ、又はレジスタのような、従来の成熟した記憶媒体に置かれてよい。記憶媒体はメモリ内に置かれてよく、プロセッサはメモリ内の情報を読み出し、プロセッサのハードウェアと組み合わせて前述の方法のステップを達成する。繰り返しを避けるため、詳細はここで再び記載されない。
【０２７８】
留意すべき事に、本願の実施形態におけるプロセッサは、集積回路チップであってよく、信号処理能力を有する。一実装プロセスでは、前述の方法の実施形態のステップは、プロセッサ内のハードウェア集積論理回路又はソフトウェアの形式の命令を用いて達成されてよい。前述のプロセッサは、汎用プロセッサ、デジタル信号プロセッサ（Digital  Signal  Processor,  DSP）、特定用途向け集積回路（Application  Specific  Integrated  Circuit,  ASIC）、フィールドプログラマブルゲートアレイ（Field  Programmable  Gate  Array,  FPGA）、又は別のプログラマブル論理素子、個別ゲート若しくはトランジスタ論理素子、又は個別ハードウェアコンポーネントであってよい。それは、本願の実施形態で開示された方法、ステップ、論理ブロック図を実装し又は実行してよい。汎用プロセッサはマイクロプロセッサであってよく、又はプロセッサは任意の従来のプロセッサ等であってよい。本願の実施形態を参照して開示された方法のステップは、ハードウェア復号プロセッサにより直接実行され達成されてよく、又は復号プロセッサ内のハードウェアとソフトウェアモジュールとの結合を通じて実行され達成されてよい。ソフトウェアモジュールは、ランダムアクセスメモリ、フラッシュメモリ、読み出し専用メモリ、プログラマブル読み出し専用メモリ、電気的消去可能プログラマブルメモリ、又はレジスタのような、従来の成熟した記憶媒体に置かれてよい。記憶媒体はメモリ内に置かれてよく、プロセッサはメモリ内の情報を読み出し、プロセッサのハードウェアと組み合わせて前述の方法のステップを達成する。
【０２７９】
本願の実施形態では、メモリは揮発性メモリ又は不揮発性メモリであってよく、又は揮発性メモリ及び不揮発性メモリの両方を含んでよいことが理解され得る。不揮発性メモリは、読み出し専用メモリ（Read-Only  Memory,  ROM）、プログラマブル読み出し専用メモリ（Programmable  ROM,  PROM）、消去可能プログラマブル読み出し専用メモリ（Erasable  PROM,  EPROM）、電気的消去可能プログラマブル読み出し専用メモリ（Electrically  EPROM,  EEPROM）、又はフラッシュメモリであってよい。揮発性メモリは、外部キャッシュとして使用されるランダムアクセスメモリ（Random  Access  Memory,  RAM）であってよい。例として使用される説明によると、限定ではなく、多くの形式のＲＡＭ、例えば、静的ランダムアクセスメモリ（Static  RAM,  SRAM）、動的ランダムアクセスメモリ（Dynamic  RAM,  DRAM）、同期動的ランダムアクセスメモリ（Synchronous  DRAM,  SDRAM）、ダブルデータレート同期動的ランダムアクセスメモリ（Double  Data  Rate  SDRAM,  DDR  SDRAM）、拡張同期動的ランダムアクセスメモリ（Enhanced  SDRAM,  ESDRAM）、シンクリンク動的ランダムアクセスメモリ（Synchlink  DRAM,  SLDRAM）、及び直接ランバスランダムアクセスメモリ（Direct  Rambus  RAM,  DR  RAM）が利用可能である。留意すべきことに、本明細書に記載されたシステム及び方法の中のメモリは、限定ではないが、これらのメモリ及び別の適切な種類の任意のメモリを含むことを意図する。
【０２８０】
本願の一実施形態は、前述の送信端装置と受信端装置とを含む通信システムを更に提供する。例えば、送信端装置はネットワーク装置であり、受信端装置は端末装置であり、又は送信端装置は端末装置であり、受信端装置はネットワーク装置である。
【０２８１】
本願の一実施形態は、コンピュータ記憶媒体を更に提供する。コンピュータ記憶媒体はコンピュータプログラムを格納する。コンピュータプログラムがコンピュータにより実行されると、前述の方法の実施形態のうちのいずれか１つにおける信号伝送方法が実施される。
【０２８２】
本願の一実施形態は、コンピュータプログラムプロダクトを更に提供する。コンピュータプログラムプロダクトがコンピュータにより実行されると、前述の方法の実施形態のうちのいずれか１つにおける信号伝送方法が実施される。
【０２８３】
本願の一実施形態は、システムチップを更に提供する。システムチップは、処理ユニットと通信ユニットとを含む。ここで、処理ユニットは、例えばプロセッサであってよく、通信ユニットは、例えば入力／出力インタフェース、ピン、又は回路であってよい。処理ユニットは、コンピュータ命令を実行してよい。その結果、通信機器の中のチップは、本願の前述の実施形態で提供された任意の信号伝送方法を実行する。
【０２８４】
任意的に、コンピュータ命令は記憶ユニットに格納される。
【０２８５】
任意的に、記憶ユニットは、チップ内の記憶ユニット、例えばレジスタ又はキャッシュである。或いは、記憶ユニットは、端末内にあるがチップの外部にある記憶ユニット、例えば読み出し専用メモリ（read-only  memory,  ROM）又は静的情報及び命令を格納する能力のある別の種類の静的記憶装置、又はランダムアクセスメモリ（random  access  memory,  RAM）であってよい。前述の設計のうちの任意の１つで言及されたプロセッサは、ＣＰＵ、マイクロプロセッサ、ＡＳＩＣ、又はフィードバック情報伝送方法のプログラム実行を制御するために使用される１つ以上の集積回路であってよい。処理ユニット及び記憶ユニットは、分離されてよく、異なる物理装置に別個に配置され、有線又は無線方式で接続されて処理ユニット及び記憶ユニットのそれぞれの機能を実施して、前述の実施形態の中の種々の機能を実行する。代替として、処理ユニット及びメモリは同じ装置に接続されてよい。
【０２８６】
前述の実施形態の全部又は一部は、ソフトウェア、ハードウェア、ファームウェア、又はそれらの任意の組み合わせを通じて実装されてよい。実施形態を実装するためにソフトウェアが使用されるとき、実施形態は、コンピュータプログラムプロダクトの形式で完全に又は部分的に実装されてよい。コンピュータプログラムプロダクトは、１つ以上のコンピュータ命令を含む。コンピュータ命令は、コンピュータ上にロードされ又は実行されると、本願の実施形態による手順又は機能が完全に又は部分的に生成される。コンピュータは、汎用コンピュータ、専用コンピュータ、コンピュータネットワーク、又は別のプログラマブル機器であってよい。コンピュータ命令は、コンピュータ可読記憶媒体に格納されてよく、又はコンピュータ可読記憶媒体から別のコンピュータ可読記憶媒体へ送信されてよい。例えば、コンピュータ命令は、ウェブサイト、コンピュータ、サーバ、又はデータセンタから、別のウェブサイト、コンピュータ、サーバ、又はデータセンタへ、有線（例えば、同軸ケーブル、光ファイバ、又はデジタル加入者回線（digital  subscriber  line,  DSL））又は無線（例えば、赤外線、無線、又はマイクロ波）方式で送信されてよい。コンピュータ可読記憶媒体は、コンピュータによりアクセス可能な任意の使用可能媒体、又は１つ以上の使用可能媒体を統合するサーバ若しくはデータセンタのようなデータ記憶装置であってよい。使用可能媒体は、磁気媒体（例えば、フロッピーディスク、ハードディスク、又は磁気テープ）、光媒体（例えば、高密度時デジタルビデオディスク（digital  video  disc,  DVD））、半導体媒体（例えば、固体ドライブ（solid  state  disk,  SSD））等であってよい。
【０２８７】
理解されるべきことに、以上は通信システム内でダウンリンク送信で使用される通信方法を説明した。しかしながら、本願はそれらに限定されない。任意的に、前述のソリューションと類似するソリューションが、アップリンク送信で使用されてもよい。繰り返しを避けるため、詳細はここで再び記載されない。
【０２８８】
前述の機器の実施形態におけるネットワーク装置及び端末装置は、方法の実施形態におけるネットワーク装置及び端末装置に完全に対応する。対応するモジュール又はユニットは対応するステップを実行する。例えば、送信モジュール（送信機）は方法の実施形態における送信するステップを実行し、受信モジュール（受信機）は方法の実施形態における受信するステップを実行し、送信するステップ及び受信するステップ以外の別のステップは処理モジュール（プロセッサ）により実行されてよい。特定のモジュールの機能については、対応する方法の実施形態を参照する。送信モジュール及び受信モジュールはトランシーバモジュールを形成してよく、送信機及び受信機はトランシーバを形成してよく、一緒に受信機能及び送信機能を実施する。１つ以上のプロセッサがあってよい。
【０２８９】
本願では、「少なくとも１つ」は１つ以上を意味し、「複数の」は２つ以上を意味する。用語「及び／又は」は、関連付けられたオブジェクトの間の関連付け関係を記述し、３つの関係が存在し得ることを表す。例えば、Ａ及び／又はＢは、以下の場合を表してよい。Ａのみが存在する、Ａ及びＢの両方が存在する、並びにＢのみが存在する、であり、ここでＡ及びＢは単数又は複数形であってよい。文字「／」は、通常、関連付けられたオブジェクトの間の「又は」の関係を示す。「以下のうちの少なくとも１つ」又はその同様の表現は、以下の任意の組み合わせを示し、以下のうちの１つ以上の任意の組み合わせを含む。例えば、ａ、ｂ、又はｃのうちの少なくとも１つは、ａ、ｂ、ｃ、ａ−ｂ、ａ−ｃ、ｂ−ｃ、又はａ−ｂ−ｃを示してよく、ここで、ａ、ｂ、ｃは単数又は複数であってよい。
【０２９０】
理解されるべきことに、明細書全体において言及される「一実施形態」又は「実施形態」は、実施形態に関連する特定の特徴、構造、又は特性が、本願の少なくとも一実施形態に含まれることを意味する。従って、明細書全体を通じて現れる「一実施形態では」又は「実施形態では」は、必ずしも同じ実施形態を意味しない。更に、これらの特定の特徴、構造、又は特性は、任意の適正な方法で１つ以上の実施形態の中で結合されてよい。理解されるべきことに、前述の処理のシーケンス番号は、本願の実施形態における実行順序を意味しない。処理の実行順序は、処理の機能及び内部ロジックに基づき決定されるべきであり、本発明の実施形態の実装処理に対する限定として考えられるべきではない。
【０２９１】
本明細書で使用される「コンポーネント」、「モジュール」、及び「システム」のような用語は、コンピュータ関連エンティティ、ハードウェア、ファームウェア、ハードウェアとソフトウェアとの組み合わせ、ソフトウェア、又は実行中のソフトウェアを示すために使用される。例えば、コンポーネントは、限定ではないが、プロセッサじょうで実行するプロセス、プロセッサ、オブジェクト、実行ファイル、実行のスレッド、プログラム、及び／又はコンピュータであってよい。図に示すように、コンピューティング装置及びコンピューティング装置上で実行するアプリケーションは、両者とも、コンポーネントであってよい。１つ以上のコンポーネントは、プロセス及び／又は実行のスレッドの中に存在してよく、コンポーネントは、１つのコンピュータ上に位置し及び／又は２つ以上のコンピュータの間で分散されてよい。更に、これらのコンポーネントは、種々のデータ構造を格納する種々のコンピュータ可読媒体により実行されてよい。例えば、コンポーネントは、ローカル及び／又はリモートプロセスを用いて、１つ以上のデータパケットを有する信号（例えば、ローカルシステム内の、分散型システム内の、及び／又はインターネットのようなネットワークに渡る、該信号を用いて他のシステムと相互作用する、別のコンポーネントと相互作用する２つのコンポーネントからのデータ）に基づき、通信してよい。
【０２９２】
理解されるべきことに、本明細書における用語「及び／又は」は、単に関連付けられたオブジェクトを説明する関連付け関係を記述し、３つの関係が存在し得ることを表す。例えば、Ａ及び／又はＢは、以下の３つの場合を表してよい。Ａのみが存在する、Ａ及びＢの両方が存在する、並びに、Ｂのみが存在する。
【０２９３】
当業者は、本明細書に開示された実施形態で記載された例示的な論理ブロック（illustrative  logical  block）及びステップ（step）と組み合わせて、本願が電子ハードウェア又はコンピュータソフトウェアと電子ハードウェアとの組み合わせにより実装されてよいことを認識し得る。機能がハードウェア又はソフトウェアにより実行されるかは、技術的ソリューションの特定の適用及び設計制約条件に依存する。当業者は、特定の適用毎に、記載の機能を実施するために異なる方法を使用してよいが、実装が本願の範囲を超えると考えられるべきではない。
【０２９４】
便宜上及び簡潔な説明を目的として、前述jのシステム、機器、及びユニットの詳細な作動プロセスについては、前述の方法の実施形態における対応するプロセスを参照し、詳細はここで再び記載されないことが、当業者により明確に理解され得る。
【０２９５】
本願において提供された幾つかの実施形態では、理解されるべきことに、開示のシステム、機器、及び方法は他の方法で実装されてよい。例えば、記載の機器の実施形態は単なる例である。例えば、ユニット分割は、単なる論理的機能分割であり、実際の実装では他の分割であってよい。例えば、複数のユニット又はコンポーネントは、結合され又は別のシステムに統合されてよく、或いは、幾つかの機能は、無視され又は実行されなくてよい。更に、示された又は議論された相互結合又は直接結合又は通信接続は、幾つかのインタフェースを通じて実装されてよい。機器又はユニット間の間接結合又は通信接続は、電子的、機械的、又は他の形式で実装されてよい。
【０２９６】
別個のコンポーネントとして記載されたユニットは、物理的に分離していてよく又はそうでなくてよい。ユニットとして示されたコンポーネントは、物理的ユニットであってよく又はそうでなくてよく、１つの場所に置かれてよく、又は複数のネットワークユニットに分配されてよい。ユニットのうちの一部又は全部は、実施形態のソリューションの目的を達成するために、実際の要件に基づき選択されてよい。
【０２９７】
更に、本願の実施形態における機能ユニットは、１つの処理ユニットに統合されてよく、又は、ユニットの各々は物理的に単独で存在してよく、又は、２つ以上のユニットが１つのユニットに統合される。
【０２９８】
前述の実施形態の全部又は一部は、ソフトウェア、ハードウェア、ファームウェア、又はそれらの任意の組み合わせを通じて実装されてよい。実施形態を実装するためにソフトウェアが使用されるとき、実施形態は、コンピュータプログラムプロダクトの形式で完全に又は部分的に実装されてよい。コンピュータプログラムプロダクトは、１つ以上のコンピュータ命令（プログラム）を含む。コンピュータプログラム命令（プログラム）は、コンピュータ上にロードされ又は実行されると、本願の実施形態による手順又は機能が完全に又は部分的に生成される。コンピュータは、汎用コンピュータ、専用コンピュータ、コンピュータネットワーク、又は別のプログラマブル機器であってよい。コンピュータ命令は、コンピュータ可読記憶媒体に格納されてよく、又はコンピュータ可読記憶媒体から別のコンピュータ可読記憶媒体へ送信されてよい。例えば、コンピュータ命令は、ウェブサイト、コンピュータ、サーバ、又はデータセンタから、別のウェブサイト、コンピュータ、サーバ、又はデータセンタへ、有線（例えば、同軸ケーブル、光ファイバ、又はデジタル加入者回線（ＤＳＬ））又は無線（例えば、赤外線、無線、又はマイクロ波）方式で送信されてよい。コンピュータ可読記憶媒体は、コンピュータによりアクセス可能な任意の使用可能媒体、又は１つ以上の使用可能媒体を統合するサーバ若しくはデータセンタのようなデータ記憶装置であってよい。使用可能媒体は、磁気媒体（例えば、フロッピーディスク、ハードディスク、又は磁気テープ）、光媒体（例えば、ＤＶＤ）、半導体媒体（例えば、固体ドライブ（solid  state  disk,  SSD））等であってよい。
【０２９９】
本願における用語「アップリンク」及び「ダウンリンク」は、特定のシナリオでデータ／情報伝送方向を記述するために使用される。例えば、「アップリンク」方向は、通常、データ／情報が端末からネットワーク側へ送信される方向、又はデータ／情報が分散型ユニットから中央ユニットへ送信される方向である。「ダウンリンク」方向は、通常、データ／情報がネットワーク側から端末へ送信される方向、又はデータ／情報が中央ユニットから分散型ユニットへ送信される方向である。理解され得ることに、「アップリンク」及び「ダウンリンク」は、データ／情報の送信方向を説明するために使用されるだけであり、データ／情報送信の開始する特定の装置も、データ／情報送信が終了する特定の装置も限定されない。
【０３００】
名称は、種々のメッセージ／情報／装置／ネットワーク要素／システム／機器／アクション／動作／手順／概念のような本願に現れ得る種々のオブジェクトに割り当てられてよい。理解される得ることに、これらの特定の名称は、関連するオブジェクトに対する限定を構成せず、割り当てられた名称はシナリオ、コンテキスト、又はユーザ習慣のような要因により変化してよい。本願の技術的用語の技術的意味は、主に技術的用語のものであり技術的ソリューションに反映され／実行される技術的機能及び技術的効果に基づき決定されることが、理解され決定されるべきである。
【０３０１】
本願の実施形態では、特に断りの無い又は論理的衝突の無い限り、異なる実施形態の間の用語及び／又は説明は、一貫しており、相互に参照されてよく、異なる実施形態における技術的説く手用は、その内部的論理関係に基づき結合されて新しい実施形態を形成してよい。
【０３０２】
当業者は、本願に開示された実施形態で説明された例のユニット及びアルゴリズムステップと組み合わせて、本願が電子ハードウェア又は電子ハードウェアとコンピュータソフトウェアとの組み合わせにより実装できることを容易に認識すべきである。機能がハードウェア又はソフトウェアにより実行されるかは、技術的ソリューションの特定の適用及び設計制約条件に依存する。当業者は、特定の適用毎に、記載の機能を実施するために異なる方法を使用してよいが、実装が本願の範囲を超えると考えられるべきではない。
【０３０３】
前述の説明は、単に本願の特定の実装であり、本願の保護範囲を限定することを意図しない。本願で開示された技術的範囲の範囲内にある、当業者により直ちに考案される任意の変形又は置換は、本願の保護範囲の中に包含されるべきである。したがって、本願の保護範囲は、特許請求の範囲の保護範囲に従うべきである。
【図１】
2021536171.tif 000003
【図２】
2021536171.tif 000004
【図３】
2021536171.tif 000005
【図４】
2021536171.tif 000006
【図５】
2021536171.tif 000007
【図６】
2021536171.tif 000008
【図７】
2021536171.tif 000009
【図８Ａ】
2021536171.tif 000010
【図８Ｂ】
2021536171.tif 000011
【図９Ａ】
2021536171.tif 000012
【図９Ｂ】
2021536171.tif 000013
【図１０】
2021536171.tif 000014
【図１１】
2021536171.tif 000015
【図１２】
2021536171.tif 000016
【図１３】
2021536171.tif 000017
【図１４】
2021536171.tif 000018
【図１５】
2021536171.tif 000019
【図１６】
2021536171.tif 000020
【図１７】
2021536171.tif 000021
【図１８】
2021536171.tif 000022
【図１９】
2021536171.tif 000023
【図２０】
2021536171.tif 000024
【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
信号伝送方法であって、
第１構成情報を受信するステップであって、前記第１構成情報は、少なくとも１つの送信構成指示（ＴＣＩ）状態と第１チャネルの追跡参照信号（ＴＲＳ）の構成とを含み、前記ＴＲＳは複数のチャネル状態情報参照信号（ＣＳＩ−ＲＳ）リソースを含むセットである、ステップと、
前記ＴＲＳ内の第１ＴＲＳに含まれる複数のＣＳＩ−ＲＳリソースの中の第１ＣＳＩ−ＲＳリソース、前記少なくとも１つのＴＣＩ状態の中の第１ＴＣＩ状態、並びに同期信号及びＰＢＣＨブロック（ＳＳＢ）のうちの１つ以上に基づき、前記第１チャネルの疑似コロケーション（ＱＣＬ）パラメータを決定するステップと、
前記第１チャネルの前記ＱＣＬパラメータに基づき、前記第１チャネルを受信するステップと、
を含む方法。
【請求項２】
前記第１構成情報が初期無線リソース制御（ＲＲＣ）シグナリングで運ばれるとき、第１ＣＳＩ−ＲＳリソース、第１ＴＣＩ状態、及びＳＳＢのうちの１つ以上に基づき、前記第１チャネルのＱＣＬパラメータを決定する前記ステップは、
前記ＳＳＢ又は前記第１ＴＣＩ状態に基づき、前記第１チャネルの前記ＱＣＬパラメータを決定するステップであって、前記第１ＴＣＩ状態は、前記少なくとも１つのＴＣＩ状態の中で最小ＴＣＩ状態番号を有するＴＣＩ状態であり、前記ＳＳＢは、初期アクセス処理におけるＳＳＢである、ステップを含む、請求項１に記載の方法。
【請求項３】
前記第１構成情報が、初期アクセス処理の後に取得された無線リソース制御（ＲＲＣ）再構成で運ばれるとき、第１ＣＳＩ−ＲＳリソース、第１ＴＣＩ状態、及びＳＳＢのうちの１つ以上に基づき、前記第１チャネルのＱＣＬパラメータを決定する前記ステップは、
前記第１ＣＳＩ−ＲＳリソースに基づき、前記第１チャネルの前記ＱＣＬパラメータを決定するステップを含む、請求項１又は２に記載の方法。
【請求項４】
前記第１構成情報が受信される前に、ランダムアクセス処理が完了しているとき、第１ＣＳＩ−ＲＳリソース、第１ＴＣＩ状態、及びＳＳＢのうちの１つ以上に基づき、前記第１チャネルのＱＣＬパラメータを決定する前記ステップは、
前記ＳＳＢに基づき、前記第１チャネルの前記ＱＣＬパラメータを決定するステップであって、前記ＳＳＢは前記ランダムアクセス処理におけるＳＳＢである、ステップを含む、請求項１〜３のいずれか一項に記載の方法。
【請求項５】
前記第１構成情報が受信される前に、ランダムアクセス処理が完了していないとき、第１ＣＳＩ−ＲＳリソース、第１ＴＣＩ状態、及びＳＳＢのうちの１つ以上に基づき、前記第１チャネルのＱＣＬパラメータを決定する前記ステップは、
前記第１ＣＳＩ−ＲＳリソースに基づき、前記第１チャネルの前記ＱＣＬパラメータを決定するステップを含む、請求項１〜４のいずれか一項に記載の方法。
【請求項６】
前記第１構成情報が複数のＴＲＳの構成を含むとき、
前記第１ＴＲＳは、前記複数のＴＲＳの中の最小番号を有するＴＲＳであるか、又は、
前記第１ＴＲＳは、前記複数のＴＲＳの受信処理の中で、前記第１チャネルのＱＣＬ参照が決定された時点から最短時間間隔を有するＴＲＳであるか、又は、
前記第１ＴＲＳは、前記複数のＴＲＳの測定処理の中で、前記第１チャネルのＱＣＬ参照が決定された時点から最短時間間隔を有するＴＲＳである、請求項１〜５のいずれか一項に記載の方法。
【請求項７】
前記第１構成情報が前記複数のＴＲＳの前記構成を含むとき、前記方法は、
指示情報を受信するステップであって、前記指示情報は、前記複数のＴＲＳのうちの１つ以上が活性化ＴＲＳであることを示すために使用され、前記活性化ＴＲＳは前記第１ＴＲＳを含む、ステップ、
を更に含む請求項１〜６のいずれか一項に記載の方法。
【請求項８】
前記第１構成情報が前記複数のＴＲＳの前記構成を含むとき、前記複数のＴＲＳの各々は第１フィールドを含み、前記第１フィールドは、前記ＴＲＳが活性化ＴＲＳであることを示すために使用される、請求項１〜７のいずれか一項に記載の方法。
【請求項９】
前記方法は、
活性化コマンドを受信するステップであって、前記活性化コマンドは、前記少なくとも１つのＴＣＩ状態の中の第２ＴＣＩ状態を活性化するために使用される、ステップと、
前記活性化コマンドに基づき、前記第２ＴＣＩ状態を決定するステップと、
前記第２ＴＣＩ状態に基づき、前記第２ＴＣＩ状態に対応する活性化第２ＴＲＳセットを決定するステップであって、前記第２ＴＲＳセットは、第２チャネルのＱＣＬパラメータを決定するために使用される、ステップと、
第２構成情報を受信するステップであって、前記第２構成情報は、前記第２チャネルの少なくとも１つのＴＣＩ状態を含む、ステップと、
第３ＴＲＳに含まれる複数のＣＳＩ−ＲＳリソースの中の第３ＣＳＩ−ＲＳリソース、前記第２チャネルの前記少なくとも１つのＴＣＩ状態の中の第３ＴＣＩ状態、及び前記ＳＳＢのうちの１つ以上に基づき、前記第２チャネルの前記ＱＣＬパラメータを決定するステップであって、前記第２ＴＲＳセットは前記第３ＴＲＳを含む、ステップと、
前記第２チャネルの前記ＱＣＬパラメータに基づき、前記第２チャネルを受信するステップと、
を更に含む請求項１〜８のいずれか一項に記載の方法。
【請求項１０】
前記第１ＴＣＩ状態に対応するビームは、サウンディング参照信号（ＳＲＳ）の規定送信ビームとして使用される、請求項２〜９のいずれか一項に記載の方法。
【請求項１１】
通信機器であって、
第１構成情報を受信するよう構成される通信ユニットであって、前記第１構成情報は、少なくとも１つの送信構成指示（ＴＣＩ）状態と第１チャネルの追跡参照信号（ＴＲＳ）の構成とを含み、前記ＴＲＳは複数のチャネル状態情報参照信号（ＣＳＩ−ＲＳ）リソースを含むセットである、通信ユニットと、
前記ＴＲＳの中の第１ＴＲＳに含まれる複数のＣＳＩ−ＲＳリソースの中の第１ＣＳＩ−ＲＳリソース、前記少なくとも１つのＴＣＩ状態の中の第１ＴＣＩ状態、並びに同期信号及びＰＢＣＨブロック（ＳＳＢ）のうちの１つ以上に基づき、前記第１チャネルの疑似コロケーション（ＱＣＬ）パラメータを決定するよう構成される処理ユニットと、
を含み、前記通信ユニットは、前記第１チャネルの前記ＱＣＬパラメータに基づき、前記第１チャネルを受信するよう更に構成される、機器。
【請求項１２】
前記第１構成情報が初期無線リソース制御（ＲＲＣ）で運ばれるとき、前記処理ユニットは、具体的に、
前記ＳＳＢ又は前記第１ＴＣＩ状態に基づき、前記第１チャネルの前記ＱＣＬパラメータを決定するよう構成され、前記第１ＴＣＩ状態は、前記少なくとも１つのＴＣＩ状態の中で最小ＴＣＩ状態番号を有するＴＣＩ状態であり、前記ＳＳＢは、初期アクセス処理におけるＳＳＢである、請求項１１に記載の機器。
【請求項１３】
前記第１ＴＣＩ状態に対応するビームは、サウンディング参照信号（ＳＲＳ）の規定送信ビームとして使用される、請求項１２に記載の機器。
【請求項１４】
前記第１構成情報が、初期アクセス処理の後に取得された無線リソース制御（ＲＲＣ）再構成で運ばれるとき、前記処理ユニットは、具体的に、
前記第１ＣＳＩ−ＲＳリソースに基づき、前記第１チャネルの前記ＱＣＬパラメータを決定するよう構成される、請求項１１〜１３のいずれか一項に記載の機器。
【請求項１５】
前記第１構成情報が受信される前に、ランダムアクセス処理が完了しているとき、前記処理ユニットは、具体的に、
前記ＳＳＢに基づき、前記第１チャネルの前記ＱＣＬパラメータを決定するよう構成され、前記ＳＳＢは前記ランダムアクセス処理におけるＳＳＢである、請求項１１〜１４のいずれか一項に記載の機器。
【請求項１６】
前記第１構成情報が受信される前に、ランダムアクセス処理が完了していないとき、前記処理ユニットは、具体的に、
前記第１ＣＳＩ−ＲＳリソースに基づき、前記第１チャネルの前記ＱＣＬパラメータを決定するよう構成される、請求項１１〜１５のいずれか一項に記載の機器。
【請求項１７】
前記第１構成情報が複数のＴＲＳの構成を含むとき、
前記第１ＴＲＳは、前記複数のＴＲＳの中の最小番号を有するＴＲＳであるか、又は、
前記第１ＴＲＳは、前記複数のＴＲＳの受信処理の中で、前記第１チャネルのＱＣＬ参照が決定された時点から最短時間間隔を有するＴＲＳであるか、又は、
前記第１ＴＲＳは、前記複数のＴＲＳの測定処理の中で、前記第１チャネルのＱＣＬ参照が決定された時点から最短時間間隔を有するＴＲＳである、請求項１１〜１６のいずれか一項に記載の機器。
【請求項１８】
前記第１構成情報が前記複数のＴＲＳの前記構成を含むとき、前記通信ユニットは、
指示情報を受信するよう更に構成され、前記指示情報は、前記複数のＴＲＳのうちの１つ以上が活性化ＴＲＳであることを示すために使用され、前記活性化ＴＲＳは前記第１ＴＲＳを含む、請求項１１〜１７のいずれか一項に記載の機器。
【請求項１９】
前記通信ユニットは、活性化コマンドを受信するよう更に構成され、前記活性化コマンドは、前記少なくとも１つのＴＣＩ状態の中の第２ＴＣＩ状態を活性化するために使用され、
前記処理ユニットは、前記活性化コマンドに基づき、前記第２ＴＣＩ状態を決定するよう更に構成され、
前記処理ユニットは、前記第２ＴＣＩ状態に基づき、前記第２ＴＣＩ状態に対応する活性化第２ＴＲＳセットを決定するよう更に構成され、前記第２ＴＲＳセットは、第２チャネルのＱＣＬパラメータを決定するために使用され、
前記通信ユニットは、第２構成情報を受信するよう更に構成され、前記第２構成情報は、前記第２チャネルの少なくとも１つのＴＣＩ状態を含み、
前記処理ユニットは、第３ＴＲＳに含まれる複数のＣＳＩ−ＲＳリソースの中の第３ＣＳＩ−ＲＳリソース、前記第２チャネルの前記少なくとも１つのＴＣＩ状態の中の第３ＴＣＩ状態、及び前記ＳＳＢのうちの１つ以上に基づき、前記第２チャネルの前記ＱＣＬパラメータを決定するよう更に構成され、前記第２ＴＲＳセットは前記第３ＴＲＳを含み、
前記通信ユニットは、前記第２チャネルの前記ＱＣＬパラメータに基づき、前記第２チャネルを受信するよう更に構成される、
請求項１１〜１８のいずれか一項に記載の機器。
【請求項２０】
コンピュータプログラムを含むコンピュータ可読媒体であって、前記コンピュータプログラムがコンピュータ上で実行されると、前記コンピュータは、請求項１〜１０のいずれか一項に記載の方法を実行可能にされる、コンピュータ可読媒体。
【請求項２１】
機器であって、
コンピュータプログラムを格納するメモリと、
前記コンピュータプログラムを実行して前記機器に請求項１〜１０のいずれか一項に記載の方法を実施させるよう構成されるプロセッサと、
を含む機器。
【請求項２２】
コンピュータにより実行されると請求項１〜１０のいずれか一項に記載の方法を実施するコンピュータプログラム。
【手続補正２】
【補正対象書類名】明細書
【補正対象項目名】０００１
【補正方法】削除
【補正の内容】
【手続補正３】
【補正対象書類名】明細書
【補正対象項目名】０００３
【補正方法】変更
【補正の内容】
【０００３】
ビーム（beam）に基づく通信は、より高いアンテナ利得をもたらすことができる。特に、高周波数通信環境では、ビームに基づく通信は、高周波数信号の急速な減衰を克服できる。ネットワーク装置及び端末は、ビームトレーニングを通じて、送信ビームと受信ビームとの間のペアリング関係を取得し得る。端末装置は、ペアリング関係、及びネットワーク装置により動的に示される伝送構成指示（transmission  configuration  indicator,  TCI）状態に基づき、受信ビームを決定し得る。
【手続補正４】
【補正対象書類名】明細書
【補正対象項目名】０００７
【補正方法】変更
【補正の内容】
【０００７】
具体的に、前記方法は、
端末装置が第１構成情報を送信するステップであって、前記第１構成情報は、少なくとも１つの送信構成指示ＴＣＩ状態、及び前記第１チャネルの追跡参照信号ＴＲＳの構成を含み、前記ＴＲＳは、複数のチャネル状態情報参照信号ＣＳＩ−ＲＳリソースを含むセットであり、第１ＣＳＩ−ＲＳリソースは、第１ＴＲＳに含まれる複数のＣＳＩ−ＲＳリソースのうちの任意の１つであってよい、ステップ、を含む。代替として、前記第１ＣＳＩ−ＲＳリソースは、前記第１ＴＲＳに含まれる前記複数のＣＳＩ−ＲＳリソースの中の最小番号又は最大番号を有するＣＳＩ−ＲＳリソースであってよく、前記第１構成情報は、複数のＴＲＳの構成を含み、又は１つのＴＲＳの構成を含んでよい。前記端末装置は前記ＴＲＳを受信する。前記端末装置は、前記ＴＲＳの中の前記第１ＴＲＳに含まれる前記複数のＣＳＩ−ＲＳリソースの中の前記第１ＣＳＩ−ＲＳリソース、前記少なくとも１つのＴＣＩ状態の中の第１ＴＣＩ状態、並びに同期信号及びＰＢＣＨブロックＳＳＢ、のうちの１つ以上に基づき、前記第１チャネルの疑似コロケーションＱＣＬパラメータを決定し、前記第１チャネルの前記ＱＣＬパラメータは、前記第１チャネルの受信ビームに関する情報を含んでよい。前記第１チャネルの前記ＱＣＬパラメータが決定されることは、前記第１チャネルの第１受信ビームが決定されることを意味する。前記端末装置は、前記第１チャネルの前記ＱＣＬパラメータに基づき、前記第１チャネルを受信する。つまり、前記第１チャネルは、前記第１チャネルの前記第１受信ビーム上で受信される。
【手続補正５】
【補正対象書類名】明細書
【補正対象項目名】０００８
【補正方法】変更
【補正の内容】
【０００８】
第１の態様で提供される信号伝送方法によると、前記端末装置が、前記第１チャネルの複数のＴＣＩ状態に固有の活性化コマンドを受信する前に、ＱＣＬ推測を実行する処理において、前記ＴＲＳ、前記ＳＳＢ、又は前記複数のＴＣＩ状態の中の前記第１ＴＣＩ状態は、前記第１チャネルの規定ＱＣＬ参照としてＳＳＢのみを使用する代わりに、前記第１チャネルの規定ＱＣＬ参照として使用されてよい。この方法では、前記端末装置は、より正確なＱＣＬ参照を用いてビーム推定処理を実行できる。これは、前記ＱＣＬ推測の精度を向上し、前記第１チャネルの受信及び復調の効率を向上する。これは、通信効率及びユーザ経験を更に向上する。
【手続補正６】
【補正対象書類名】明細書
【補正対象項目名】０００９
【補正方法】変更
【補正の内容】
【０００９】
第１の態様の可能な実装では、前記第１構成情報が初期無線リソース制御ＲＲＣ内で運ばれるとき、それは、前記第１構成情報が受信される時点と、初期アクセスが完了した時点との間の間隔が、それほど長くないことを示す。従って、前記端末装置が、第１ＣＳＩ−ＲＳリソース、第１ＴＣＩ状態、及びＳＳＢのうちの１つ以上に基づき、前記第１チャネルのＱＣＬパラメータを決定することは、
前記ＳＳＢ又は前記第１ＴＣＩ状態に基づき、前記第１チャネルの前記ＱＣＬパラメータを決定し、前記第１ＴＣＩ状態は、前記少なくとも１つのＴＣＩ状態の中で最小ＴＣＩ状態番号を有するＴＣＩ状態であり、前記ＳＳＢは、初期アクセス処理におけるＳＳＢである、ことを含む。本実装では、前記第１チャネルの前記ＱＣＬパラメータは、前記初期アクセス処理におけるＳＳＢ又は前記第１ＴＣＩ状態に基づき決定され、その結果、前記第１チャネルの前記ＱＣＬパラメータを決定する時間期間は短縮でき、前記第１チャネルの前記決定されたＱＣＬパラメータの精度も比較的高くなる。これは、前記端末装置により前記第１チャネルを受信する精度を更に向上する。
【手続補正７】
【補正対象書類名】明細書
【補正対象項目名】００２８
【補正方法】変更
【補正の内容】
【００２８】
任意的に、前記端末装置は、前記活性化コマンドを用いて活性化された前記第２ＴＣＩ状態に基づき、前記活性化ＴＲＳを追跡する。本実装では、ＴＣＩ状態は、前記活性化ＴＲＳのために明示的に構成されなくてよく、又は前記活性化ＴＲＳのために構成されたＴＣＩ状態は、活性化ＴＣＩ状態により置き換えられる。前記ＴＲＳは、ＣＳＩ−ＲＳ  ｒｅｓｏｕｒｃｅ  ｓｅｔであり、つまり、ＴＣＩ状態は前記活性化ＣＳＩ−ＲＳ  ｒｅｓｏｕｒｃｅ  ｓｅｔの中のＣＳＩ−ＲＳリソースについて明示的に構成されない、又は前記ＣＳＩ−ＲＳリソースのために構成されたＴＣＩ状態は活性化ＴＣＩ状態により置き換えられる。８個のＴＣＩ状態が活性化された場合、前記８個のＴＣＩ状態は、それぞれ、所定のシーケンスで、例えばＴＣＩ番号の昇順又は降順で、８個のＴＲＳのＱＣＬ参照として使用されてよい。
【手続補正８】
【補正対象書類名】明細書
【補正対象項目名】０１０４
【補正方法】変更
【補正の内容】
【０１０４】
本願のチャネル測定は、ビーム測定も含む。具体的に言うと、参照信号を測定することにより、ビーム品質情報が取得され、ビーム品質を測定するために使用されるパラメータは、参照信号受信パワー（reference  signal  received  power,  RSRP）を含む。しかしながら、これはそれらに限定されない。例えば、ビーム品質は、代替として、参照信号受信品質（reference  signal  receiving  quality,  RSRQ）、信号対雑音比（signal-to-noise  ratio,  SNR）、信号対干渉及び雑音比（signal  to  interference  plus  noise  ratio,  SINR）、ブロック誤り率（block  error  rate,  BLER）、及び信号品質指示子（channel  quality  indicator,  CQI）、のようなパラメータを使用して測定されてよい。本願の実施形態では、説明を容易にするために、特に断りの無い限り、チャネル測定はビーム測定として考えられてよい。
【手続補正９】
【補正対象書類名】明細書
【補正対象項目名】０１０７
【補正方法】変更
【補正の内容】
【０１０７】
異なる参照信号リソースの間で区別するために、各参照信号リソースは、参照信号リソース識別子、例えば、ＣＳＩ−ＲＳリソース指示子（CSI-RS  resource  indicator,  CRI）、ＳＳＢリソース指示子（SSB  resource  indicator,  SSBRI）、又はＳＲＳリソースインデックス（SRS  resource  index,  SRI）に対応してよい。ＳＳＢリソース指示子は、ＳＳＢインデックス（SSB  index）とも呼ばれてよい。
【手続補正１０】
【補正対象書類名】明細書
【補正対象項目名】０１０９
【補正方法】変更
【補正の内容】
【０１０９】
４．ビーム指示情報：ビーム指示情報は、送信のために使用されるビームに関する情報を示すために使用される。送信のために使用されるビームは、送信ビーム及び／又は受信ビームを含む。ビーム指示情報は、以下：ビーム番号（又は番号、インデックス（index）、識別子（identity,  ID）、等）、アップリンク信号リソース番号、ダウンリンク信号リソース番号、絶対ビームインデックス、相対ビームインデックス、論理ビームインデックス、ビームに対応するアンテナポートのインデックス、ビームに対応するアンテナポートグループのインデックス、ビームに対応するダウンリンク信号のインデックス、ビームに対応するダウンリンク同期信号ブロックの時間インデックス、ビームペアリンク（beam  pair  link,  BPL）情報、ビームに対応する送信パラメータ（Tx  parameter）、ビームに対応する受信パラメータ（Rx  parameter）、ビームに対応する送信重み、ビームに対応する重み行列、ビームに対応する重みベクトル、ビームに対応する受信重み、ビームに対応する送信重みのインデックス、ビームに対応する重み行列のインデックス、ビームに対応する重みベクトルのインデックス、ビームに対応する受信重みのインデックス、ビームに対応する受信コードブック、ビームに対応する送信コードブック、ビームに対応する受信コードブックのインデックス、又はビームに対応する送信コードブックのインデックス、のうちの１つ以上であってよい。ダウンリンク信号は、以下：同期信号、ブロードキャストチャネル、ブロードキャスト信号復調信号、同期信号及びＰＢＣＨブロック（synchronous  signal/PBCH  block,  SSB）、チャネル状態情報参照信号（channel  state  information  reference  signal,  CSI-RS）、セル固有参照信号（cell-specific  reference  signal,  CS-RS）、ＵＥ固有参照信号（user  equipment  specific  reference  signal,  US-RS）、ダウンリンク制御チャネル復調参照信号（demodulation  reference  signal,  DMRS）、ダウンリンクデータチャネル復調参照信号、又はダウンリンク位相追跡参照信号、のうちの１つ以上であってよい。アップリンク信号は、以下：アップリンクランダムアクセスシーケンス、アップリンクサウンディング参照信号（sounding  reference  signal,  SRS)）、アップリンク制御チャネル復調参照信号、アップリンクデータチャネル復調参照信号、又はアップリンク位相追跡参照信号、のうちの１つ以上であってよい。
【手続補正１１】
【補正対象書類名】明細書
【補正対象項目名】０１１０
【補正方法】変更
【補正の内容】
【０１１０】
ビーム指示情報は、代替として、送信構成指示（Transmission  Configuration  Indicator,  TCI)）又はＴＣＩ状態として表されてよい。１つのＴＣＩ状態は、１つ以上のＱＣＬ情報を含み、ＱＣＬ情報の各々は、１つの参照信号（又は１つの同期信号ブロック）のＩＤ及び１つのＱＣＬタイプを含む。例えば、端末装置は、ネットワーク装置により示されたＴＣＩ状態（これは、通常、物理ダウンリンク制御チャネル（physical  downlink  control  channel,  PDCCH)）で運ばれる）に基づき、物理ダウンリンク共有チャネル（physical  downlink  shared  channel,  PDSCH）を受信するためのビームを決定する必要があってよい。
【手続補正１２】
【補正対象書類名】明細書
【補正対象項目名】０１１１
【補正方法】変更
【補正の内容】
【０１１１】
５．疑似コロケーション（quasi-co-location,  QCL）：疑似コロケーション関係は、複数のリソースが１つ以上の同じ又は類似する通信特徴を有することを示すために使用される。疑似コロケーション関係を有する複数のリソースについて、同じ又は類似する通信構成が使用されてよい。詳細は以下の通りである：ＱＣＬ関係を有するアンテナポートに対応する信号は、同じパラメータを有する。或いは、アンテナポートのパラメータ（これは、ＱＣＬパラメータとも呼ばれてよい）は、該アンテナポートとＱＣＬ関係を有する別のアンテナポートのパラメータを決定するために使用されてよい。或いは、２つのアンテナポートが同じパラメータを有する。或いは、２つのアンテナポートの間のパラメータの差が閾値より小さい。パラメータは、以下：遅延スプレッド（delay  spread）、ドップラスプレッド（Doppler  spread）、ドップラシフト（Doppler  shift）、平均遅延（average  delay）、平均利得、及び空間受信パラメータ（spatial  Rx  parameter）、のうちの１つ以上を含んでよい。空間受信パラメータは、以下：入射角度（angle  of  arrival,  AOA）、平均ＡＯＡ、ＡＯＡスプレッド、出射角度（angle  of  departure,  AOD）、平均出射角度ＡＯＤ、ＡＯＤスプレッド、受信アンテナ空間相関パラメータ、送信アンテナ空間相関パラメータ、送信ビーム、受信ビーム、又はリソース識別子、のうちの１つ以上を含んでよい。
【手続補正１３】
【補正対象書類名】明細書
【補正対象項目名】０１２５
【補正方法】変更
【補正の内容】
【０１２５】
ネットワーク装置が、端末装置へ信号を送信する前に、ネットワーク装置は、端末装置に、端末装置の全ての利用可能なＴＣＩ状態を通知する。ネットワーク装置が端末装置にＴＣＩ状態を通知する方法は、限定ではないが、ブロードキャスト信号、システムメッセージ、ＲＲＣシグナリング、ＭＡＣ−ＣＥシグナリング、ＤＣＩシグナリング、又はそれらの組み合わせの使用を含む。ネットワーク装置が、活性化コマンドを使用して利用可能なＴＣＩ状態のうちの１つ以上を活性化する前に、端末装置は、また、ネットワーク装置により送信された信号を受信する必要がある。ネットワーク装置は、活性化コマンドを送信していないので、端末装置は、受信ビームを決定するために使用される必要のある特定の利用可能なＴＣＩ状態が分からず、従って、受信ビームで信号を受信できない。従って、端末装置は、ＱＣＬ推測を実行する必要がある。ＱＣＬ推測を通じて、ネットワーク装置の活性化コマンドを受信する前に、端末装置は、信号を受信するために使用されるビームに関する情報を決定し、該ビーム上で信号を受信する。現在の技術では、端末装置がＱＣＬ推測を実行する処理で、初期アクセス処理におけるＳＳＢは、規定ＱＣＬ参照（QCL  reference  signal）として使用される。つまり、ＳＳＢを送信するためのアンテナポートのパラメータが、信号を受信するためのアンテナポートのパラメータを決定するために使用されて、該信号を受信するために使用されるビームを決定する。信号は、ここでは、物理ダウンリンク制御チャネルＰＤＣＣＨ、又は物理ダウンリンク共有チャネルＰＤＳＣＨであってよい。初期アクセスが完了した時点とＰＤＣＣＨ／ＰＤＳＣＨが受信された時点との間の時間間隔は、比較的長くなり得るので、期限切れＱＣＬ参照信号（初期アクセス処理で決定されたＳＳＢ）は、ＰＤＣＣＨ／ＰＤＳＣＨの受信及び復調には不都合である。更に、ＳＳＢの帯域幅は比較的狭いので、ＳＳＢを使用して実行される時間ドメイン及び周波数ドメイン追跡の性能は、比較的粗悪である。従って、信号を受信するために決定されたＱＣＬパラメータは不正確であり、信号受信及び復調が深刻に影響される。
【手続補正１４】
【補正対象書類名】明細書
【補正対象項目名】０１２８
【補正方法】変更
【補正の内容】
【０１２８】
図２は、装置相互作用の観点から示される、信号伝送方法２００の概略フローチャートである。図２に示すように、図２に示した方法２００は、ステップＳ２１０〜ステップＳ２５０を含んでよい。以下は、図２を参照して、方法２００のステップを詳細に説明する。
【手続補正１５】
【補正対象書類名】明細書
【補正対象項目名】０１３８
【補正方法】変更
【補正の内容】
【０１３８】
Ｓ２３０で、端末装置は信号（第１チャネル）を受信する必要があるので、ネットワーク装置は、端末装置に可能なＴＣＩ状態を通知している。従って、端末装置が、ネットワーク装置により送信された、少なくとも１つのＴＣＩ状態のうちの１つ以上を活性化するために使用される活性化コマンドを受信する前に、端末装置は、ＱＣＬ推測を実行する必要がある。つまり、ネットワーク装置の活性化コマンドを受信する前に、端末装置は、信号（第１チャネル）を受信するために使用されるビームに関する情報を決定する必要があり、該ビーム上で信号を受信する。
【手続補正１６】
【補正対象書類名】明細書
【補正対象項目名】０１４８
【補正方法】変更
【補正の内容】
【０１４８】
具体的に、端末装置がネットワークに最初にアクセスした後に、ネットワーク装置は、ＲＲＣシグナリングを用いて、端末装置へ対応する制御シグナリングを送信する。第１構成情報が、端末装置がネットワークに最初にアクセスした後に取得された第１ＲＲＣ（初期ＲＲＣ）で運ばれる場合、それは、第１構成情報が受信される時点と、初期アクセスが完了した時点との間の間隔が、それほど長くないことを示す。従って、Ｓ２３１で、端末装置は、ＳＳＢ又は第１ＴＣＩ状態に基づき、第１チャネルのＱＣＬパラメータを決定してよい。第１ＴＣＩ状態は、少なくとも１つのＴＣＩ状態の中で最小ＴＣＩ状態番号を有するＴＣＩ状態であり、ＳＳＢは、初期アクセス処理で端末装置により使用されたＳＳＢである。任意的に、第１ＴＣＩ状態は、代替として、少なくとも１つのＴＣＩ状態の中で最大ＴＣＩ状態番号を有するＴＣＩ状態であってよい。代替として、第１ＴＣＩ状態は、少なくとも１つのＴＣＩ状態の中で、ＴＣＩ状態番号が中間値を有するＴＣＩ状態、等であってよい。これは、本願の本実施形態において限定されない。
【手続補正１７】
【補正対象書類名】明細書
【補正対象項目名】０１４９
【補正方法】変更
【補正の内容】
【０１４９】
第１構成情報が初期ＲＲＣで運ばれるとき、第１チャネルのＱＣＬパラメータは、初期アクセス処理におけるＳＳＢ又は第１ＴＣＩ状態に基づき決定され、その結果、第１チャネルのＱＣＬパラメータを決定する時間期間は短縮でき、第１チャネルの決定されたＱＣＬパラメータの精度も比較的高くなる。これは、端末装置により第１チャネルを受信する精度を更に向上する。
【手続補正１８】
【補正対象書類名】明細書
【補正対象項目名】０１７４
【補正方法】変更
【補正の内容】
【０１７４】
一実装では、指示情報は、ビットマップ（bitmap）として示されてよい。全部でＭ個のＴＲＳが端末装置のために構成されると仮定する。この場合、活性化されている特定のＴＲＳを示すために、Ｍビットのビットマップが使用されてよい。ここで、１はＴＲＳが活性化されることを示し、０はＴＲＳが活性化されないことを示す。代替として、１はＴＲＳが活性化されないことを示し、０はＴＲＳが活性化されることを示す。Ｎ個の活性化ＴＲＳが存在し、
Ｎ｛切り上げｌｏｇ２（Ｍ）｝ビットフィールドが、活性化されるＮ個の特定のＴＲＳを示すために使用され得ると仮定する。代替として、別の方法が、活性化される特定のＴＲＳを示すために使用されてよい。例えば、活性化される特定のＴＲＳを示すために、ＭＡＣ−ＣＥシグナリングが使用される。理解されるべきことに、指示の特定の形式は、本願の本実施形態で限定されない。
【手続補正１９】
【補正対象書類名】明細書
【補正対象項目名】０１８２
【補正方法】変更
【補正の内容】
【０１８２】
具体的に、複数のＣＣ及び／又はＢＷＰが端末装置のために構成される場合、１つ以上のＣＣ及び／又はＢＷＰのそれぞれはＴＲＳの構成を有し、ＴＲＳはＱＣＬ参照として使用され、ＴＲＳが第１構成情報の中で構成されたＴＲＳである特定のＣＣ及び／又はＢＷＰが区別される必要がある。例えば、１つのＣＣが１つ以上のＴＲＳに対応してよく、異なるＣＣが同じＴＲＳ又は異なるＴＲＳに対応してよい。ＣＣ１がＴＲＳ１〜ＴＲＳ１４に対応し、ＣＣ２もＴＲＳ１〜ＴＲＳ１４に対応すると仮定する。この場合、各ＴＲＳの構成は、ＴＲＳに対応するＣＣに関する情報を含むべきである。その結果、ＴＲＳの位置する特定のＣＣが区別できる。更に、第１ＴＲＳは、ＣＣ／ＢＷＰに関する情報への参照により更に決定されてよい。例えば、第１ＴＲＳは、端末装置により現在使用されているＣＣ／ＢＷＰ（アクティブＢＷＰ）に対応するＴＲＳであってよい。代替として、第１ＴＲＳは、端末装置が初期アクセスを実行する初期ＢＷＰのＴＲＳであってよい。代替として、第１ＴＲＳは、所定のＣＣ／ＢＷＰのＴＲＳであってよい。代替として、第１ＴＲＳは、最小又は最大ＣＣインデックス（index）／ＢＷＰインデックスを有するＣＣ／ＢＷＰのＴＲＳであってよい。これは、本願において限定されない。
【手続補正２０】
【補正対象書類名】明細書
【補正対象項目名】０１９６
【補正方法】変更
【補正の内容】
【０１９６】
具体的に、ＭＡＣ−ＣＥは、サービングセル（serving  cell）の識別子（identifier,  ID）、ＢＷＰのＩＤ、及びＴＣＩ状態が活性化されるか否かを示すために使用される指示ビット、を含む。ＭＡＣ−ＣＥにより示された活性化ＴＣＩ状態は、ＭＡＣ−ＣＥにより示されたサービングセル及びＢＷＰに基づき構成されたＴＣＩ状態として理解されてよい。言い換えると、ＰＤＳＣＨ、ＰＵＳＣＨ、又はＰＤＣＣＨがサービングセルにおいてＢＷＰ内で送信されるとき、送信ビーム及び受信ビームは、ＴＣＩ状態により示される情報に基づき決定されてよい。ＭＡＣ−ＣＥ内のＴ１は、ＴＣＩ状態が活性化されるか否かを示すために使用される。各Ｔ１は１ビットを占有してよく、ｉは、ＲＲＣメッセージ内のｔｃｉ−ＳｔａｔｅｓＴｏＡｄｄＭｏｄＬｉｓｔを用いて構成されたＴＣＩ状態リストの中のｉ番目のＴＣＩ状態に対応する。例えば、ｉは、ＴＣＩ状態ＩＤ（ＴＣＩ−ＳｔａｔｅＩｄ）の値に等しい。Ｔ１の値は１又は０であってよい。値１は、ＴＣＩ状態が活性化のために選択されることを示してよく、値０は、ＴＣＩ状態が活性化のために選択されないことを意味してよい。例えば、Ｔ６の値は１であり、ＴＣＩ状態６が活性化されることを示す。ステップＳ２６４で、端末装置は、第２ＴＣＩ状態に基づき、第２ＴＣＩ状態に対応する活性化された第２ＴＲＳセットを決定する。ここで、第２ＴＲＳセットは、１つ以上のＴＲＳを含んでよい。第２ＴＲＳセットは、第２チャネルのＱＣＬパラメータを決定するために使用される。活性化コマンドに基づき、８個のＴＣＩ状態が活性化されると仮定する。つまり、第２ＴＣＩ状態は８個のＴＣＩ状態を含む。この場合、第２ＴＲＳセットは、８個のＴＲＳを含む。第２ＴＣＩ状態に対応する活性化第２ＴＲＳセットは、次の通り理解できる。第２ＴＣＩ状態は、ＴＲＳのＴＣＩ状態と同じである（第２ＴＣＩ状態に基づき決定されたビームの方向が、ＴＲＳのビームの方向と同じである）。つまり、ＴＲＳのＴＣＩ状態は第２ＴＣＩ状態であり、その結果、ＴＲＳは、第２ＴＲＳセットの中のＴＲＳである。代替として、第２ＴＣＩ状態に含まれる参照信号は、ＴＲＳのＴＣＩ状態に含まれる参照信号と同じであるか又は疑似コロケーション関係を有する。活性化コマンドに基づき、１個のＴＣＩ状態が活性化されると仮定する。つまり、第２ＴＣＩ状態は１個のＴＣＩ状態を含む。この場合、第２ＴＲＳセットは１個のＴＲＳのみを含み、ＴＲＳは活性化ＴＲＳである。例えば、第２ＴＣＩ状態が１個のＴＣＩ状態、つまりＴＣＩ状態８を含み、ＴＣＩ状態８に対応するＴＲＳも活性化される。第２ＴＲＳセットは、第２チャネルのＱＣＬパラメータを決定するために使用される。
【手続補正２１】
【補正対象書類名】明細書
【補正対象項目名】０１９７
【補正方法】変更
【補正の内容】
【０１９７】
任意的に、端末装置は、活性化コマンドを用いて活性化された第２ＴＣＩ状態に基づき、活性化ＴＲＳを追跡する。本実装では、ＴＣＩ状態は、活性化ＴＲＳのために明示的に構成されなくてよく、又は活性化ＴＲＳのために構成されたＴＣＩ状態は、活性化ＴＣＩ状態により置き換えられる。ＴＲＳは、ＣＳＩ−ＲＳ  ｒｅｓｏｕｒｃｅ  ｓｅｔであり、つまり、ＴＣＩ状態は活性化ＣＳＩ−ＲＳ  ｒｅｓｏｕｒｃｅ  ｓｅｔの中のＣＳＩ−ＲＳリソースについて明示的に構成されない、又はＣＳＩ−ＲＳリソースのために構成されたＴＣＩ状態は活性化ＴＣＩ状態により置き換えられる。８個のＴＣＩ状態が活性化された場合、８個のＴＣＩ状態は、それぞれ、所定のシーケンスで、例えばＴＣＩ番号の昇順又は降順で、８個のＴＲＳのＱＣＬ参照として使用されてよい。
【手続補正２２】
【補正対象書類名】明細書
【補正対象項目名】０２０４
【補正方法】変更
【補正の内容】
【０２０４】
前述のステップＳ２６８の後に、ネットワーク装置は、端末装置へ、第２チャネルの最後の１個のＴＣＩ状態に特有の活性化コマンドを更に送信してよく、端末装置は、活性化コマンドに基づき第２チャネルの第２受信ビームを決定してよい。第２チャネルは、第２チャネルの第２受信ビームを用いて受信される。つまり、このステップは、前述のステップＳ２６０〜Ｓ２６３と同様である。要するに、詳細はここで再び説明されない。
【手続補正２３】
【補正対象書類名】明細書
【補正対象項目名】０２１７
【補正方法】変更
【補正の内容】
【０２１７】
図１２は、装置相互作用の観点から示される、信号伝送方法３００の概略フローチャートである。図１２に示すように、図１２に示した方法３００は、ステップＳ３１０〜ステップＳ３３０を含んでよい。以下は、図１２を参照して、方法３００のステップを詳細に説明する。
【手続補正２４】
【補正対象書類名】明細書
【補正対象項目名】０２４１
【補正方法】変更
【補正の内容】
【０２４１】
通信機器４００は、通信装置であってよく、又は通信装置内のチップであってよい。通信機器が通信装置であるとき、処理ユニットはプロセッサであってよく、通信ユニットはトランシーバ又はトランシーバユニットであってよい。通信装置は、記憶ユニットを更に含んでよく、記憶ユニットはメモリであってよい。記憶ユニットは、命令を格納するよう構成され、処理ユニットは、記憶ユニットに格納された命令を実行し、その結果、通信装置が前述の方法を実行する。通信機器が通信装置内のチップであるとき、処理ユニットはプロセッサであってよく、トランシーバユニットは、入力／出力インタフェース、ピン、回路、等であってよい。処理ユニットは、記憶ユニットに格納された命令を実行し、その結果、通信機器は、前述の方法２００において端末装置により実行される動作を実行する。記憶ユニットは、チップ内の記憶ユニット（例えば、レジスタ又はキャッシュ）であってよく、又は通信装置内のチップの外部にある記憶ユニット（例えば、読み出し専用メモリ又はランダムアクセスメモリ）であってよい。
【手続補正２５】
【補正対象書類名】明細書
【補正対象項目名】０２４９
【補正方法】変更
【補正の内容】
【０２４９】
通信機器６００は、通信装置であってよく、又は通信装置内のチップであってよい。通信機器が通信装置であるとき、処理ユニットはプロセッサであってよく、通信ユニットはトランシーバ又はトランシーバユニットであってよい。通信装置は、記憶ユニットを更に含んでよく、記憶ユニットはメモリであってよい。記憶ユニットは、命令を格納するよう構成され、処理ユニットは、記憶ユニットに格納された命令を実行し、その結果、通信装置が前述の方法を実行する。機器が通信装置内のチップであるとき、処理ユニットはプロセッサであってよく、トランシーバユニットは、入力／出力インタフェース、ピン、回路、等であってよい。処理ユニットは、記憶ユニットに格納された命令を実行し、その結果、通信機器は、前述の方法２００においてネットワーク装置により実行される動作を実行する。記憶ユニットは、チップ内の記憶ユニット（例えば、レジスタ又はキャッシュ）であってよく、又は通信装置内のチップの外部にある記憶ユニット（例えば、読み出し専用メモリ又はランダムアクセスメモリ）であってよい。
【手続補正２６】
【補正対象書類名】明細書
【補正対象項目名】０２５２
【補正方法】変更
【補正の内容】
【０２５２】
図１５に示される通信機器６００又は図１６に示される通信機器７００は、方法２００、及び図２〜図９Ｂにおいてネットワーク装置により実行されるステップを実装できる。同様の説明については、対応する方法における説明を参照する。繰り返しを避けるため、詳細はここで再び記載されない。
【手続補正２７】
【補正対象書類名】明細書
【補正対象項目名】０２５６
【補正方法】変更
【補正の内容】
【０２５６】
通信機器８００は、通信装置であってよく、又は通信装置内のチップであってよい。通信機器が通信装置であるとき、処理ユニットはプロセッサであってよく、通信ユニットはトランシーバ又はトランシーバユニットであってよい。通信装置は、記憶ユニットを更に含んでよく、記憶ユニットはメモリであってよい。記憶ユニットは、命令を格納するよう構成され、処理ユニットは、記憶ユニットに格納された命令を実行し、その結果、通信装置が前述の方法を実行する。機器が通信装置内のチップであるとき、処理ユニットはプロセッサであってよく、トランシーバユニットは、入力／出力インタフェース、ピン、回路、等であってよい。処理ユニットは、記憶ユニットに格納された命令を実行し、その結果、通信機器は、前述の方法３００においてネットワーク装置により実行される動作を実行する。記憶ユニットは、チップ内の記憶ユニット（例えば、レジスタ又はキャッシュ）であってよく、又は通信装置内のチップの外部にある記憶ユニット（例えば、読み出し専用メモリ又はランダムアクセスメモリ）であってよい。
【手続補正２８】
【補正対象書類名】明細書
【補正対象項目名】０２６３
【補正方法】変更
【補正の内容】
【０２６３】
図１９は、本願による端末装置１０の概略構造図である。説明を容易にするために、図１９は、端末装置の主要なコンポーネントのみを示す。図１９に示すように、端末装置１０は、プロセッサと、メモリと、制御回路と、アンテナと、入力／出力機器と、を含む。
【手続補正２９】
【補正対象書類名】明細書
【補正対象項目名】０２７１
【補正方法】変更
【補正の内容】
【０２７１】
ネットワーク装置は、図１に示す通信システムの中で使用され、前述の方法の実施形態におけるネットワーク装置の機能を実行してよい。基地局２０は、リモート無線ユニット（remote  radio  unit,  RRU）２０１及び１つ以上のベースバンドユニット（baseband  unit,  BBU）（これは、デジタルユニット（digital  unit,  DU）とも呼ばれてよい）２０２のような１つ以上の無線周波数ユニットを含んでよい。ＲＲＵ２０１は、トランシーバユニット、トランシーバ機械、トランシーバ回路、トランシーバ、等と呼ばれてよく、少なくとも１つのアンテナ２０１１及び無線周波数ユニット２０１２を含んでよい。ＲＲＵ２０１は、主に、無線周波数信号の受信及び送信、並びに無線周波数信号とベースバンド信号との間の変換を実行するよう構成され、例えば、前述の方法の実施形態ではＰＤＣＣＨ及び／又はＰＤＳＣＨを送信するよう構成される。ＢＢＵ２０２は、主に、ベースバンド処理を実行する、基地局を制御する、等のように構成される。ＲＲＵ２０１及びＢＢＵ２０２は、物理的に一緒に配置されてよく、又は物理的に別個に配置されてよく、具体的に言うと分散型基地局であってよい。
【手続補正３０】
【補正対象書類名】明細書
【補正対象項目名】０２７８
【補正方法】変更
【補正の内容】
【０２７８】
留意すべき事に、本願の実施形態におけるプロセッサは、集積回路チップであってよく、信号処理能力を有する。一実装プロセスでは、前述の方法の実施形態のステップは、プロセッサ内のハードウェア集積論理回路又はソフトウェアの形式の命令を用いて達成されてよい。前述のプロセッサは、汎用プロセッサ、デジタル信号プロセッサ（Digital  Signal  Processor,  DSP）、特定用途向け集積回路（Application-Specific  Integrated  Circuit,  ASIC）、フィールドプログラマブルゲートアレイ（Field  Programmable  Gate  Array,  FPGA）、又は別のプログラマブル論理素子、個別ゲート若しくはトランジスタ論理素子、又は個別ハードウェアコンポーネントであってよい。それは、本願の実施形態で開示された方法、ステップ、論理ブロック図を実装し又は実行してよい。汎用プロセッサはマイクロプロセッサであってよく、又はプロセッサは任意の従来のプロセッサ等であってよい。本願の実施形態を参照して開示された方法のステップは、ハードウェア復号プロセッサにより直接実行され達成されてよく、又は復号プロセッサ内のハードウェアとソフトウェアモジュールとの結合を通じて実行され達成されてよい。ソフトウェアモジュールは、ランダムアクセスメモリ、フラッシュメモリ、読み出し専用メモリ、プログラマブル読み出し専用メモリ、電気的消去可能プログラマブルメモリ、又はレジスタのような、従来の成熟した記憶媒体に置かれてよい。記憶媒体はメモリ内に置かれてよく、プロセッサはメモリ内の情報を読み出し、プロセッサのハードウェアと組み合わせて前述の方法のステップを達成する。
【手続補正３１】
【補正対象書類名】明細書
【補正対象項目名】０２８０
【補正方法】変更
【補正の内容】
【０２８０】
本願の一実施形態は、送信端装置と受信端装置とを含む通信システムを更に提供する。例えば、送信端装置はネットワーク装置であり、受信端装置は端末装置であり、又は送信端装置は端末装置であり、受信端装置はネットワーク装置である。
【手続補正３２】
【補正対象書類名】明細書
【補正対象項目名】０２８５
【補正方法】変更
【補正の内容】
【０２８５】
任意的に、記憶ユニットは、チップ内の記憶ユニット、例えばレジスタ又はキャッシュである。或いは、記憶ユニットは、端末内にあるがチップの外部にある記憶ユニット、例えば読み出し専用メモリ（read-only  memory,  ROM）又は静的情報及び命令を格納する能力のある別の種類の静的記憶装置、又はランダムアクセスメモリ（random  access  memory,  RAM）であってよい。前述の設計のうちの任意の１つで言及されたプロセッサは、ＣＰＵ、マイクロプロセッサ、ＡＳＩＣ、又は信号伝送方法のプログラム実行を制御するために使用される１つ以上の集積回路であってよい。処理ユニット及び記憶ユニットは、分離されてよく、異なる物理装置に別個に配置され、有線又は無線方式で接続されて処理ユニット及び記憶ユニットのそれぞれの機能を実施して、前述の実施形態の中の種々の機能を実行する。代替として、処理ユニット及び記憶ユニットは同じ装置に接続されてよい。
【国際調査報告】
2021536171.tif 000025
2021536171.tif 000026
2021536171.tif 000027
2021536171.tif 000028